(57)【要約】【課題】遊技興趣を向上させる遊技機を提供すること。【解決手段】大当たりか否かを判定するための当否判定情報には、通常確率状態のときでも高確率状態のときでも大当たりと判定される第１当否判定情報と、高確率状態のときのみ大当たりと判定される第２当否判定情報と、通常確率状態のときでも高確率状態のときでもハズレと判定される第３当否判定情報と、がある。第２当否判定情報については、通常確率状態のときに取得された場合はハズレを示すハズレ情報をサブ制御基板９０に送信し、高確率状態のときに取得された場合は大当たりを示す大当たり情報をサブ制御基板９０に送信する。【選択図】図１２
2018038811.tif 000002
【特許請求の範囲】
【請求項１】
所定条件の成立により、所定の当否判定情報を取得する取得手段と、
前記取得手段により取得された前記当否判定情報に基づいて、遊技者に有利な有利遊技状態に遊技を制御するか否かを判定する当否判定手段と、
前記当否判定手段による判定の結果に基づいて、所定の演出を制御可能な演出制御手段と、を備える遊技機であって、
前記当否判定手段による判定が行われる前に、前記取得手段により取得された前記当否判定情報に基づいて、前記有利遊技状態に遊技を制御するか否かに関する当否情報を特定する特定手段と、
前記当否情報を前記演出制御手段に送信する送信手段と、を備え、
前記演出制御手段は、前記当否情報に基づいて特定演出を制御可能であり、
第１遊技状態、または当該第１遊技状態と異なる第２遊技状態で遊技を制御可能であり、
前記当否判定情報には、少なくとも、１または複数の第１当否判定情報と、１または複数の第２当否判定情報と、１または複数の第３当否判定情報と、があり、
前記当否判定手段は、
前記第１遊技状態では、前記取得手段により取得された前記当否判定情報が前記第１当否判定情報である場合に前記有利遊技状態に遊技を制御すると判定する一方、
前記第２遊技状態では、前記取得手段により取得された前記当否判定情報が前記第１当否判定情報および第２当否判定情報である場合に前記有利遊技状態に遊技を制御すると判定するように構成され、
前記特定手段は、
前記第１遊技状態において前記当否情報を特定する場合、
前記第１当否判定情報であれば、当該第１当否判定情報に応じた第１当否情報を特定し、前記第２当否判定情報であれば、当該第２当否判定情報に応じた第２当否情報を特定し、前記第３当否判定情報であれば、当該第３当否判定情報に応じた第３当否情報を特定する一方、
前記第２遊技状態において前記当否情報を特定する場合、
前記第１当否判定情報であれば、当該第１当否判定情報に応じた第４当否情報を特定し、前記第２当否判定情報であれば、当該第２当否判定情報に応じた第５当否情報を特定し、前記第３当否判定情報であれば、当該第３当否判定情報に応じた第６当否情報を特定することを特徴とする遊技機。
【請求項２】
請求項１に記載の遊技機であって、
前記第１当否情報、前記第４当否情報、および前記第５当否情報は、前記有利遊技状態に遊技が制御されることを示す内容であり、
前記第２当否情報、前記第３当否情報、および前記第６当否情報は、前記有利遊技状態に遊技が制御されないことを示す内容であることを特徴とする遊技機。
【請求項３】
請求項１または２に記載の遊技機であって、
前記取得手段は、前記所定条件の成立により、前記当否判定情報の他に変動パターン判定情報を取得し、
前記当否判定手段の判定結果に応じて、前記変動パターン判定情報に基づいて、変動パターンを判定する変動パターン判定手段と、
前記変動パターン判定手段により判定された前記変動パターンに基づいて、図柄を変動表示した後に、前記当否判定手段の判定結果を示す態様で停止表示する図柄表示制御手段と、を備え、
前記特定手段は、前記変動パターン判定情報に基づいて、前記変動パターンに関する変動パターン情報を特定可能であり、
前記送信手段は、前記当否情報の他に、前記変動パターン情報も前記演出制御手段に送信可能であり、
前記演出制御手段は、前記当否情報、および前記変動パターン情報に基づいて前記特定演出を制御可能であることを特徴とする遊技機。
【請求項４】
請求項１乃至３の何れか１つに記載の遊技機であって、
前記有利遊技状態の種類が複数設けられており、
前記取得手段は、前記所定条件の成立により、前記当否判定情報の他に種別判定情報を取得し、
前記当否判定手段の判定結果が前記有利遊技状態に遊技を制御するである場合、前記種別判定情報に基づいて、前記有利遊技状態の種別を判定する種別判定手段を備え、
前記特定手段は、前記当否情報として前記第２当否情報を特定した場合、前記種別判定情報に基づいて、前記有利遊技状態の種別に関する種別情報を特定可能であり、
前記送信手段は、前記当否情報の他に、前記種別情報も前記演出制御手段に送信可能であり、
前記演出制御手段は、前記当否情報、および前記種別情報に基づいて前記特定演出を制御可能であることを特徴とする遊技機。
【請求項５】
請求項４に記載の遊技機であって、
前記種別判定情報には、特定種別判定情報があり、
前記有利遊技状態の種別には、特定有利遊技状態があり、
前記種別判定手段は、前記特定種別判定情報に基づいて、前記特定有利遊技状態と判定し、
前記取得手段により取得された前記当否判定情報、および前記種別判定情報を記憶する記憶手段と、
前記種別判定手段によって前記特定有利遊技状態と判定された場合、当該特定有利遊技状態に遊技が制御されたことに伴って前記第２遊技状態を設定する設定手段と、を備え、
前記演出制御手段は、前記特定有利遊技状態に遊技が制御され、且つ、前記記憶手段が前記第２当否判定情報および前記特定種別判定情報を記憶しているとき、特別演出を実行可能であることを特徴とする遊技機。
【発明の詳細な説明】
【技術分野】
【０００１】
本発明は、パチンコ遊技機等の遊技機に関する。
【背景技術】
【０００２】
従来、遊技機では、遊技球が始動口に入球することを条件に、大当たり乱数などの判定情報を取得し、判定情報に基づいて大当たりであるか否かの判定を行うことが可能である。当該判定が行われると図柄の可変表示が行われる。図柄の可変表示によって、判定の結果が報知される。図柄の可変表示において大当たり図柄などの特定の図柄が停止表示されると、大当たり遊技などの遊技者に有利な遊技状態に制御される。
【０００３】
また、遊技球が始動口に入球すると、大当たりであるか否かの判定を行う前に、例えば、入球時に判定情報に基づいて、大当たりやハズレなどの当否情報を含むコマンドが演出制御部に送信される。演出制御部はそのコマンドに基づいて、所謂先読み演出を行う。
【先行技術文献】
【特許文献】
【０００４】
【特許文献１】特開２０１７−９９６３０号公報
【発明の概要】
【発明が解決しようとする課題】
【０００５】
特許文献１に記載の遊技機では、低確率状態においてハズレと判定されるものの、高確率状態であれば大当たりと判定される判定情報については「大当たり」という内容のコマンドを演出制御部に送信する。そのため、演出制御部は、低確率状態においてこのコマンドが送信された際には、ハズレとしての先読み演出を実行できない。この結果、先読み演出の機会が減ることになるので、遊技興趣が低下する。
【０００６】
本発明は上記事情に鑑みてなされたものである。すなわち、その課題とするところは、遊技興趣が向上する新規な遊技機を提供することである。
【課題を解決するための手段】
【０００７】
本発明に係る遊技機は、
所定条件の成立により、所定の当否判定情報を取得する取得手段と、
前記取得手段により取得された前記当否判定情報に基づいて、遊技者に有利な有利遊技状態に遊技を制御するか否かを判定する当否判定手段と、
前記当否判定手段による判定の結果に基づいて、所定の演出を制御可能な演出制御手段と、を備える遊技機であって、
前記当否判定手段による判定が行われる前に、前記取得手段により取得された前記当否判定情報に基づいて、前記有利遊技状態に遊技を制御するか否かに関する当否情報を特定する特定手段と、
前記当否情報を前記演出制御手段に送信する送信手段と、を備え、
前記演出制御手段は、前記当否情報に基づいて特定演出を制御可能であり、
第１遊技状態、または当該第１遊技状態と異なる第２遊技状態で遊技を制御可能であり、
前記当否判定情報には、少なくとも、１または複数の第１当否判定情報と、１または複数の第２当否判定情報と、１または複数の第３当否判定情報と、があり、
前記当否判定手段は、
前記第１遊技状態では、前記取得手段により取得された前記当否判定情報が前記第１当否判定情報である場合に前記有利遊技状態に遊技を制御すると判定する一方、
前記第２遊技状態では、前記取得手段により取得された前記当否判定情報が前記第１当否判定情報および第２当否判定情報である場合に前記有利遊技状態に遊技を制御すると判定するように構成され、
前記特定手段は、
前記第１遊技状態において前記当否情報を特定する場合、
前記第１当否判定情報であれば、当該第１当否判定情報に応じた第１当否情報を特定し、前記第２当否判定情報であれば、当該第２当否判定情報に応じた第２当否情報を特定し、前記第３当否判定情報であれば、当該第３当否判定情報に応じた第３当否情報を特定する一方、
前記第２遊技状態において前記当否情報を特定する場合、
前記第１当否判定情報であれば、当該第１当否判定情報に応じた第４当否情報を特定し、前記第２当否判定情報であれば、当該第２当否判定情報に応じた第５当否情報を特定し、前記第３当否判定情報であれば、当該第３当否判定情報に応じた第６当否情報を特定することを特徴とする。
【発明の効果】
【０００８】
本発明によれば、遊技興趣を向上させることが可能である。
【図面の簡単な説明】
【０００９】
【図１】本発明の第１実施形態に係る遊技機の斜視図である。
【図２】同遊技機が備える遊技盤ユニットの正面図である。
【図３】同遊技機が備える表示器類の正面図である。
【図４】同遊技機の主制御基板側の電気的な構成を示すブロック図である。
【図５】同遊技機のサブ制御基板側の電気的な構成を示すブロック図である。
【図６】（Ａ）は普図関連判定情報を示す表であり、（Ｂ）は特図関連判定情報を示す表である。
【図７】（Ａ）は当たり判定テーブルであり、（Ｂ）は普図変動パターン判定テーブルであり、（Ｃ）は補助遊技制御テーブルである。
【図８】（Ａ）は大当たり判定テーブルであり、（Ｂ）は大当たり図柄種別判定テーブルであり、（Ｃ）はリーチ判定テーブルである。
【図９】特図１変動パターン判定テーブルである。
【図１０】特図２変動パターン判定テーブルである。
【図１１】（Ａ）は大当たり遊技制御テーブル、（Ｂ）は遊技状態設定テーブルである。
【図１２】始動入賞当否コマンド特定テーブルである。
【図１３】始動入賞図柄コマンド特定テーブルである。
【図１４】始動入賞変動パターンコマンド特定テーブルである。
【図１５】リーチ無しハズレの特図変動演出の例示を表す図である。
【図１６】特図変動演出が開始してからリーチになるまでの様子を表す図である。
【図１７】Ｎリーチの例示を表す図である。
【図１８】Ｌリーチ又はＳＰリーチの例示を表す図である。
【図１９】保留変化予告が行われない場合の保留演出の例示を表す図である。
【図２０】保留変化予告が行われる場合の保留演出の例示を表す図である。
【図２１】大当たり遊技演出と保留連演出の例示を表す図である。
【図２２】主制御メイン処理のフローチャートである。
【図２３】メイン側タイマ割り込み処理のフローチャートである。
【図２４】センサ検出処理のフローチャートである。
【図２５】センサ検出処理のフローチャートであり、図２４の続きを表す図である。
【図２６】第２始動入賞コマンド特定処理のフローチャートである。
【図２７】第１始動入賞コマンド特定処理のフローチャートである。
【図２８】普通動作処理のフローチャートである。
【図２９】特別動作処理のフローチャートである。
【図３０】特別図柄待機処理のフローチャートである。
【図３１】特図１変動パターン判定処理のフローチャートである。
【図３２】特別図柄変動処理のフローチャートである。
【図３３】特別図柄確定処理のフローチャートである。
【図３４】サブ制御メイン処理のフローチャートである。
【図３５】１０ｍｓタイマ割り込み処理のフローチャートである。
【図３６】受信コマンド解析処理のフローチャートである。
【図３７】受信コマンド解析処理のフローチャートであり、図３６の続きを表す図である。
【図３８】保留演出判定処理のフローチャートである。
【図３９】保留連演出判定処理のフローチャートである。
【図４０】保留連演出判定処理のフローチャートであり、図３９の続きを表す図である。
【図４１】保留連演出判定処理のフローチャートであり、図４０の続きを表す図である。
【図４２】保留連演出判定処理のフローチャートであり、図４１の続きを表す図である。
【図４３】特図１保留用の保留演出パターン判定テーブルである。
【図４４】特図２保留用の保留演出パターン判定テーブルである。
【図４５】始動入賞変動パターンコマンド特定テーブルの変更例である。
【発明を実施するための形態】
【００１０】
＜第１実施形態＞
１．遊技機の構造
本発明の遊技機の第１実施形態であるパチンコ遊技機ＰＹ１について図面を用いて説明する。なお、以下の説明において、パチンコ遊技機ＰＹ１の各部の左右上下方向は、そのパチンコ遊技機ＰＹ１に対面する遊技者から見た（正面視の）左右上下方向のことである。また、パチンコ遊技機ＰＹ１の各部の前方向をパチンコ遊技機ＰＹ１から当該パチンコ遊技機ＰＹ１に対面する遊技者に近づく方向とし、パチンコ遊技機ＰＹ１の各部の後方向をパチンコ遊技機ＰＹ１に対面する遊技者から当該パチンコ遊技機ＰＹ１に近づく方向として、説明する。
【００１１】
図１に示すように、パチンコ遊技機ＰＹ１は、遊技機枠５０を備えている。後述するように、遊技機枠５０の内部には、遊技を行うための遊技盤ユニットＹＵ１が収納されている。遊技機枠５０は、遊技店に固定される外枠５１と、外枠５１に取り付けられ、後述する遊技盤ユニットＹＵ１が取り付けられる内枠５２と、内枠５２にヒンジ５４を介して回転自在に支持される前枠５３と、を備える。前枠５３は内枠５２に対して開閉が可能である。前枠５３の大体中央部には、透明のガラス板５５が取り付けられている。前枠５３が閉じられているとき、後述する遊技盤ユニットＹＵ１に含まれる遊技盤２とガラス板５５とが対面する。よって、パチンコ遊技機ＰＹ１が遊技店に設置されると、当該パチンコ遊技機ＰＹ１の前方にいる遊技者は、ガラス板５５を通して、遊技盤２に形成された遊技領域３を視認することができる。なお、ガラス板５５の代わりに透明な合成樹脂板等を用いてもよい。パチンコ遊技機ＰＹ１の前方から遊技領域３を視認可能であればよい。
【００１２】
前枠５３の前面の右下部には、遊技球を発射させるための回転操作が可能なハンドル６０が設けられている。ハンドル６０が操作された量（回転角度）が、遊技球を発射させるために遊技球に与えられる力の大きさ（発射強度）に対応付けられている。よって、遊技球は、ハンドル６０の回転操作に応じた発射強度で発射される。また、前枠５３の前面の下部には、前方に向けて大きく突出した上皿６１と、上皿６１の直下に配された下皿６２が設けられている。上皿６１の上面の奥側には、ハンドル６０に供給される遊技球を貯留するための供給球貯留凹部６１Ａが形成されている。また、下皿６２の上面には、供給球貯留凹部６１Ａに収容しきれない余剰の遊技球を貯留するための余剰球貯留凹部６２Ａが設けられている。
【００１３】
また、前枠５３の前面上部には上側装飾ユニット５６が設けられている。さらに、前枠５３の前面左部には、上皿６１の左端から上側装飾ユニット５６にかけて左側装飾ユニット５７が設けられている。加えて、前枠５３の前面右部には、上皿６１の右端から上側装飾ユニット５６にかけて右側装飾ユニット５８が設けられている。
【００１４】
右側装飾ユニット５８の上部には、音を出力可能なスピーカ１１が設けられている。なお、図１において図示されていないが、左側装飾ユニット５７の上部にも、右側装飾ユニット５８と左右対称となる位置に、音を出力可能なスピーカ１１が設けられている。
【００１５】
まあ、上側装飾ユニット５６の前面には、発光可能な枠ランプ１２が設けられている。枠ランプ１２は、左側から右側に向かって順番に第１発光部１２Ａ、第２発光部１２Ｂ、第３発光部１２Ｃ、および第４発光部１２Ｄを備えている。第１発光部１２Ａは正面視で「Ａ」字形状であり、第２発光部１２Ｂは正面視で「Ｂ」字形状であり、第３発光部１２Ｃは正面視で「Ｃ」字形状であり、第４発光部１２Ｄは正面視で「Ｄ」字形状である。
【００１６】
また、上皿６１の上面の供給球貯留凹部６１Ａより前方側には、下方に押下操作可能な半球型ボタン１７が設けられている。また、右側装飾ユニット５８の下部には、押下操作可能な剣型ボタン１８が設けられている。
【００１７】
次に、遊技盤ユニットＹＵ１について、主に図２を用いて説明する。遊技盤ユニットＹＵ１は、遊技盤２と、遊技盤２の背面に取り付けられた演出用ユニット５と、を有する。最初に、遊技盤２について説明する。遊技盤２は合成樹脂板で構成されている。遊技盤２の略中央には正面視略円形の開口部２Ａが形成されている。
【００１８】
遊技盤２の前面には、開口部２Ａに沿って、遊技領域３を区画するための略リング状の内側壁部２Ｂが前方に突出して形成されている。また、内側壁部２Ｂの外側には、遊技領域３を区画するための略リング状の外側壁部２Ｃが前方に突出して形成されている。さらに、外側壁部２Ｃは、略リング状に形成された第１外側壁部２Ｃ１と、第１外側壁部２Ｃ１の左側部分と内側壁部２Ｂとの間で、第１外側壁部２Ｃ１および内側壁部２Ｂに沿って形成された湾曲状の第２外側壁部２Ｃ２と、を備える。
【００１９】
そして、遊技盤２の前面において、内側壁部２Ｂ、第１外側壁部２Ｃ１および第２外側壁部２Ｃ２などで囲まれた領域が遊技領域３を形成している。すなわち、遊技盤２の前面が、内側壁部２Ｂ、第１外側壁部２Ｃ１および第２外側壁部２Ｃ２によって、遊技領域３とそれ以外の領域とに区切られている。また、第１外側壁部２Ｃ１と第２外側壁部２Ｃ２とで囲まれた領域は、発射された遊技球が遊技領域３へ向かうために通過可能な発射領域４を形成している。
【００２０】
遊技領域３は、ハンドル６０の操作によって発射された遊技球が流下可能な領域であり、パチンコ遊技機ＰＹ１で遊技を行うために設けられている。なお、遊技領域３には、多数の遊技用くぎ（図示なし）が突設されている。遊技用くぎは、遊技領域３に進入して遊技領域３を流下する遊技球を、後述する第１始動口２０、第２始動口２２、一般入賞口２７、ゲート２８、および大入賞口３０などに適度に誘導する経路を構成している。
【００２１】
遊技領域３における内側壁部２Ｂの中央直下には、上方が開放された第１始動口２０が形成された第１始動入賞装置２１が設けられている。
【００２２】
第１始動入賞装置２１は不動である。そのため、第１始動口２０は、遊技球の入球のし易さが変化せずに一定（不変）である。遊技球の第１始動口２０への進入（第１始動口２０への入球）は、第１特別図柄（以下、「特図１」という）の抽選（後述の特図１関連情報の取得と判定：以下、「特図１抽選」という）および特図１の可変表示の契機となっている。また、遊技球が第１始動口２０へ進入すると、所定個数（第１実施形態では、４個）の遊技球が賞球として払い出される。
【００２３】
遊技領域３における第１始動口２０の直下には、第２始動口２２が形成された第２始動入賞装置（所謂「電チュー」）２３が設けられている。
【００２４】
電チュー２３は、開閉可能な電チュー開閉部材２３Ｋを備えている。電チュー開閉部材２３Ｋの作動によって第２始動口２２が開閉する。電チュー開閉部材２３Ｋは正面視略正方形の平板からなり、通常は第２始動口２２を閉鎖している。電チュー開閉部材２３Ｋは下端を中心に、上端が前方へ倒れるように略９０度回転することができる。電チュー開閉部材２３Ｋが回転すると、電チュー開閉部材２３Ｋが遊技領域３に垂直に突出した状態になり、第２始動口２２が入球可能に開放する。このように、電チュー開閉部材２３Ｋが開状態であるときだけ遊技球の第２始動口２２への進入（第２始動口２２への入球）が可能となる。
【００２５】
第２始動口２２への遊技球の進入は、第２特別図柄（以下、「特図２」という）の抽選（以下、「特図２抽選」という）および特図２の可変表示の契機となっている。また、遊技球が第２始動口２２へ進入すると、所定個数（第１実施形態では、４個）の遊技球が賞球として払い出される。
【００２６】
また、遊技領域３における第１始動入賞装置２１の左側には、２つの一般入賞口２７が所定間隔をおいて設けられている。遊技球が一般入賞口２７へ進入すると、所定個数（第１実施形態では、７個）の遊技球が賞球として払い出される。
【００２７】
また、遊技領域３における電チュー２３の右斜め上方には、遊技球が通過可能なゲート２８が設けられている。遊技球のゲート２８の通過は、電チュー２３を開放するか否かを決定する普通図柄（以下、「普図」という）の抽選（以下、「普図抽選」という）および普通図柄の可変表示（すなわち普通図柄乱数の取得と判定）の契機となっている。
【００２８】
また、遊技領域３における第１始動入賞装置２１の右側でゲート２８の直下には、大入賞口３０が形成された大入賞装置３１が設けられている。
【００２９】
大入賞装置３１は、開状態と閉状態とをとるＡＴ開閉部材３１Ｋを備える。ＡＴ開閉部材３１Ｋの作動により大入賞口３０が開閉する。ＡＴ開閉部材３１Ｋは正面視略横長矩形状の平板からなる可動部材であり、通常は大入賞口３０が閉鎖している。ＡＴ開閉部材３１Ｋは下端を中心に、上端が前方へ倒れるように略９０度回転することができる。ＡＴ開閉部材３１Ｋが回転すると、ＡＴ開閉部材３１Ｋが遊技領域３に垂直に突出した状態になり、大入賞口３０が入球可能に開放する。このように、ＡＴ開閉部材３１Ｋが開状態であるときだけ遊技球の大入賞口３０への進入が可能となる。遊技球が大入賞口３０へ進入すると、所定個数（第１実施形態では、１４個）の遊技球が賞球として払い出される。
【００３０】
また、遊技領域３における大入賞装置３１の直下には、その上面が左斜め下方に形成され、遊技球を第２始動口２２へ誘導する誘導ステージ３７が遊技領域３（遊技盤２の前面）から前方に突出して設けられている。なお、誘導ステージ３７の上面を転動する遊技球は、第２始動口２２の方へ向かって流下可能であるが、基本的には第１始動口２０へ進入することはできない。
【００３１】
なお、第１始動口２０、第２始動口２２、大入賞口３０、および一般入賞口２７への遊技球の進入（入球）や、遊技球のゲート２８の通過をまとめて、第１始動口２０、第２始動口２２、大入賞口３０、一般入賞口２７、およびゲート２８への「入賞」と総称する。
【００３２】
ところで、遊技球が流下可能な遊技領域３は、左右方向の中央より左側の左遊技領域３Ａと、右側の右遊技領域３Ｂと、に分けることができる。遊技球が左遊技領域３Ａを流下するように遊技球を発射させるハンドル６０の操作態様を「左打ち」という。一方、遊技球が右遊技領域３Ｂを流下するように遊技球を発射させるハンドル６０の操作態様を「右打ち」という。パチンコ遊技機ＰＹ１において、左打ちにて遊技球を発射したときに遊技球が流下可能な流路を、第１流路Ｒ１といい、右打ちにて遊技球を発射したときに遊技球が流下可能な流路を、第２流路Ｒ２という。第１流路Ｒ１および第２流路Ｒ２は、不図示の多数の遊技用くぎなどによっても構成されている。
【００３３】
第１流路Ｒ１上には、第１始動口２０と、２つの一般入賞口２７と、が設けられている。よって、遊技者は、左打ちにより第１流路Ｒ１を流下するように遊技球を発射させることで、第１始動口２０、または、一般入賞口２７への入賞を狙うことができる。一方、第２流路Ｒ２上には、第２始動口２２と、ゲート２８と、大入賞口３０と、が設けられている。よって、遊技者は、右打ちにより第２流路Ｒ２を流下するように遊技球を発射させることで、ゲート２８、第２始動口２２、または大入賞口３０への入賞を狙うことができる。
【００３４】
なお、遊技領域３の略最下部には、遊技領域３へ打ち込まれたもののいずれの入賞口にも入賞しなかった遊技球を遊技領域３の外部へ排出する２つのアウト口２９が設けられている。
【００３５】
次に、遊技盤２の背面に取り付けられた演出用ユニット５について説明する。演出用ユニット５は、主に演出を行う複数の装置をユニット化したものである。演出用ユニット５には、画像表示装置７、および盤可動装置１３が搭載されている。
【００３６】
画像表示装置７は、２０インチの３Ｄ液晶ディスプレイで構成されており、３Ｄ画像を表示可能な表示部７ａを具備する。
【００３７】
盤可動装置１３は、動作可能な盤可動体１３Ｋを備える。盤可動体１３Ｋは、初期位置に配されている待機状態では、遊技盤２と画像表示装置７との間で隠れている。盤可動体１３Ｋは、待機状態において、その下端が、遊技盤２の開口部２Ａの上端から少しだけ下方に位置し、下端部の一部のみが遊技者から視認できるよう配されている。そして、盤可動体１３Ｋは、初期位置から所定の作動位置まで下降し、その作動位置から上昇して初期位置に戻ることができる。所定の作動位置としては、正面視で盤可動体１３Ｋが開口部２Ａの略中央につく位置である。ここで、所定の作業位置は適宜に設定可能であり、正面視で盤可動体１３Ｋが開口部２Ａの略中央より上方側におかれる位置であっても下方側におかれる位置であってもよい。
【００３８】
次に、遊技盤２の前面に形成された遊技領域３の上下方向略中央の右隣（遊技領域３以外の部分）に配置されている表示器類４０について説明する。図３に示すように、表示器類４０には、特図１を可変表示する特図１表示器４１１、特図２を可変表示する特図２表示器４１２、及び、普通図柄を可変表示する普図表示器４２が含まれている。また、表示器類４０には、後述する特図１保留数を表示する特図１保留表示器４３１、および後述する特図２保留数を表示する特図２保留表示器４３２が含まれている。
【００３９】
特図１の可変表示は、遊技球の第１始動口２０への入賞を契機とした特図１抽選が行われると実行される。また、特図２の可変表示は、遊技球の第２始動口２２への入賞を契機とした特図２抽選が行われると実行される。なお、以下の説明では、特図１および特図２を総称して「特図」といい、特図１抽選および特図２抽選を総称して「特図抽選」という。また、特図１表示器４１１および特図２表示器４１２を総称して「特図表示器４１」という。さらに、特図１保留表示器４３１および特図２保留表示器４３２を総称して「特図保留表示器４３」という。
【００４０】
特図表示器４１は、横並びに配された８個のＬＥＤから構成されている。特図表示器４１の点灯態様は、特図抽選の結果に応じた特図、すなわち特図抽選結果を表す。例えば特図抽選の結果が大当たりである場合には、最終的に「□□■■□□■■」（□：点灯、■：消灯）というように左から１，２，５，６番目にあるＬＥＤが点灯する。この点灯態様が大当たり図柄であり、大当たりを表す。また、特図抽選の結果がハズレである場合には、最終的に「■■■■■■■□」というように一番右にあるＬＥＤのみが点灯する。この点灯態様がハズレ図柄であり、ハズレを表す。なお、特図抽選の結果に対応するＬＥＤの点灯態様は限定されず、適宜に設定することができる。よって、例えば、ハズレ図柄として全てのＬＥＤを消灯させてもよい。
【００４１】
また、特図の可変表示において、特図が停止表示される前には所定の変動時間にわたって特図の変動表示がなされる。特図の変動表示の態様は、例えば左から右へ光が繰り返し流れるように各ＬＥＤが点灯する態様である。なお、変動表示の態様は、特に限定されず、各ＬＥＤが停止表示（特定の態様での点灯表示）されていなければ、全ＬＥＤが一斉に点滅するなど適宜に設定してよい。
【００４２】
ところで、パチンコ遊技機ＰＹ１では、遊技球が第１始動口２０または第２始動口２２へ入賞してもすぐに特図抽選および特図の可変表示が行われない場合がある。具体的には、特図の可変表示の実行中や大当たり遊技の実行中に遊技球の第１始動口２０または第２始動口２２への入賞があった場合である。この場合、所定個数を上限として、その入賞に基づいて特図抽選および特図の可変表示を実行する権利が留保される。この留保された権利のことを「特図保留」という。
【００４３】
特図保留には、第１始動口２０への入賞に基づいて留保された特図１抽選および特図１の可変表示を実行する権利を表す「特図１保留」と、第２始動口２２への入賞に基づいて留保された特図２抽選および特図２の可変表示を実行する権利を表す「特図２保留」と、がある。そして、特図１保留の数、すなわち留保されている特図１抽選および特図１の可変表示を実行する権利の数を特図１保留表示器４３１が表示する。一方、特図２保留の数、すなわち留保されている特図２抽選および特図２の可変表示を実行する権利の数を特図２保留表示器４３２が表示する。
【００４４】
特図１保留表示器４３１と特図２保留表示器４３２のそれぞれは、４個のＬＥＤで構成されており、特図保留数の分だけＬＥＤを点灯させることにより特図保留数を表示する。なお、以下において、特図１保留の数を「特図１保留数（Ｕ１）」といい、特図２保留数の数を「特図２保留数（Ｕ２）」という。また、「特図１保留数」や「特図２保留数」を総称して「特図保留数」という。さらに、「特図１保留表示器４３１」と「特図２保留表示器４３２」とを総称して「特図保留表示器４３」という。
【００４５】
また、普図の可変表示は、普図抽選の結果を報知する。普図の可変表示では、普図が変動表示したあと停止表示する。停止表示された普図（停止普図）は、可変表示の表示結果として導出された普図抽選の結果を表す識別情報である。停止表示された普図が予め定めた特定の普図である場合には、第２始動口２２（電チュー２３）の開放を伴う補助遊技が行われる。
【００４６】
普図表示器４２は、例えば２個のＬＥＤから構成されている。普図表示器４２の点灯態様は、普図抽選の結果に応じた普図、すなわち普図抽選結果を表す。普図抽選の結果が当たりである場合には、最終的には、「□□」（□：点灯、■：消灯）というように両ＬＥＤが点灯する。この点灯態様が当たり図柄であり、当たりを表す。また普図抽選の結果がハズレである場合には、最終的には、「■□」というように右のＬＥＤのみが点灯する。この点灯態様がハズレ図柄であり、ハズレを表す。なお、普図抽選の結果に対応するＬＥＤの点灯態様は限定されず、適宜に設定することができる。例えば、ハズレ図柄として全てのＬＥＤを消灯させる態様を採用してもよい。
【００４７】
また、普図が停止表示される前には所定の変動時間にわたって普図の変動表示が行われる。普図の変動表示の態様は、第１実施形態では、両ＬＥＤが交互に点灯するという態様である。なお、普図の変動表示の態様は、特に限定されず、各ＬＥＤが停止表示（特定の態様での点灯表示）されていなければ、全ＬＥＤが一斉に点滅するなど適宜に設定してもよい。
【００４８】
２．遊技機の電気的構成
次に、図４〜図５に基づいて、パチンコ遊技機ＰＹ１の電気的な構成を説明する。パチンコ遊技機ＰＹ１は、遊技利益を得ることが可能な遊技に関する制御（遊技の進行）を行う主制御基板８０、主制御基板８０による遊技の進行に応じた演出に関する制御を行うサブ制御基板９０、および、遊技球の払い出しに関する制御などを行う払出制御基板１１０等を備えている。主制御基板８０、サブ制御基板９０、および払出制御基板１１０等は、ユニット化されて演出用ユニット５の背面側に設置されている。
【００４９】
なお、主制御基板８０の制御対象となる遊技利益を獲得可能な遊技には、特図抽選、特図の可変表示、大当たり遊技、後述する遊技状態の設定、普図抽選、普図の可変表示、補助遊技などが含まれる。また、サブ制御基板９０の制御対象となる演出には、遊技演出（特図変動演出、保留演出、大当たり遊技演出、保留連演出など）、客待ち演出、半球型ボタン１７や剣型ボタン１８の操作が有効な期間（操作有効期間）において操作を促す操作促進演出などが含まれている。
【００５０】
また、主制御基板８０は、遊技の制御を行う遊技制御部と位置づけることができる。一方、サブ制御基板９０は、後述する画像制御基板１００、ランプ制御回路１０７、および音声制御回路１０６とともに、演出の制御を行う演出制御部と位置づけることができる。なお、演出制御部は、少なくともサブ制御基板９０を備え、演出装置（画像表示装置７、スピーカ１１、枠ランプ１２、および、盤可動装置１３等）を用いた遊技演出、客待ち演出、および操作促進演出などを制御可能であればよい。
【００５１】
また、パチンコ遊技機ＰＹ１は、電源基板１７０を備えている。電源基板１７０は、主制御基板８０、サブ制御基板９０、及び払出制御基板１１０に対して電力を供給するとともに、これらの基板を介してその他の機器に対して必要な電力を供給する。電源基板１７０には、電源スイッチ１７５が接続されている。電源スイッチ１７５のＯＮ／ＯＦＦ操作により、電源の投入／遮断が切り換えられる。
【００５２】
図４に示すように、主制御基板８０には、プログラムに従ってパチンコ遊技機ＰＹ１の遊技の進行を制御する遊技制御用ワンチップマイコン（以下「遊技制御用マイコン」）８１が実装されている。遊技制御用マイコン８１には、遊技の進行を制御するためのプログラムやテーブル等を記憶した遊技用ＲＯＭ（Ｒｅａｄ  Ｏｎｌｙ  Ｍｅｍｏｒｙ）８３、ワークメモリとして使用される遊技用ＲＡＭ（Ｒａｎｄｏｍ  Ａｃｃｅｓｓ  Ｍｅｍｏｒｙ）８４、遊技用ＲＯＭ８３に記憶されたプログラムを実行する遊技用ＣＰＵ（Ｃｅｎｔｒａｌ  Ｐｒｏｃｅｓｓｉｎｇ  Ｕｎｉｔ）８２が含まれている。
【００５３】
遊技用ＲＯＭ８３には、後述する主制御メイン処理やメイン側タイマ割り込み処理などを行うためのプログラムが格納されている。また、遊技用ＲＯＭ８３には、後述する大当たり判定テーブル、大当たり図柄種別判定テーブル、リーチ判定テーブル、特図変動パターン判定テーブル、始動入賞当否コマンド特定テーブル、始動入賞図柄コマンド特定テーブル、始動入賞変動パターンコマンド特定テーブル、大当たり遊技制御テーブル、遊技状態設定テーブル、当たり判定テーブル、補助遊技制御テーブルなどが格納されている。なお、遊技用ＲＯＭ８３は外付けであってもよい。
【００５４】
また、遊技用ＲＡＭ８４には、特図保留記憶部８５が設けられている。ここで、特図保留記憶部８５について説明する。前述の通り、遊技球の第１始動口２０または第２始動口２２への入賞があると、特図保留が発生可能であるが、特図保留が可能な場合、すなわち、特図保留数が上限値に達していないときには、この入賞に基づいて、特図抽選などを行うための各種乱数からなる判定情報が取得される。そして、この判定情報は、特図保留として特図保留記憶部８５に一旦記憶される。なお、以下において、遊技球の第１始動口２０への入賞により取得される判定情報のことを「特図１関連判定情報」といい、遊技球の第２始動口２２への入賞により取得される判定情報のことを「特図２関連判定情報」という。また、特図１関連情報と特図２関連情報とを総称して「特図関連判定情報」という。
【００５５】
そして、特図１関連判定情報は、特図１保留として、特図保留記憶部８５の中の特図１保留記憶部８５１に記憶される。一方、特図２関連判定情報は、特図２保留として、特図保留記憶部８５の中の特図２保留記憶部８５２に記憶される。特図１保留記憶部８５１に記憶可能な特図１関連判定情報の数、すなわち、特図１保留数の上限数は「４」に設定されている。また、特図２保留記憶部８５２に記憶可能な特図１関連判定情報の数、すなわち、特図２保留数の上限数は「４」に設定されている。なお、特図１保留数の上限数および特図２保留数の上限数は適宜に設定しても良い。また特図１保留数の上限数および特図２保留数の上限数を設けなくても良い。
【００５６】
また、主制御基板８０には、所定の中継基板（図示なし）を介して各種センサ類やソレノイド類が接続されている。そのため、主制御基板８０には、各種センサ類が出力した信号が入力する。また、主制御基板８０は、各種ソレノイド類に信号を出力する。
【００５７】
主制御基板８０に接続されている各種センサ類には、第１始動口センサ２０ａ、第２始動口センサ２２ａ、一般入賞口センサ２７ａ、ゲートセンサ２８ａ、および大入賞口センサ３０ａが含まれている。
【００５８】
第１始動口センサ２０ａは、第１始動口２０に入賞した遊技球を検知する。第２始動口センサ２２ａは、第２始動口２２に入賞した遊技球を検知する。一般入賞口センサ２７ａは、一般入賞口２７に入賞した遊技球を検知する。ゲートセンサ２８ａは、ゲート２８を通過した遊技球を検知する。大入賞口センサ３０ａは、大入賞口３０に入賞した遊技球を検知する。
【００５９】
また、主制御基板８０に接続されている各種ソレノイド類には、電チューソレノイド２３Ｓ、および大入賞口ソレノイド３１Ｓが含まれている。電チューソレノイド２３Ｓは、電チュー２３の電チュー開閉部材２３Ｋを駆動する。大入賞口ソレノイド３１Ｓは、大入賞装置３１のＡＴ開閉部材３１Ｋを駆動する。
【００６０】
さらに主制御基板８０には、表示器類４０（特図表示器４１、普図表示器４２、および、特図保留表示器４３）が接続されている。これらの表示器類４０の表示制御は、遊技制御用マイコン８１によりなされる。
【００６１】
また主制御基板８０は、払出制御基板１１０に各種コマンドを送信するとともに、払い出し監視のために払出制御基板１１０から信号を受信する。払出制御基板１１０には、カードユニット６４、貸球払出装置６５、および賞球払出装置６６、およびが接続されているとともに、発射装置６３が接続されている。なお、発射装置６３には、ハンドル６０が含まれる。また、カードユニット６４は、パチンコ遊技機ＰＹ１に隣接して設置され、挿入されているプリペイドカード等の情報に基づいて球貸しを可能にする装置である。
【００６２】
払出制御基板１１０は、遊技制御用マイコン８１からの信号や、接続されたカードユニット６４からの信号に基づいて、貸球払出装置６５の貸球モータ６５Ｍを駆動して貸球の払い出しを行ったり、賞球払出装置６６の賞球モータ６６Ｍを駆動して賞球の払い出しを行ったりする。払い出される貸球は、その計数のための貸球センサ６５ａにより検知される。また、払い出される賞球は、その計数のための賞球センサ６６ａにより検知される。
【００６３】
また、ハンドル６０には、遊技者などの人のハンドル６０への接触を検知可能なタッチスイッチ６３ａが設けられている。遊技者によるハンドル６０の操作があった場合には、タッチスイッチ６３ａが遊技者のハンドル６０への接触を検知し、発射制御回路１１１を介して検知信号を払出制御基板１１０に出力する。また、ハンドル６０には、ハンドル６０の回転角度（操作量）を検出可能な発射ボリュームつまみ６３ｂが接続されている。発射装置６３は、発射ボリュームつまみ６３ｂが検出したハンドル６０の回転角度に応じた強さで遊技球が発射されるよう発射モータ６３Ｍを駆動させる。なお、パチンコ遊技機ＰＹ１においては、ハンドル６０への回転操作が維持されている状態では、約０．６秒毎に１球の遊技球が発射されるようになっている。
【００６４】
また主制御基板８０は、遊技の進行に応じて、サブ制御基板９０に対し、遊技に関する情報を含んだ各種コマンドを送信する。サブ制御基板９０は、主制御基板８０から送られる各種コマンドに基づいて、主制御基板８０による遊技の進行状況（遊技の制御内容）を把握することができる。なお、主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００６５】
図５に示すように、サブ制御基板９０には、プログラムに従ってパチンコ遊技機ＰＹ１の演出を制御する演出制御用ワンチップマイコン（以下「演出制御用マイコン」）９１が実装されている。演出制御用マイコン９１には、主制御基板８０による遊技の進行に伴って演出を制御するためのプログラム等を記憶した演出用ＲＯＭ９３、ワークメモリとして使用される演出用ＲＡＭ９４、演出用ＲＯＭ９３に記憶されたプログラムを実行する演出用ＣＰＵ９２が含まれている。
【００６６】
また、演出用ＲＯＭ９３には、後述するサブ制御メイン処理、受信割り込み処理、１ｍｓタイマ割り込み処理、および、１０ｍｓタイマ割り込み処理などを行うためのプログラムが格納されている。また、演出用ＲＯＭ９３には、後述する保留演出パターン判定テーブルなどが格納されている。なお、演出用ＲＯＭ９３は外付けであってもよい。
【００６７】
さらに、演出用ＲＡＭ９４には、後述する第１始動入賞当否コマンドを記憶する第１始動入賞当否コマンド保留記憶部９５１、後述する第２始動入賞当否コマンドを記憶する第２始動入賞当否コマンド保留記憶部９５２、後述する第１始動入賞図柄コマンドを記憶する第１始動入賞図柄コマンド保留記憶部９６１、後述する第２始動入賞図柄コマンドを記憶する第２始動入賞図柄コマンド保留記憶部９６２、後述する第１始動入賞変動パターンコマンドを記憶する第１始動入賞変動パターンコマンド保留記憶部９７１、および後述する第２始動入賞変動パターンコマンドを記憶する第２始動入賞変動パターンコマンド保留記憶部９７２が設けられている。
【００６８】
なお、第１始動入賞当否コマンド保留記憶部９５１と第２始動入賞当否コマンド保留記憶部９５２とを合わせて「始動入賞当否コマンド保留記憶部９５」という。第１始動入賞図柄コマンド保留記憶部９６１と第２始動入賞図柄コマンド保留記憶部９６２とを合わせて「始動入賞図柄コマンド保留記憶部９６」という。第１始動入賞変動パターンコマンド保留記憶部９７１と第２始動入賞変動パターンコマンド保留記憶部９７２とを合わせて「始動入賞変動パターンコマンド保留記憶部９７」という。
【００６９】
サブ制御基板９０には、画像制御基板１００が接続されている。サブ制御基板９０の演出制御用マイコン９１は、主制御基板８０から受信したコマンドに基づいて、すなわち、主制御基板８０による遊技の進行に応じて、画像制御基板１００の画像用ＣＰＵ１０２に画像表示装置７の表示制御を行わせる。なお、サブ制御基板９０と画像制御基板１００との接続は、サブ制御基板９０から画像制御基板１００への信号の送信と、画像制御基板１００からサブ制御基板９０への信号の送信の双方が可能な双方向通信接続となっている。
【００７０】
画像制御基板１００は、画像制御のためのプログラム等を記憶した画像用ＲＯＭ１０３、ワークメモリとして使用される画像用ＲＡＭ１０４、及び、画像用ＲＯＭ１０３に記憶されたプログラムを実行する画像用ＣＰＵ１０２を備えている。また、画像制御基板１００は、画像表示装置７に表示される画像のデータを記憶したＣＧＲＯＭ（Ｃｈａｒａｃｔｅｒ  Ｇｅｎｅｒａｔｏｒ  Ｒｅａｄ  Ｏｎｌｙ  Ｍｅｍｏｒｙ）１４３、ＣＧＲＯＭ１４３に記憶されている画像データの展開等に使用されるＶＲＡＭ（Ｖｉｄｅｏ  Ｒａｎｄｏｍ  Ａｃｃｅｓｓ  Ｍｅｍｏｒｙ）１４４、及び、ＶＤＰ（Ｖｉｄｅｏ  Ｄｉｓｐｌａｙ  Ｐｒｏｃｅｓｓｏｒ）１４２を備えている。勿論、これらの電子部品の全部又は一部がワンチップで構成されていてもよい。ＣＧＲＯＭ１４３には、例えば、画像表示装置７に表示される画像を表示するための画像データ（静止画データや動画データ、具体的にはキャラクタ、アイテム、図柄、図形、文字、数字および記号等（演出図柄を含む）や背景画像等の画像データ）が格納されている。
【００７１】
ＶＤＰ１４２は、演出制御用マイコン９１からの指令に基づき画像用ＣＰＵ１０２によって作成されるディスプレイリストに従って、ＣＧＲＯＭ１４３から画像データを読み出してＶＲＡＭ１４４内の展開領域に展開する。そして、展開した画像データを適宜合成してＶＲＡＭ１４４内のフレームバッファに画像を描画する。そしてフレームバッファに描画した画像をＲＧＢ信号として画像表示装置７に出力する。これにより、種々の演出画像が表示部７ａに表示される。
【００７２】
なお、ディスプレイリストは、フレーム単位で描画の実行を指示するためのコマンド群で構成されている。ディスプレイリストには、描画する画像の種類、画像を描画する位置、表示の優先順位、表示倍率、画像の透過率等の種々のパラメータの情報が含まれている。
【００７３】
演出制御用マイコン９１は、主制御基板８０から受信したコマンドに基づいて、すなわち、主制御基板８０による遊技の進行に応じて、音声制御回路１０６を介してスピーカ１１から音声、楽曲、効果音等を出力する。
【００７４】
スピーカ１１から出力する音声等の音声データは、サブ制御基板９０の演出用ＲＯＭ９３に格納されている。なお、音声制御回路１０６を、基板にしてＣＰＵを実装してもよい。この場合、そのＣＰＵに音声制御を実行させてもよい。さらにこの場合、基板にＲＯＭを実装し、そのＲＯＭに音声データを格納してもよい。また、スピーカ１１を画像制御基板１００に接続し、画像制御基板１００の画像用ＣＰＵ１０２に音声制御を実行させてもよい。さらにこの場合、画像制御基板１００の画像用ＲＯＭ１０３に音声データを格納してもよい。
【００７５】
また、サブ制御基板９０には、所定の中継基板（図示なし）を介して、入力部となる各種スイッチ類や駆動源となる各種ソレノイド類やモータ類が接続されている。サブ制御基板９０には、各種スイッチ類が出力した信号が入力する。また、サブ制御基板９０は、各種ソレノイド類やモータ類に信号を出力する。
【００７６】
サブ制御基板９０に接続されている各種スイッチ類には、半球型ボタン検出スイッチ１７ａおよび剣型ボタン検出スイッチ１８ａが含まれている。半球型ボタン検出スイッチ１７ａは、半球型ボタン１７が押下操作されたことを検出する。剣型ボタン検出スイッチ１８ａは、剣型ボタン１８が押下操作されたことを検出する。ボタン検出スイッチ１７ａ、１８ａは、操作されたことを検出すると、その検出内容に応じた信号をサブ制御基板９０に出力する。
【００７７】
サブ制御基板９０に接続された各種モータ類には、盤可動体用モータ１３Ｍが含まれている。盤可動体用モータ１３Ｍは、盤可動体１３Ｋを駆動して、盤可動体１３Ｋを下降および上昇させることが可能である。詳細には演出制御用マイコン９１は、盤可動体１３Ｋの動作態様を決める動作パターンデータを作成し、ランプ制御回路１０７を介して、盤可動体１３Ｋの動作を制御する。
【００７８】
また、演出制御用マイコン９１は、主制御基板８０から受信したコマンドなどに基づいて、ランプ制御回路１０７を介して枠ランプ１２等の点灯制御を行う。詳細には演出制御用マイコン９１は、枠ランプ１２の発光態様を決める発光パターンデータ（点灯/消灯や発光色等を決めるデータ、ランプデータともいう）を作成し、発光パターンデータに従って枠ランプ１２の発光を制御する。なお、発光パターンデータの作成にはサブ制御基板９０の演出用ＲＯＭ９３に格納されているデータを用いる。
【００７９】
なお、ランプ制御回路１０７を基板にしてＣＰＵを実装してもよい。この場合、そのＣＰＵに、枠ランプ１２等の点灯制御、および、盤可動体１３Ｋの動作制御を実行させてもよい。さらにこの場合、基板にＲＯＭを実装して、そのＲＯＭに発光パターンや動作パターンに関するデータを格納してもよい。
【００８０】
３．主制御基板８０による遊技の説明
次に、主制御基板８０により行われる遊技について説明する。最初に普図に関わる遊技について説明する。主制御基板８０は、発射された遊技球がゲート２８に入賞すると、普図の可変表示または補助遊技が行われていないことを条件に、普図抽選を行う。主制御基板８０は、普図抽選を行うと、普図表示器４２において、普図の可変表示（変動表示を行った後に停止表示）を行う。ここで、停止表示される普図には、当たり図柄とハズレ図柄とがある。なお、普図のハズレ図柄については、後述する特図のハズレ図柄と区別をするために「ハズレ普図」ともいう。当たり図柄が停止表示されると補助遊技が実行されて、当該ゲート２８への入賞に係る遊技が終了する。一方、ハズレ普図が停止表示されると、補助遊技は行われず、当該ゲート２８への入賞に係る遊技が終了する。また、以下において、普図の可変表示または補助遊技が行われていないときに遊技球がゲート２８に入賞することを「普図変動始動条件の成立」という。
【００８１】
主制御基板８０は、このような一連の遊技（普図抽選、普図の可変表示、補助遊技）を行うにあたり、普図変動始動条件の成立により、普図関連判定情報を取得する。取得する普図関連判定情報には、図６（Ａ）に示すように、普通図柄乱数がある。普通図柄乱数は当たり判定を行うための乱数（判定情報）である。各乱数には、適宜に範囲が設けられている。具体的に、普通図柄乱数の範囲は、０〜６５５３５である。
【００８２】
次に、普図関連判定情報を用いて行われる各判定について説明する。最初に、当たり判定について説明する。当たり判定は、図７（Ａ）に示す当たり判定テーブルを用いて、当たりか否か（補助遊技を実行するか否か）を決定するための判定である。当たり判定テーブルは、後述する遊技状態に関連付けられている。すなわち、当たり判定テーブルには、非時短状態で用いる当たり判定テーブル（非時短用当たり判定テーブル）と、時短状態で用いる当たり判定テーブル（時短用当たり判定テーブル）と、がある。各当たり判定テーブルでは、当たり判定の結果である当たりとハズレに、普通図柄乱数の判定値（普通図柄乱数判定値）が振り分けられている。よって、主制御基板８０は、取得した普通図柄乱数を当たり判定テーブルに照合して、当たりかハズレかの当たり判定を行う。当たり判定の結果が当たりであると、基本的には、普図の可変表示で当たり図柄が停止表示される。一方、当たり判定の結果がハズレであると、基本的には、普図の可変表示でハズレ普図が停止表示される。
【００８３】
次に、普図の変動パターン判定（普図変動パターン判定）について説明する。普図変動パターン判定は、図７（Ｂ）に示す普図変動パターン判定テーブルを用いて、普図変動パターンを決定するための判定である。普図変動パターンは、普図変動時間などの普図の変動表示に関する所定事項に関する識別情報である。
【００８４】
普図変動パターン判定テーブルは、遊技状態（非時短状態／時短状態）に関連付けられている。すなわち、普図変動パターン判定テーブルには、非時短状態のときに用いられる普図変動パターン判定テーブル（非時短普図変動パターン判定テーブル）と時短状態のときに用いられる普図変動パターン判定テーブル（時短普図変動パターン判定テーブル）とがある。
【００８５】
各普図変動パターン判定テーブルには、普図変動パターン判定の結果である普図変動パターンが、停止される普通図柄毎に１つ格納されている。すなわち、主制御基板８０は、非時短状態においては、ハズレの普通図柄（ハズレ普図）を停止表示する場合の普図変動表示については普図変動時間が３０秒となる普図変動パターンに決定し、当たり図柄を停止表示する場合の普図変動表示については普図変動時間が３０秒となる普図変動パターンに決定する。また、主制御基板８０は、時短状態においては、ハズレ普図を停止表示する場合の普図変動表示については普図変動時間が５秒となる普図変動パターンに決定し、当たり図柄を停止表示する場合の普図変動表示については普図変動時間が５秒となる普図変動パターンに決定する。この判定で決定された普図変動パターンに対応付けられた普図変動時間の普図変動表示が、普図表示器４２で行われる。
【００８６】
このように、当たり判定、および、普図変動パターン判定が行われることによって、普図表示器４２において普図の可変表示が行われる。そして、普図の可変表示で、表示結果（普図抽選の結果）として、当たり図柄が停止表示（導出）されると、補助遊技が実行される。
【００８７】
補助遊技を構成する要素（補助遊技構成要素）には、電チュー２３が開放する回数、および各開放についての開放時間などの様々な要素が含まれている。そして、これらの各要素は、遊技状態（非時短状態／時短状態）に対応付けられている。主制御基板８０は、遊技状態（非時短状態／時短状態）に基づいて、図７（Ｃ）に示す補助遊技制御テーブルを用いて補助遊技を制御する。すなわち、補助遊技制御テーブルは、遊技状態（非時短状態／時短状態）に対応付けられている。各補助遊技制御テーブルには、補助遊技構成要素が格納されている。よって、主制御基板８０は、当たり図柄が停止表示されると、遊技状態に応じた補助遊技を実行する。ここで、遊技状態に応じた補助遊技について説明する。
【００８８】
非時短状態における補助遊技では、電チュー２３が１回開放する。このときの開放時間は０．２秒である。２よって、この補助遊技が実行されたときに遊技球を第２始動口２２に入賞させるのは困難である。なお、以下において、非時短状態における補助遊技のことを「ショート開放補助遊技」ともいう
【００８９】
時短状態における補助遊技では、電チュー２３が２回開放する。１回目の開放時間は２．５秒である。そして、１回目の開放が終了し、一旦電チュー２３が閉鎖してから１．０秒のインターバル時間を挟んで２回目の開放が行われる。２回目の開放時間は２．５秒である。よって、この補助遊技が実行されたときに遊技球を第２始動口２２に入賞させるのは容易である。なお、以下において、時短状態における補助遊技のことを「ロング開放補助遊技」ともいう。
【００９０】
次に、特図に関わる遊技について説明する。発射された遊技球が第１始動口２０に入賞すると、特図１保留数（Ｕ１）が４未満であることを条件に、特図１抽選を行う。特図１抽選が行われると、特図１表示器４１１において、特図１の可変表示（変動表示を行った後に停止表示）を行って、特図１抽選の結果を報知する。ここで、停止表示される特図１には、大当たり図柄およびハズレ図柄がある。すなわち、特図１抽選の結果には大当たり、およびハズレがある。大当たり図柄が停止表示されると大当たり遊技が実行され、新たな遊技状態が設定されて、当該入賞に基づく遊技が終了する。一方、ハズレ図柄が停止表示されると、大当たり遊技が行われず、当該入賞に基づく遊技が終了する。
【００９１】
同様に、発射された遊技球が第２始動口２２に入賞すると、特図２保留数（Ｕ２）が４未満であることを条件に、特図２抽選を行う。特図２抽選が行われると、特図２表示器４１２において、特図２の可変表示（変動表示を行った後に停止表示）を行って、特図２抽選の結果を報知する。ここで、停止表示される特図２には、大当たり図柄、およびハズレ図柄がある。すなわち、特図２抽選の結果には、大当たり、およびハズレがある。大当たり図柄が停止表示されると大当たり遊技が実行され、新たな遊技状態が設定されて、当該入賞に基づく遊技が終了する。一方、ハズレ図柄が停止表示されると大当たり遊技が行われず、当該入賞に基づく遊技が終了する。
【００９２】
なお、以下において、特図１保留数（Ｕ１）が４未満であるときに遊技球が第１始動口２０に入賞することを「第１始動条件の成立」といい、特図２保留数（Ｕ２）が４未満であるときに遊技球が第２始動口２２に入賞することを「第２始動条件の成立」という。また、「第１始動条件の成立」と「第２始動条件の成立」をまとめて「始動条件の成立」と総称する。また、特別図柄のハズレ図柄については、前述の普通図柄のハズレ図柄と区別するために「ハズレ特図」ともいう。
【００９３】
主制御基板８０は、このような一連の遊技（特図抽選、特図の可変表示、大当たり遊技、遊技状態の設定）を行うにあたり、始動条件の成立により、特図関連判定情報を取得し、当該特図関連判定情報について種々の判定を行う。取得する特図関連判定情報には、図６（Ｂ）に示すように、特別図柄乱数、大当たり図柄種別乱数、リーチ乱数および特図変動パターン乱数がある。
【００９４】
特別図柄乱数は大当たり判定を行うための乱数（判定情報）である。大当たり図柄種別乱数は大当たり図柄種別判定を行うための乱数（判定情報）である。リーチ乱数はリーチ判定を行うための乱数（判定情報）である。特図変動パターン乱数は特別図柄の変動パターン判定を行うための乱数（判定情報）である。各乱数には、適宜に範囲が設けられている。具体的に、特別図柄乱数の範囲は、０〜６５５３５である。大当たり図柄種別乱数の範囲は、０〜９である。リーチ乱数の範囲は、０〜９９である。特図変動パターン乱数の範囲は、０〜９９である。なお、各種乱数の範囲は、これらに限られず適宜に設定することができる。
【００９５】
次に、特図関連判定情報を用いて行われる各判定について説明する。最初に、大当たり判定について説明する。大当たり判定は、図８（Ａ）に示す大当たり判定テーブルを用いて、大当たりか否か（大当たり遊技を実行するか否か）を決定するための判定である。大当たり判定テーブルは、遊技状態、詳細には、後述する通常確率状態であるか高確率状態であるかに関連付けられている。すなわち、大当たり判定テーブルには、通常確率状態において用いられる大当たり判定テーブル（通常確率用大当たり判定テーブル）と高確率状態において用いられる大当たり判定テーブル（高確率用大当たり判定テーブル）とがある。
【００９６】
各大当たり判定テーブルでは、大当たり判定の結果である大当たり、およびハズレに、特別図柄乱数の判定値（特別図柄乱数判定値）が振り分けられている。主制御基板８０は、取得した特別図柄乱数を大当たり判定テーブルに照合して、大当たり、またはハズレの何れであるかを判定する。図８（Ａ）に示すように、高確率用大当たり判定テーブルの方が、通常確率用大当たり判定テーブルよりも、大当たりと判定される特別図柄乱数判定値が多く設定されている。
【００９７】
次に、大当たり図柄種別判定について説明する。大当たり図柄種別判定は、大当たり判定の結果が大当たりである場合に、図８（Ｂ）に示す大当たり図柄種別判定テーブルを用いて大当たり図柄の種別（大当たり図柄種別）を決定するための判定である。大当たり図柄の種別には、大当たりの内容、換言すれば、遊技者に付与される遊技特典（通常よりも遊技者に有利になる有利遊技状態の内容）などで構成される大当たりの構成要素が対応付けられている。
【００９８】
大当たり図柄種別判定テーブルは、可変表示される特別図柄の種別（特図１／特図２）、言い換えれば、当該大当たり図柄種別判定が起因する（当該大当たり図柄種別判定を発生させた）入賞が行われた始動口の種別（第１始動口２０／第２始動口２２）に関連付けられている。すなわち、大当たり図柄種別判定テーブルには、特図１の可変表示を行うときに用いられる大当たり図柄種別判定テーブル（第１大当たり図柄種別判定テーブル）と特図２の可変表示を行うときに用いられる大当たり図柄種別判定テーブル（第２大当たり図柄種別判定テーブル）とがある。
【００９９】
各大当たり図柄種別判定テーブルでは、大当たり図柄種別判定の結果である大当たり図柄種別に、大当たり図柄種別乱数の判定値（大当たり図柄種別乱数判定値）が振り分けられている。よって、主制御基板８０は、取得した大当たり図柄種別乱数を大当たり図柄種別判定テーブルに照合して、大当たり図柄の種別を判定する。
【０１００】
第１始動口２０に入賞した場合の（特図１に係る）大当たり図柄として、大当たり図柄Ａ、大当たり図柄Ｂ、および大当たり図柄Ｃの３種類の大当たり図柄が設けられている。一方、第２始動口２２に入賞した場合の（特図２に係る）大当たり図柄として、大当たり図柄Ｄ、および大当たり図柄Ｅの２種類の大当たり図柄が設けられている。そして、第１大当たり図柄種別判定テーブルおよび第２大当たり図柄種別判定テーブルでは、大当たり図柄種別乱数判定値が各種大当たり図柄に適宜に振り分けられている。
【０１０１】
なお、大当たりの当選確率および大当たり図柄種別の振分率（％）は図８（Ａ）および図８（Ｂ）に限られず、適宜に設定することができる。また、大当たり図柄の種別は、図８（Ｂ）に示す５種類の大当たり図柄に限らず、適宜に設定することができる。例えば、第１大当たり図柄種別判定テーブルにおいて、３種類より多い又は少ない種類の大当たり図柄が大当たり図柄種別乱数判定値に対応付けられていても良い。また、第２大当たり図柄種別判定テーブルにおいて、２種類より多い大当たり図柄が大当たり図柄種別乱数判定値に対応付けられていても良い。
【０１０２】
次に、リーチ判定について説明する。リーチ判定は、大当たり判定の結果がハズレである場合に、図８（Ｃ）に示すリーチ判定テーブルを用いてリーチを発生させるか否かを決定するための判定である。ここで、リーチについて説明するために、リーチの前提となる特図変動演出について説明する。
【０１０３】
特図の可変表示が行われると、当該特図の可変表示に応じて、特図変動演出が行われる。特図変動演出は、画像表示装置７、スピーカ１１、枠ランプ１２、盤可動装置１３、半球型ボタン１７、および剣型ボタン１８などの様々な演出装置を用いて行われる。特図変動演出では、画像表示装置７の表示部７ａにおいて、当該特図の可変表示に同期または略同期した演出図柄の可変表示が行われる。すなわち、特図の変動表示に伴って演出図柄の変動表示が行われ、特図の変動停止（停止表示）に伴って、演出図柄の変動停止（停止表示）が行われる。なお、演出図柄の可変表示が行われているときには、表示部７ａで行われる特図変動演出として、背景画像やキャラクタ画像などの演出図柄とは異なる演出画像（静止画や動画）の表示が行われる。
【０１０４】
演出図柄は、例えば、表示部７ａにおいて、相対的に左側に表示される左演出図柄ＥＺ１と、相対的に真ん中に表示される中演出図柄ＥＺ２と、相対的に右側に表示される右演出図柄ＥＺ３とで構成される（図１５など参照）。なお、以下において、左演出図柄ＥＺ１、中演出図柄ＥＺ２および右演出図柄ＥＺ３を総称する場合に「演出図柄ＥＺ１，ＥＺ２，ＥＺ３または演出図柄ＥＺ１〜ＥＺ３」という場合もある。
【０１０５】
演出図柄ＥＺ１，ＥＺ２，ＥＺ３はそれぞれ、遊技者が識別可能な複数の識別情報で構成される。第１実施形態では、演出図柄ＥＺ１，ＥＺ２，ＥＺ３は主に「１」〜「８」までの数字を含む図柄で構成される。そして、演出図柄ＥＺ１，ＥＺ２，ＥＺ３の変動表示においては、演出図柄ＥＺ１，ＥＺ２，ＥＺ３を構成する数字を含む図柄群が、正面視で上下方向に並んで表示部７ａの上から下にスクロールする。このとき、表示部７ａに表示され、視認される数字が次々に入れ替わる。
【０１０６】
なお、演出図柄ＥＺ１，ＥＺ２，ＥＺ３の変動表示の態様としては、上下方向にスクロールする態様に限られず、左右方向（例えば、右から左）にスクロールする態様など他の態様であってもよい。また、スクロール表示ではなく所定の定位置で演出図柄ＥＺ１，ＥＺ２，ＥＺ３を構成する数字を含む図柄群が次々に入れ替わる（例えば、その定位置で自転する）態様であってもよい。
【０１０７】
そして、特図が停止表示されるときに、演出図柄ＥＺ１，ＥＺ２，ＥＺ３が所定の配列（組み合わせ）で停止表示される。すなわち、変動表示において表示部７ａ内で次々に入れ替わっていた様々な数字を含む図柄が１つに特定される。このとき、停止表示した演出図柄ＥＺ１，ＥＺ２，ＥＺ３の組み合わせによって、特図表示器４１にて停止表示される特図、すなわち特図抽選の結果が、わかりやすく表示される。つまり遊技者は、一般的には特図抽選の結果を特図１表示器４１１や特図２表示器４１２により把握するのではなく、画像表示装置７の表示部７ａにて把握する。
【０１０８】
そして、リーチとは、特図変動演出において、演出図柄ＥＺ１，ＥＺ２，ＥＺ３を用いて遊技者に大当たりを期待させるための演出である。具体的に、リーチは、演出図柄ＥＺ１，ＥＺ２，ＥＺ３のうちでスクロール表示されている演出図柄が残り一つとなっている状態であって、スクロール表示されている演出図柄がどの図柄で停止表示されるか次第で大当たり当選を示す演出図柄の組み合わせとなる状態（例えば「５↓５」の状態）のことである（図１６（Ｄ）や図１７（Ａ）参照）。なお、リーチにおいてスクロール表示されていない演出図柄は、表示部７ａ内の所定位置で仮停止している。
【０１０９】
仮停止とは、所定の演出図柄が略所定位置で留まり（所定の演出図柄が表示部７ａ内に表示され続け）、すなわち、異なる演出図柄に入れ替わることはないものの、微小な変動（例えば、多少の上下方向の往復運動の繰り返し、また、多少の揺動の繰り返し、また、拡大と縮小の繰り返しなど）のことである。なお、仮停止の態様はこれらに限られず、適宜に設定しても良い。
【０１１０】
リーチ判定テーブルは、遊技状態（非時短状態／時短状態）に関連付けられている。すなわち、リーチ判定テーブルには、非時短状態のときに用いられるリーチ判定テーブル（非時短用リーチ判定テーブル）と時短状態のときに用いられるリーチ判定テーブル（時短用リーチ判定テーブル）とがある。
【０１１１】
非時短状態と時短状態についての詳細は後述するが、非時短状態と時短状態は、特別図柄の変動表示に要する時間（特図変動表示の開始時から表示結果の導出時までの時間：特図変動時間）に影響を及ぼす遊技状態であり、時短状態では、非時短状態よりも特図変動時間が短くなり易い。
【０１１２】
各リーチ判定テーブルでは、リーチ判定の結果である「リーチ有り（リーチを発生させる）」と「リーチ無し（リーチを発生させない）」に、リーチ乱数の判定値（リーチ乱数判定値）が振り分けられている。よって、主制御基板８０は、取得したリーチ乱数をリーチ判定テーブルに照合して、リーチ有りかリーチ無しか（リーチを発生させる否か）を判定する。図８（Ｃ）に示すように、非時短用リーチ判定テーブルの方が、時短用リーチ判定テーブルよりも、「リーチ有り（リーチを発生させる）」と判定されるリーチ乱数判定値が多く振り分けられている。
【０１１３】
リーチ判定の結果が「リーチ有り（リーチを発生させる）」であると、大抵の場合は特図変動演出でリーチが発生する。一方、リーチ判定の結果が「リーチ無し（リーチを発生させない）」であると、特図変動演出でリーチが発生しない。なお、以下において、大当たり判定の結果が「ハズレ」であることを前提に行われるリーチ判定の結果「リーチ有り（リーチを発生させる）」のことを「リーチ有りハズレ」といい、「リーチ無し（リーチを発生させない）」のことを「リーチ無しハズレ」ということもある。
【０１１４】
次に、特別図柄変動パターン判定について説明する。特別図柄変動パターン判定（特図変動パターン判定）は、大当たり判定の結果が大当たり、およびハズレの何れの場合にも、図９〜図１０に示す特別図柄の変動パターン判定テーブル（特図変動パターン判定テーブル）を用いて、特別図柄の変動表示の変動パターン（特図変動パターン）を決定するための判定である。
【０１１５】
特図変動パターンとは、特図変動時間や特図変動演出の演出フロー（演出内容）などに関する所定事項を識別するための識別情報である。なお、特図変動パターンには、特図変動時間や特図変動演出の演出フロー（演出内容）の他、大当たり判定の結果とリーチ判定の結果に関する情報も含まれている。
【０１１６】
特図変動パターン判定テーブルは、判定対象となる変動表示を行う特別図柄の種別（特図１／特図２）、言い換えれば、当該特図変動パターン判定が起因する入賞が行われた始動口の種別（第１始動口２０／第２始動口２２）に関連付けられている。すなわち、特図変動パターン判定テーブルは、特図１の変動表示を行うときに用いられる特図変動パターン判定テーブル（特図１変動パターン判定テーブル：図９）と、特図２の変動表示を行うときに用いられる特図変動パターン判定テーブル（特図２変動パターン判定テーブル：図１０）とに大別される。
【０１１７】
そして、特別図柄の種別に関連付けられた各特図変動パターン判定テーブルは、遊技状態（非時短状態／時短状態）にも関連付けられている。すなわち、特図１変動パターン判定テーブルには、非時短状態のときに用いられる特図１変動パターン判定テーブル（非時短用特図１変動パターン判定テーブル）と時短状態のときに用いられる特図１変動パターン判定テーブル（時短用特図１変動パターン判定テーブル）とがある。一方、特図２変動パターン判定テーブルについても同様に、非時短状態のときに用いられる特図２変動パターン判定テーブル（非時短用特図２変動パターン判定テーブル）と、時短状態のときに用いられる特図２変動パターン判定テーブル（時短用特図２変動パターン判定テーブル）と、がある。
【０１１８】
また、遊技状態（非時短状態／時短状態）に関連付けられた各特図変動パターン判定テーブルは、さらに、大当たり判定結果およびリーチ判定結果にも関連付けられている。すなわち、非時短用特図１変動パターン判定テーブルおよび非時短用特図２変動パターン判定テーブルにはそれぞれ、大当たり用、リーチ有りハズレ用、およびリーチ無しハズレ用がある。同様に、時短用特図１変動パターン判定テーブルおよび時短用特図２変動パターン判定テーブルにもそれぞれ、大当たり用、リーチ有りハズレ用、およびリーチ無しハズレ用がある。
【０１１９】
さらに、各リーチ無しハズレ用の特図１変動パターン判定テーブルは、特図保留数にも関連付けられている。具体的には、特図１保留数（Ｕ１）が０〜２のときに用いられるリーチ無しハズレ用の特図１変動パターン判定テーブルと、特図１保留数（Ｕ１）が３〜４のときに用いられるリーチ無しハズレ用の特図１変動パターン判定テーブルと、がある。また、リーチ無しハズレ用の特図２変動パターン判定テーブルは、特図保留数にも関連付けられている。具体的には、特図２保留数（Ｕ２）が０〜２のときに用いられるリーチ無しハズレ用の特図２変動パターン判定テーブルと、特図２保留数（Ｕ２）が３〜４のときに用いられるリーチ無しハズレ用の特図２変動パターン判定テーブルと、がある。
【０１２０】
以上のように特別図柄の種別や遊技状態などに関連付けられた各特図変動パターン判定テーブルでは、特図変動パターン判定の結果である特図変動パターンに、特図変動パターン乱数の判定値（特図変動パターン乱数判定値）が振り分けられている。よって、主制御基板８０は、取得した特図変動パターン乱数を特図変動パターン判定テーブルに照合して、特図変動パターンを判定する。そして、この判定で決定された特図変動パターンに応じた特図変動時間の特別図柄の変動表示が、特図表示器４１で行われる。
【０１２１】
そして、特別図柄の変動表示が行われているときに、特図変動パターンに基づいた特図変動演出が行われる。特図変動演出には、通常の通常特図変動演出と、通常特図変動演出よりも演出時間が長く、通常特図変動演出よりも大当たり期待度が高い特別特図変動演出とがある。
【０１２２】
また、特図変動パターンには、特図変動時間に基づいた特図変動演出の演出内容を構成する演出フローに関する情報が含まれている。この特図変動演出の演出フローは、図９〜図１０に示す特図変動パターン判定テーブルの右から３番目の項目に示している。ここで、特図変動パターンに関連づけられた特図変動演出の演出フローを構成する各演出について説明する。
【０１２３】
特図変動演出の演出フローを構成する演出として、通常変動、リーチ、ノーマルリーチ（Ｎリーチ）、発展演出、ロングリーチ（Ｌリーチ）、およびスペシャルリーチ（ＳＰリーチ）がある。
【０１２４】
通常変動は、基本的には、演出図柄が特別態様になることなく、１つ１つの演出図柄を認識困難な程度に高速で変動表示する演出のことである。そして、通常特図変動演出の全部分（演出図柄の変動開始から変動停止までの部分）、および、特別特図変動演出におけるリーチが成立（確定）するまでの部分が通常変動で構成されている。
【０１２５】
Ｎリーチは、通常変動を経てリーチが成立（確定）した直後に、当該リーチを構成する演出図柄が仮停止したその位置で所定時間（例えば、１０秒）維持された状態で、残り１つの演出図柄が減速していき、通常変動より低速で変動する演出である。Ｎリーチが示唆する大当たりの期待度は、通常変動より高く、後述するＬリーチおよびＳＰリーチよりも低い。Ｎリーチで特図変動演出が終了する場合、その低速で変動する残りの１つの演出図柄が停止する。ハズレの場合、残りの１つの演出図柄は、リーチを構成する演出図柄とは異なる演出図柄で停止する。Ｎリーチで特図変動演出が終了しない場合、残りの１つの演出図柄が再び高速で変動し、リーチが維持されたままＮリーチからＬリーチまたはＳＰリーチに発展する（切り替わる）。
【０１２６】
Ｌリーチは、成立したリーチが維持されるが、当該リーチを構成する演出図柄が縮小されると共に所定位置（例えば、左演出図柄ＥＺ１は表示部７ａの左上で、右演出図柄ＥＺ３は表示部７ａの右上）に移動した状態で、Ｌリーチ専用の背景画像が表示され（映像が流され）、Ｎリーチよりも長い時間行われる演出である。なお、Ｌリーチでは、主に表示部７ａにおいて２ＤＣＧによるアニメーション画像が表示される。Ｌリーチの演出内容としては、所定のキャラクタが街中で敵キャラクタとバトルするシーンが表示される（バトルする映像が表示部７ａで流れる）。
【０１２７】
ＳＰリーチは、成立したリーチが維持されるが、当該リーチを構成する演出図柄が縮小されると共に所定位置（例えば、左演出図柄ＥＺ１は表示部７ａの左上で、右演出図柄ＥＺ３は表示部７ａの右上）に移動した状態で、Ｌリーチ用の背景画像よりも長い時間の専用の背景画像が表示される（映像が流れる）演出である。なお、ＳＰリーチでは、主に表示部７ａにおいて３ＤＣＧ画像が表示される。そして、ＳＰリーチの演出内容としては、所定のキャラクタが敵の基地で敵キャラクタとバトルするシーンが表示される（バトルする映像が表示部７ａで流れる）。
【０１２８】
なお、Ｎリーチ、Ｌリーチ、およびＳＰリーチにおける「リーチが維持された状態」には、当該Ｎリーチ、Ｌリーチ、およびＳＰリーチにおいてずっとリーチを構成する演出図柄が表示部７ａで視認可能である状態だけではなく、例えば、専用の背景画像との関係で所定期間、当該リーチを構成する演出図柄が表示部７ａから視認困難または視認不可能な状態も含むものとする。
【０１２９】
また、図９〜図１０の表の右から２番目の欄に示すように、特図（大当たり判定結果）および特図変動演出の演出内容に関する情報を含む特図変動パターンについて、特図（大当たり判定結果）および特図変動演出の演出内容などに関連付けて名称を付すこととする。
【０１３０】
例えば、ハズレに係る特図変動パターン全般のことを「ハズレ変動」ともいい、大当たりに係る特図変動パターン全般のことを「大当たり変動」ともいう。また、リーチ有りハズレに係るハズレ変動のことを「リーチ有りハズレ変動」ともいい、リーチ無しハズレに係るハズレ変動のことを「リーチ無しハズレ変動」ともいう。また、大当たりおよびハズレに関係なくＳＰリーチが行われる特図変動パターンのことを「ＳＰリーチ変動」ともいう。さらに、大当たりおよびハズレに関係なくＬリーチが行われる特図変動パターンのことを「Ｌリーチ変動」ともいう。
【０１３１】
また、非時短状態で選択可能な通常Ａハズレ変動〜通常Ｃハズレ変動に係る特図変動演出の演出フローはともに通常変動のみで構成されているが、その特図変動パターンの特図変動時間が１３秒、８秒と４秒とで異なっている。同様に、時短状態で選択可能な短縮Ａハズレ変動と短縮Ｂハズレ変動に係る特図変動演出の演出フローもともに通常変動のみで構成されているが、その特図変動パターンの特図変動時間が６秒と３秒とで異なっている。
【０１３２】
以上のように、大当たり判定、大当たり図柄種別判定、リーチ判定、および特図変動パターン判定が行われることによって、特図表示器４１において特図の可変表示が行われる。
【０１３３】
そして、特図の可変表示で、表示結果（特別図柄抽選の結果）として、大当たり図柄が停止表示されると、次の特図の可変表示が行われず、引き続いて、大当たり遊技が実行される。次に、大当たり遊技について説明する。
【０１３４】
大当たり遊技は、大入賞口３０の開閉を伴う複数回のラウンド遊技と、大当たり遊技が開始してから初回のラウンド遊技が開始されるまでのオープニング（ＯＰとも表記する）と、最終回のラウンド遊技が終了してから大当たり遊技が終了するまでのエンディング（ＥＤとも表記する）とを含んでいる。
【０１３５】
各ラウンド遊技は、オープニングの終了又は前のラウンド遊技の終了によって開始し、次のラウンド遊技の開始又はエンディングの開始によって終了する。なお、以下において、所定回数目（所定の順番）のラウンド遊技を、単に「ラウンド」という。例えば、初回（１回目）のラウンド遊技のことを「１ラウンド（１Ｒ）」ともいい、１０回目のラウンド遊技のことを「１０ラウンド（１０Ｒ）」ともいう。
【０１３６】
このような大当たり遊技を構成する要素（大当たり遊技構成要素）には、ラウンド遊技の回数、各回のラウンド遊技における大入賞口３０の開放回数、各開放が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。
【０１３７】
そして、これらの各要素は、大当たり遊技制御テーブルに格納されている。図１１（Ａ）に示すように、大当たり遊技制御テーブルは、大当たり図柄の種別に対応付けられている。主制御基板８０は、停止表示された大当たり図柄の種別に対応付けられた大当たり遊技制御テーブルを用いて大当たり遊技を制御する。すなわち、主制御基板８０は、大当たり図柄が停止表示されると、停止表示された大当たり図柄の種別に応じた大当たり遊技を実行する。ここで、大当たり図柄の種別に応じた大当たり遊技について説明する。
【０１３８】
大当たり図柄Ａに応じた大当たり遊技では、ラウンド遊技が８回行われる。そして、１Ｒから８Ｒまでの各ラウンド遊技では、１回のラウンド遊技当たり最大で２９．５秒にわたって大入賞口３０が開放する。
【０１３９】
大当たり図柄Ｂ、および大当たり図柄Ｃに応じた大当たり遊技では、ラウンド遊技が４回行われる。そして、１Ｒから４Ｒまでの各ラウンド遊技では、１回のラウンド遊技当たり最大で２９．５秒にわたって大入賞口３０が開放する。
【０１４０】
大当たり図柄Ｄ、および大当たり図柄Ｅに応じた大当たり遊技では、ラウンド遊技が１６回行われる。そして、１Ｒから１６Ｒまでの各ラウンド遊技では、１回のラウンド遊技当たり最大で２９．５秒にわたって大入賞口３０が開放する。
【０１４１】
そして、主制御基板８０は、大当たり遊技の終了に伴って、当該大当たり遊技後の遊技状態を新たに設定する。新たに設定される遊技状態は、終了する大当たり遊技に係る大当たり図柄に対応付けられている。
【０１４２】
ここで、パチンコ遊技機ＰＹ１の遊技状態について説明する。パチンコ遊技機ＰＹ１の遊技状態として、大当たり判定において「大当たり」と判定される確率に係る遊技状態と、特図変動時間および第２始動口２２の開放の容易性に係る遊技状態とがある。前者には、通常確率状態と高確率状態とがある。一方、後者には、非時短状態と時短状態とがある。
【０１４３】
通常確率状態は、大当たり判定で大当たりと判定される確率が通常の確率である遊技状態である。一方、高確率状態は大当たり判定で大当たりと判定される確率が通常確率より高い高確率である遊技状態である。なお、パチンコ遊技機ＰＹ１で初めて電源投入されたときには通常確率状態が設定される。
【０１４４】
次に、非時短状態と時短状態について説明する。時短状態は、非時短状態に比べて、特図変動時間が短くなり易い遊技状態である。前述のように、時短状態では、非時短状態に比べて特図変動時間の短い特図変動パターンが選択され易いように設定された特図変動パターン判定テーブルを用いて、特図変動パターン判定が行われる。その結果、時短状態では、非時短状態に比べて特図保留の消化のペースが速くなり、始動口２０，２２への有効な入賞（特図保留として記憶され得る入賞）が発生しやすくなる。そのため、スムーズな遊技の進行のもとで大当たりを狙うことができる。
【０１４５】
また、時短状態は、非時短状態に比べて、普図変動時間が短くなり易い遊技状態でもある。第１実施形態では、普図変動時間は、遊技状態に関連付けられた普図変動パターン判定テーブルに基づいて決定される。具体的に、普図変動時間は、非時短状態においては３０．０秒に決定され、時短状態においては５．０秒に決定される。よって、時短状態の方が、単位時間当たりにおける普図抽選の実行回数が多くなる。
【０１４６】
さらに、時短状態は、非時短状態に比べて、１回の補助遊技における電チュー２３の開放時間が長くなり易い遊技状態でもある。これは、非時短状態では、１回の補助遊技で電チュー２３が０．２秒開放するのに対し、時短状態では、１回の補助遊技で電チュー２３が合計で５．０秒開放するからである。
【０１４７】
加えて、時短状態は、非時短状態に比べて、当たり判定で当たりと判定され易い遊技状態でもある。これは、非時短状態では、当たり判定において６６００／６６５３６の確率で当たりと判定されるのに対し、時短状態では、当たり判定において５９９３６／６６５３６の確率で当たりと判定されるからである。
【０１４８】
以上のことから、時短状態では、非時短状態に比べて、単位時間当たりの電チュー２３の開放時間が長くなるので、第２始動口２２への入賞がし易くなる。よって、発射球数に対する賞球数の割合であるベースが高くなる。そのため、ベースの高い時短状態では、所持する遊技球を大きく減らすことなく大当たり当選を狙うことができる。なお、パチンコ遊技機ＰＹ１で初めて電源投入されたときには非時短状態が設定される。
【０１４９】
なお、時短状態では、非時短状態に比べて、当たりに当選し易いこと、普図変動時間が短くなり易いこと、および１回の補助遊技における電チュー２３の開放時間が長くなり易いことからなる普図に係る遊技についての３つの点で、遊技者に有利に設定されるが、この遊技者に有利に設定される点はこれらの中の任意の一部であってもよい。最終的に、時短状態では、非時短状態に比べて、単位時間当たりの電チュー２３の開放時間が長くなり、第２始動口２２への入賞がし易くなればよい。
【０１５０】
また、パチンコ遊技機ＰＹ１で初めて電源投入された後の遊技状態は、通常確率状態且つ非時短状態であるが、この遊技状態を「通常遊技状態」ともいう。大当たり遊技中は、遊技状態が通常遊技状態に設定される。すなわち、大当たり遊技の開始に伴って、遊技状態がリセットされて、通常遊技状態が設定される。
【０１５１】
ここで、大当たり遊技後の遊技状態についての説明に戻す。前述の通り、新たに設定される遊技状態は、終了する大当たり遊技に係る大当たり図柄に対応付けられている。具体的には、大当たり図柄Ａ、大当たり図柄Ｂ、および大当たり図柄Ｄに対応付けられた新たな遊技状態は、高確率状態且つ時短状態である。すなわち、大当たり図柄Ａ、大当たり図柄Ｂ、または大当たり図柄Ｄが停止表示すると、大当たり遊技の後は、高確率状態且つ時短状態で遊技が進行する。一方、大当たり図柄Ｃ、および大当たり図柄Ｅに対応付けられた新たな遊技状態は、通常確率状態且つ時短状態である。すなわち、大当たり図柄Ｃ、または大当たり図柄Ｅが停止表示すると、大当たり遊技の後は、通常確率状態且つ時短状態で遊技が進行する。
【０１５２】
このように、大当たり当選に伴って、大当たり遊技後は新たな遊技状態にて遊技が進行するが、通常遊技状態に比べて遊技者に有利になる新たな遊技状態の期間は規定されている。具体的には、遊技者に有利な新たな遊技状態が設定されて、大当たりに当選することなく特図の可変表示が所定の規定回数、実行されると、遊技者に有利な遊技状態が終了する。この規定回数は、大当たり図柄の種別と、遊技状態の種別とに関連付けられている。
【０１５３】
大当たり図柄Ａ、大当たり図柄Ｂ、および大当たり図柄Ｄで高確率状態が設定される場合の規定回数は１６０回に設定されている。また、大当たり図柄Ａ、大当たり図柄Ｂ、および大当たり図柄Ｄで時短状態が設定される場合の規定回数は１６０回に設定されている。さらに、大当たり図柄Ｃ、および大当たり図柄Ｅで時短状態が設定される場合の規定回数は１００回に設定されている。
【０１５４】
そして、高確率状態が設定されて大当たり当選されることなく規定回数の特図の可変表示が実行されると、高確率状態が終了して通常確率状態に移行する。また、時短状態が設定されて大当たり当選されることなく規定回数の特図の可変表示が実行されると、時短状態が終了して非時短状態に移行する。
【０１５５】
なお、以下において、高確率状態に対する規定回数を「高確率規定回数」という。また、時短状態に対する規定回数を「時短規定回数」という。また、大当たり図柄Ｃ、および大当たり図柄Ｅに係る大当たり遊技後に通常確率状態で遊技が進行するが、この遊技状態についての規定回数は設定されていない。
【０１５６】
このように、大当たり図柄に応じて新たな遊技状態および規定回数が対応付けられている。主制御基板８０は、図１１（Ｂ）に示す遊技状態設定テーブルに基づいて、大当たり遊技後の新たな遊技状態、並びに高確率規定回数、および時短規定回数を設定する。
【０１５７】
以上のように、大当たりに当選すると、大当たり図柄の種別に応じた大当たり遊技が実行され、大当たり図柄の種別に応じた遊技状態および規定回数が設定される。大当たり遊技の種別、遊技状態の種別および規定回数は、遊技者の遊技利益となるので、大当たり図柄の種別は、遊技者に付与する遊技利益を表しているということができる。ここで、特図１抽選に係る大当たり図柄Ａ、大当たり図柄Ｂ、および大当たり図柄Ｃに係る遊技利益と、特図２抽選に係る大当たり図柄Ｄ、および大当たり図柄Ｅに係る遊技利益とを比べると、大当たり遊技に係る出玉性能の点から特図２抽選の方が遊技者に有利といえる。
【０１５８】
また、大当たりの遊技利益に着目し、大当たり遊技後に高確率状態で遊技が進行させる大当たりのことを「高確率大当たり」ともいう。さらに、大当たり遊技後に高確率状態且つ時短状態で遊技が進行させる大当たりのことを「確変大当たり」ともいう。加えて、大当たり遊技後に通常確率状態且つ時短状態で遊技が進行させる大当たりのことを「時短大当たり」ともいう。
【０１５９】
ところで、主制御基板８０は、遊技球が始動口２０、２２に入賞して、特図関連判定情報を取得すると、一旦、遊技用ＲＡＭ８４の特図保留記憶部８５とは異なる領域（例えば、バッファ）に記憶し、当該特図関連判定情報に基づいて始動入賞コマンドを特定してサブ制御基板９０に送信する。始動入賞コマンドは、始動入賞当否コマンド、始動入賞図柄コマンド、および始動入賞変動パターンコマンドで構成されている。
【０１６０】
なお、始動入賞コマンド、始動入賞当否コマンド、始動入賞図柄コマンド、および始動入賞変動パターンコマンドは、そのコマンドを発生させた遊技球が入賞した始動口の種別（第１始動口２０／第２始動口２２）によって分けられる。遊技球が第１始動口２０に入賞して特定された始動入賞コマンド、始動入賞当否コマンド、始動入賞図柄コマンド、および始動入賞変動パターンコマンドを「第１始動入賞コマンド」、「第１始動入賞当否コマンド」、「第１始動入賞図柄コマンド」、および「第１始動入賞変動パターンコマンド」という。一方、遊技球が第２始動口２２に入賞して特定された始動入賞コマンド、始動入賞当否コマンド、始動入賞図柄コマンド、および始動入賞変動パターンコマンドを「第２始動入賞コマンド」、「第２始動入賞当否コマンド」、「第２始動入賞図柄コマンド」、および「第２始動入賞変動パターンコマンド」という。
【０１６１】
始動入賞当否コマンドは、特別図柄乱数に基づいて特定され、大当たりかハズレかの情報（以下、「当否情報」という）と、当該始動入賞に係る始動口の種別（第１始動口２０／第２始動口２２）に関する情報（始動口情報）が含まれている。当否情報は、取得した特別図柄乱数を用いて現在の遊技状態で大当たり判定した場合の大当たり判定結果が関連付けられている。
【０１６２】
始動入賞当否コマンドは、図１２に示す始動入賞当否コマンド特定テーブルに照合することで特定される。始動入賞当否コマンド特定テーブルは、まずは特別図柄乱数の取得に起因する始動口の種別（第１始動口２０／第２始動口２２）に関連付けられている。さらに始動入賞当否コマンド特定テーブルは、現在の大当たり判定に係る遊技状態（通常確率状態／高確率状態）に関連付けられている。なお、以下において、第１始動口２０に関連付けられた始動入賞当否コマンド特定テーブルのことを「第１始動入賞当否コマンド特定テーブル」といい、第２始動口２２に関連付けられた始動入賞当否コマンド特定テーブルのことを「第２始動入賞当否コマンド特定テーブル」という。
【０１６３】
各テーブルにおいて、特別図柄乱数が、通常確率状態でも高確率状態でも大当たりと判定される第１当否グループ（各テーブルの１番上）と、通常確率状態ではハズレと判定されるが高確率状態であれば大当たりと判定される第２当否グループ（各テーブルの真ん中）と、通常確率状態でも高確率状態でもハズレと判定される第３当否グループ（各テーブルの１番下）と、に振り分けられている。そして、各テーブルの各当否グループに、各グループを識別可能な始動入賞当否コマンドが対応付けられている。
【０１６４】
第１当否グループに属する特別図柄乱数は、何れの遊技状態であっても大当たりと判定されるので、各テーブルの第１当否グループに対応付けられた始動入賞当否コマンドには、当該コマンドが起因する特別図柄乱数で大当たり判定が行われると必ず大当たりと判定される、すなわち大当たりが確定しているという情報が含まれている。そこで、何れのテーブルの第１当否グループに対応付けられた始動入賞当否コマンドのことを、「確定大当たり情報」ともいう。
【０１６５】
また、第３当否グループに属する特別図柄乱数は、何れの遊技状態であってもハズレと判定されるので、各テーブルの第３当否グループに対応付けられた始動入賞当否コマンドには、当該コマンドが起因する特別図柄乱数で大当たり判定が行われると必ずハズレと判定される、すなわちハズレが確定しているという情報が含まれている。そこで、何れのテーブルの第３当否グループに対応付けられた始動入賞当否コマンドのことを、「確定ハズレ情報」ともいう。
【０１６６】
ここで、第２当否グループについては第１当否グループおよび第３当否グループと取り扱いが異なる。第２当否グループに属する特別図柄乱数は、始動入賞当否コマンド特定テーブルが異なっていても、通常遊技状態であるとハズレと判定され、高確率状態であると大当たりと判定されることは共通している。しかし、現在の遊技状態が通常確率状態であれば、その状態で大当たり判定が行われればハズレと判定されることになる一方、現在の遊技状態が高確率状態であれば、その状態で大当たり判定が行われると大当たりと判定されることになる。
【０１６７】
よって、通常確率状態に係るテーブルの第２当否グループに対応付けられた始動入賞当否コマンドは、この始動入賞当否コマンドに係る特別図柄乱数に基づいて大当たり判定が行われる前に高確率状態になれば大当たりを示すが、現時点ではハズレを示す情報である。つまり、この始動入賞当否コマンドは、基本的にはハズレを表す情報となる。これに対して、高確率確率状態に係るテーブルの第２当否グループに対応付けられた始動入賞当否コマンドは、この始動入賞当否コマンドに係る特別図柄乱数に基づいて大当たり判定が行われる前に通常確率状態になればハズレを示すが、現時点では大当たりを示す情報である。つまり、この始動入賞当否コマンドは、基本的には大当たりを表す情報となる。そこで、前者の第２当否グループに係る始動入賞当否コマンドのことを「暫定ハズレ情報」ともいい、後者の第２当否グループに係る始動入賞当否コマンドのことを「暫定大当たり情報」ともいう。
【０１６８】
なお、以下において、「確定大当たり情報」と「暫定大当たり情報」とを総称して「大当たり情報」といい、「確定ハズレ情報」と「暫定ハズレ情報」とを総称して「ハズレ情報」という。
【０１６９】
また、始動入賞当否コマンドは、図１２に示すように、始動口２０、２２の種別を識別するための１バイトのＭＯＤＥデータと、当否情報を識別するための１バイトのＤＡＴＡデータとで構成されている。しかしながら、始動入賞当否コマンドのデータ構造はこれに限られず、例えば、始動入賞当否コマンドであることを識別するための１バイトのＭＯＤＥデータと、当否情報を識別するための１バイトのＤＡＴＡデータとで構成させても良い。この場合、当否情報を識別するための１バイトのＤＡＴＡデータは、第１始動口２０へ入賞したことに基づく始動入賞当否コマンドと第２始動口２２へ入賞したことに基づく始動入賞当否コマンドとで共通にしても異ならせても良い。
【０１７０】
次に、始動入賞図柄コマンドについて説明する。始動入賞図柄コマンドは、大当たり図柄種別乱数に基づいて特定され、大当たり図柄に関する情報（以下、「図柄情報」という）が含まれている。図柄情報は、取得した大当たり図柄種別乱数を用いて大当たり図柄種別判定した場合の大当たり図柄種別判定結果に関連付けられている。
【０１７１】
始動入賞図柄コマンドは、図１３に示す始動入賞図柄コマンド特定テーブルに照合することで特定される。始動入賞図柄コマンド特定テーブルは、まずは大当たり図柄種別乱数の取得に起因する始動口の種別（第１始動口２０／第２始動口２２）に関連付けられている。なお、以下において、第１始動口２０に関連付けられた始動入賞図柄コマンド特定テーブルのことを「第１始動入賞図柄コマンド特定テーブル」といい、第２始動口２２に関連付けられた始動入賞図柄コマンド特定テーブルのことを「第２始動入賞図柄コマンド特定テーブル」という。
【０１７２】
第１始動入賞図柄コマンド特定テーブルにおいては、大当たり図柄種別乱数が、第１始動口２０に係る大当たり図柄判定テーブルと同様に、大当たり図柄Ａと判定される第１図柄グループ（テーブルの１番上）と、大当たり図柄Ｂと判定される第２図柄グループ（テーブルの真ん中）と、大当たり図柄Ｃと判定される第３図柄グループ（テーブルの１番下）と、で振り分けられている。一方、第２始動入賞図柄コマンド特定テーブルにおいては、大当たり図柄種別乱数が、第２始動口２２に係る大当たり図柄判定テーブルと同様に、大当たり図柄Ｄと判定される第４図柄グループ（テーブルの１番上）と、大当たり図柄Ｅと判定される第５図柄グループ（テーブルの１番下）と、で振り分けられている。
【０１７３】
そして、各図柄グループに、各図柄グループを識別可能な始動入賞図柄コマンドが対応付けられている。なお、詳細は後述するが、始動入賞図柄コマンドの特定は、始動入賞当否コマンドが確定大当たり情報、暫定大当たり情報、および暫定ハズレ情報であった場合に行われる。
【０１７４】
なお、始動入賞図柄コマンドは、図１３に示すように、始動入賞図柄コマンドを識別するための１バイトのＭＯＤＥデータと、図柄情報を識別するための１バイトのＤＡＴＡデータとで構成されている。しかしながら、始動入賞当否コマンドのデータ構造はこれに限られず、適宜に設定しても良い。
【０１７５】
次に、始動入賞変動パターンコマンドについて説明する。始動入賞変動パターンコマンドは、リーチ乱数および特図変動パターン乱数に基づいて特定され、特図変動パターンに関する情報（以下、「特図変動パターン情報」という）と、当該始動入賞に係る始動口の種別（第１始動口２０／第２始動口２２）に関する情報が含まれている。特図変動パターン情報は、取得したリーチ乱数および特図変動パターン乱数を用いて特図変動パターン判定した場合の特図変動パターン判定結果に相当する。
【０１７６】
始動入賞変動パターンコマンドは、図１４に示す始動入賞変動パターンコマンド特定テーブルに照合することで特定される。始動入賞変動パターンコマンド特定テーブルは、まずは特別変動パターン乱数の取得に起因する始動口の種別（第１始動口２０／第２始動口２２）に関連付けられている。さらに始動口の種別に関連付けられた各始動入賞変動パターンコマンド特定テーブルは、現在の特図変動時間や第２始動口２２への入賞容易性に係る遊技状態（非時短確率状態／時短状態）に関連付けられている。加えて、始動入賞変動パターンコマンド特定テーブルは、当否情報に関連付けられている。なお、以下において、第１始動口２０に関連付けられた始動入賞変動パターンコマンド特定テーブルのことを「第１始動入賞変動パターンコマンド特定テーブル」といい、第２始動口２２に関連付けられた始動入賞変動パターンコマンド特定テーブルのことを「第２始動入賞変動パターンコマンド特定テーブル」という。
【０１７７】
確定ハズレ情報および暫定ハズレ情報に係る始動入賞変動パターンコマンド特定テーブルにおいては、まずはリーチ乱数が、リーチ判定テーブルと同様に、リーチ有りと判定されるグループと、リーチ無しと判定されるグループと、に振り分けられている。そして、リーチ有りと判定されるグループに対しては、特図変動パターン判定テーブルと同様に、特図変動パターン乱数が各特図変動パターンと判定されるグループに振り分けられている。一方、リーチ無しと判定されるグループに対しては、特図変動パターン判定テーブルと異なり、一様に振り分けられている。
【０１７８】
一方、確定大当たり情報および暫定大当たり情報に係る始動入賞変動パターンコマンド特定テーブルにおいては、そのまま、特図変動パターン判定テーブルと同様に、特図変動パターン乱数が各特図変動パターンと判定されるグループに振り分けられている。そして、各テーブルの各グループに、各グループを識別可能な始動入賞変動パターンコマンドが対応付けられている。
【０１７９】
なお、始動入賞変動パターンコマンドは、図１４に示すように、始動口２０、２２の種別を識別するための１バイトのＭＯＤＥデータと、変動パターン情報を識別するための１バイトのＤＡＴＡデータとで構成されている。しかしながら、始動入賞変動パターンコマンドのデータ構造はこれに限られず、例えば、始動入賞変動パターンコマンドであることを識別するための１バイトのＭＯＤＥデータと、変動パターン情報を識別するための１バイトのＤＡＴＡデータとで構成させても良い。
【０１８０】
４．サブ制御基板９０による演出の説明
前述のように、主制御基板８０は、遊技球が始動口２０、２２に入賞することによって、特図抽選、特図の可変表示、大当たり遊技などを行う。そして、サブ制御基板９０は、これらの主制御基板８０が行う遊技の内容に応じて、種々の演出を実行する。以下に、サブ制御基板９０により行われる種々の演出の具体例について図１５〜図２１を用いて説明する。
【０１８１】
４−１．特図変動演出
最初に、特図可変表示に応じた特図変動演出について説明する。
【０１８２】
サブ制御基板９０は、特別図柄の可変表示が開始されると、特別図柄の可変表示に係る特図変動パターンおよび特図抽選結果（大当たり判定結果、大当たり図柄種別判定結果、リーチ判定結果、および、特図変動パターン判定結果）などに基づいて、特図変動演出を制御する。特図変動演出では、表示部７ａにおいて、所定の背景画像に重畳的に、演出図柄の可変表示が行われる。演出図柄の可変表示では、演出図柄が変動した後に停止する。すなわち、特図変動時間、演出図柄の変動表示が行われた後に、当該変動が停止して、演出図柄の停止表示が行われる。演出図柄の変動表示が行われているときには、大当たりに当選したことの可能性（所謂「大当たり期待度」）が示唆されることがある。そして、演出図柄の停止表示によって特図抽選の結果が報知される。
【０１８３】
次に、特図変動演出の具体例について説明する。例えば、図１５（Ａ）に示すように、表示部７ａにおいて、通常用背景画像Ｇ１００の上に、左演出図柄ＥＺ１、中演出図柄ＥＺ２および右演出図柄ＥＺ３が停止表示されており、特別図柄の変動表示が行われていない状態から、特別図柄の変動表示が開始されると、図１５（Ｂ）に示すように、その開始に伴って演出図柄ＥＺ１，ＥＺ２，ＥＺ３の変動表示が開始される。そして、この新たに開始された特別図柄の変動表示の特図変動パターンがリーチ無しハズレ変動（例えば、通常Ａハズレ変動）であると、リーチが発生することなく、特別図柄の変動表示の終了（特別図柄の停止表示）に伴って、リーチ無しハズレに特有なハズレ目（所謂「バラケ目」）で演出図柄ＥＺ１，ＥＺ２，ＥＺ３の停止表示が行われる。演出図柄ＥＺ１，ＥＺ２，ＥＺ３の停止表示に向けて、例えば、最初に図１５（Ｃ）に示すように、左演出図柄ＥＺ１が表示部７ａの上下方向略中央位置で仮停止し、次に図１５（Ｄ）に示すように、右演出図柄ＥＺ３が表示部７ａの上下方向略中央位置で仮停止し、さらに、図１５（Ｅ）に示すように、中演出図柄ＥＺ２が表示部７ａの上下方向略中央位置で仮停止する。そして、最後に、表示部７ａの上下方向略中央位置で水平方向に並んだ状態で仮停止している演出図柄ＥＺ１，ＥＺ２，ＥＺ３が、図１５（Ｆ）に示すように、そのまま一斉に完全に停止し、停止が確定する（演出図柄ＥＺ１，ＥＺ２，ＥＺ３の停止表示が行われる）。
【０１８４】
なお、図１５の例では、演出図柄ＥＺ１，ＥＺ２，ＥＺ３の停止表示が行われる際に、左演出図柄ＥＺ１→右演出図柄ＥＺ３→中演出図柄ＥＺ２の順で演出図柄が仮停止したが、仮停止する態様はこれに限られず、適宜に設定することができる。
【０１８５】
次に、リーチが発生する場合の特図変動演出について説明する。この場合も前述のリーチ無しの場合と同様に、表示部７ａにおいて、図１６（Ａ）に示すように、左演出図柄ＥＺ１、中演出図柄ＥＺ２および右演出図柄ＥＺ３が停止表示されている状態から、特別図柄の変動表示が開始されて、図１６（Ｂ）に示すように、演出図柄ＥＺ１，ＥＺ２，ＥＺ３の変動表示が開始するとする。そして、例えば図１６（Ｃ）に示すように、数字「５」からなる左演出図柄ＥＺ１が表示部７ａの上下方向略中央位置で仮停止し、次に、図１６（Ｄ）に示すように、同一の数字「５」からなる右演出図柄ＥＺ３が表示部７ａの上下方向略中央位置で水平方向に並んで仮停止して、リーチになる（リーチが発生または成立する）。
【０１８６】
なお、図１６の例では、リーチが発生する際に、左演出図柄ＥＺ１→右演出図柄ＥＺ３の順で演出図柄が仮停止したが、仮停止する態様はこれに限られず、適宜に設定することができる。また、リーチを構成する演出図柄の数字も「５」に限られない。また、仮停止する位置も表示部７ａの上下方向略中央位置に限られない。また、リーチを構成する演出図柄が並ぶ方向も水平方向に限られず斜め方向など他の方向であってもよい。
【０１８７】
次に、リーチが成立した後に、リーチが保持された状態で行われる演出（リーチ演出）について説明する。図１６（Ｄ）に示すように、リーチが成立すると、その時点からＮリーチが開始される。Ｎリーチでは、図１７（Ａ）に示すように、リーチが成立した状態が所定時間（例えば、１０秒）維持される。Ｎリーチが開始されると、図１７（Ｂ）に示すように、通常態様の高速で変動表示（スクロール）をしている中演出図柄ＥＺ２が徐々に減速していく。
【０１８８】
ここで、実行中の特図変動演出がＮリーチで終了する場合は、このＮリーチの状態から、中演出図柄ＥＺ２が表示部７ａの上下方向略中央位置で仮停止して特図抽選の結果に応じた演出図柄の停止表示が行われる。実行中の特図変動演出が起因する特図抽選の抽選結果が「ハズレ」であると、ハズレを示す演出図柄の停止表示が行われる。この特図変動演出では、リーチが発生しているので、図１７（Ｃ−１）に示すように、リーチを構成する数字とは異なる数字（図１７（Ｃ−１）において「４」）からなる中演出図柄ＥＺ２が仮停止する。そして、特別図柄の変動表示の終了（特別図柄の停止表示）に伴って、図１７（Ｄ）に示すように、仮停止状態が完全な停止状態になり、リーチ有りハズレに特有なハズレ目で左演出図柄ＥＺ１、中演出図柄ＥＺ２および右演出図柄ＥＺ３の停止表示が行われる。
【０１８９】
また、Ｎリーチで特図変動演出が終了しない場合、言い換えれば、ＬリーチやＳＰリーチに発展する場合は、図１７（Ｃ−２）に示すように、例えばＮリーチで終了する場合の中演出図柄ＥＺ２が仮停止するタイミングと大体同じタイミングで、中演出図柄ＥＺ２が再び通常態様の（高速で）変動表示を行い、ＬリーチやＳＰリーチへと発展する。
【０１９０】
ＮリーチからＬリーチに発展すると、仮停止している左演出図柄ＥＺ１が縮小しながら表示部７ａの左上に移動すると共に、仮停止している右演出図柄ＥＺ３が縮小しながら表示部７ａの右上に移動する（図１８（Ａ−１）参照）。また、通常用背景画像Ｇ１００からＬリーチ専用の背景画像（Ｌリーチ用背景画像）Ｇ１０１に切り替わる（図１８（Ａ−１）参照）。Ｌリーチ用背景画像Ｇ１０１は、街中で主人公キャラと敵キャラとがバトルする２ＤＣＧによる映像（シーン）で構成されている。
【０１９１】
一方、ＮリーチからＳＰリーチに発展する場合も、Ｌリーチと同様に、仮停止している左演出図柄ＥＺ１が縮小しながら表示部７ａの左上に移動すると共に、仮停止している右演出図柄ＥＺ３が縮小しながら表示部７ａの右上に移動する（図１８（Ａ−２）参照）。また、通常用背景画像Ｇ１００からＳＰリーチ専用の背景画像（ＳＰリーチ用背景画像）Ｇ１０２に切り替わる（図１８（Ａ−２）参照）。ＳＰリーチ用背景画像Ｇ１０２は、敵のアジトで主人公キャラと敵キャラとがバトルする３ＤＣＧによる映像（シーン）で構成されている。
【０１９２】
そして、ＬリーチであってもＳＰリーチであっても、ハズレであると、最終的には図１８（Ｂ−１）に示すように、Ｌリーチ用背景画像Ｇ１０１またはＳＰリーチ用背景画像Ｇ１０２から通常用背景画像Ｇ１００に切り替わると共に、ハズレを示す演出図柄ＥＺ１，ＥＺ２，ＥＺ３の停止表示が行われ、次の特図変動演出が行われる。一方、大当たりであると、ＬリーチであってもＳＰリーチであっても、最終的には図１８（Ｂ−２）に示すように、Ｌリーチ用背景画像Ｇ１０１またはＳＰリーチ用背景画像Ｇ１０２から通常用背景画像Ｇ１００に切り替わると共に、大当たりを示す演出図柄ＥＺ１，ＥＺ２，ＥＺ３の停止表示が行われ、大当たり遊技演出が行われる。
【０１９３】
４−２．保留演出
次に、特図１保留に応じた保留演出について説明する。
【０１９４】
前述したように、第１始動口２０に遊技球が入賞し、特図１関連判定情報を取得したとしても、その時に特図可変表示が実行されている場合、または、大当たり遊技が実行されている場合は、その取得した特図１関連判定情報に基づいて即座に特図１可変表示を開始させることができない。
【０１９５】
そのような場合は、主制御基板８０は、特図１関連判定情報を遊技用ＲＡＭ８４の特図１保留記憶部８５１に記憶し、特図１可変表示を保留する。特図１可変表示が保留されると、言い換えれば、特図１保留が発生すると、サブ制御基板９０は、当該特図１保留を表す保留演出を行う。
【０１９６】
具体的には、主制御基板８０が取得した特図１関連判定情報に基づいて、当否情報を含む始動入賞当否コマンド、図柄情報を含む始動入賞図柄コマンド、および特図変動パターン情報を含む始動入賞変動パターンコマンドを特定して、サブ制御基板９０に送信する。サブ制御基板９０は、送信された始動入賞当否コマンド、始動入賞図柄コマンド、および始動入賞変動パターンコマンドに基づいて保留演出を実行する。
【０１９７】
保留演出は、図１９（Ａ）に示すように、表示部７ａの下端部における略中央の一区画に形成された保留表示領域７３ａにおいて行われる。保留表示領域７３ａは、保留表示領域７３ａを左右方向に４つに略均等に分割した第１領域７３ａ１、第２領域７３ａ２、第３領域７３ａ３、および、第４領域７３ａ４で構成されている。すなわち、保留表示領域７３ａにおいて、第１領域７３ａ１〜第４領域７３ａ４が左端から右端に向けて順に並んで設けられている。
【０１９８】
第１領域７３ａ１には、保留されている特図１保留の中で最も先に発生し、その特図１保留に対応する特図１関連判定情報に基づいて最も先に特図１可変表示が行われる特図１保留を表す保留アイコンが表示される。同様に、第２領域７３ａ２〜第４領域７３ａ４には、保留されている特図１保留の中で２〜４番目に発生し、その特図１保留に対応する特図１関連判定情報に基づいて２〜４番目に特図１可変表示が行われる特図１保留を表す保留アイコンが表示される。
【０１９９】
なお、以下において、第１領域７３ａ１に表示される保留アイコンに対応する特図１保留のことを「保留順１の特図１保留」と称する。同様に、第２領域７３ａ２、第３領域７３ａ３、および第４領域７３ａ４に表示される保留アイコンに対応する特図１保留のことを「保留順２の特図１保留」、「保留順３の特図１保留」、および「保留順４の特図１保留」と称する。すなわち、存在している特図１保留について、発生した順に「保留順１」〜「保留順４」と称する。
【０２００】
また、保留表示領域７３ａの左隣には、当該変動表示領域７４ａが形成されている。当該変動表示領域７４ａには、現在実行中の特図１変動表示を表す変動アイコンが表示される。よって、当該変動表示領域７４ａに表示される変動アイコンが示す対象は、保留表示領域７３ａに表示される保留アイコンが示す対象と異なり、厳密には、特図１保留に応じた「保留演出」には含まれないが、保留アイコンの表示と変動アイコンの表示とは関連性を有しているので、以下においては、保留アイコンの表示と変動アイコンの表示とをまとめて、「保留演出」とする。また、保留アイコンと変動アイコンとをまとめて、単に「アイコン」と称する。
【０２０１】
なお、図１９（Ａ）において保留表示領域７３ａおよび当該変動表示領域７４ａは破線で明示されているが、これは保留表示領域７３ａおよび当該変動表示領域７４ａの範囲を表すために記載したものであり、実際には表示されていない。また、以下の保留演出の説明については、保留表示領域７３ａおよび当該変動表示領域７４ａは記載しない。
【０２０２】
次に、保留演出の具体例について説明する。前提として、現在、特図１変動表示中（特図変動演出中）であり、特図１保留数（Ｕ１）が「２」であるとする。この状況下において、図１９（Ｂ）に示すように、前述した不図示の第１領域７３ａ１において、保留順１の特図１保留を表した保留アイコンＨＡ２が表示され、前述した不図示の第２領域７３ａ２において、保留順２の特図１保留を表した保留アイコンＨＡ３が表示されている。また、前述した不図示の当該変動表示領域７４ａには、現在実行中の特図１変動表示を表す変動アイコンＨＡ１が表示されている。なお、図１９（Ｂ）で表示されているアイコンＨＡ１〜ＨＡ３の表示態様は通常態様である。
【０２０３】
このように、保留演出においては、特図１保留が発生した順に保留表示領域７３ａの左端から右に並んで表示される。すなわち、保留されている特別図柄の可変表示、言い換えれば、特図１保留記憶部８５１に記憶されている特図１関連判定情報に基づく未実行の特図１可変表示は、個別に保留アイコンで表示される。
【０２０４】
そして、図１９（Ｃ）に示すように、演出図柄ＥＺ１，ＥＺ２，ＥＺ３の停止表示が行われると、その直前まで実行中の特図１変動表示を表していた変動アイコンＨＡ１が消去される。続けて、保留アイコンＨＡ２を表す特図１保留に基づいて特図１可変表示（特図変動演出）が開始されると、保留アイコンＨＡ２と保留アイコンＨＡ３がシフトする。具体的には、第１領域７３ａ１に表示されていた保留アイコンＨＡ２は不図示の当該変動表示領域７４ａに移動し、第２領域７３ａ２に表示されていた保留アイコンＨＡ３は不図示の第１領域７３ａ１に移動する。すなわち、表示されていた保留アイコンＨＡ２および保留アイコンＨＡ３がそれぞれ１つずつ左にシフトする。これは、保留アイコンＨＡ２に対応する特別図柄の可変表示が開始され、保留アイコンＨＡ３が表す特図１保留が、現在保留されている特図１保留の中で最も先に発生した特図１保留になり、次に開始される特図可変表示になったことに応じて、保留アイコンＨＡ２および保留アイコンＨＡ３を現在の状況に適応させるためである。
【０２０５】
また、当該変動表示領域７４ａに表示されている保留アイコンＨＡ２は、実行中の特図１変動表示を表しているので、当該変動表示領域７４ａに表示される際に変動アイコンＨＡ２となる。すなわち、「アイコン」の前に付く言葉として、保留表示領域７３ａに表示されているアイコンについては「保留」とし、当該変動表示領域７４ａに表示されているアイコンについては「変動」とする。換言すれば、保留アイコンが表示されているときに、該保留アイコンが示す特図１保留に対して特図１変動表示の開始条件が成立すると、該開始条件の成立に係る特図１変動表示に対応する保留アイコンが変動アイコンとして表示される。また、保留アイコンから変動アイコンになる際に、言い換えると、アイコンは保留表示領域７３ａから当該変動表示領域７４ａに移動する際に、約２倍に拡大する。
【０２０６】
そして、この状況から第１始動口２０に遊技球が入賞して、特図１保留が発生すると、図１９（Ｅ）に示すように、当該特図１保留の発生に応じて、新たな保留アイコンＨＡ４が前述した不図示の第２領域７３ａ２に表示される。
【０２０７】
ところで、前述のとおり、始動入賞コマンドには当否情報、図柄情報、および特図変動パターン情報が含まれている。そして、サブ制御基板９０は、始動入賞コマンドに基づいて保留演出を実行するが、当否情報、図柄情報、および特図変動パターン情報に基づいて、保留アイコンを何れの表示態様で表示するかを判定する。表示態様には、通常態様と特別態様とがある。さらに特別態様は、特別態様１〜特別態様４の４種類がある。そして、保留アイコンを特別態様で表示することを「保留変化予告」という。
【０２０８】
保留変化予告は、特図１可変表示が保留されている事前の段階から大当たり期待度を示唆する演出（所謂「先読み演出」）である。サブ制御基板９０は、当否情報、図柄情報、および特図変動パターン情報に基づいて、所定の確率で保留アイコンを特別態様で表示する。このように、保留アイコンの表示態様が特別態様であると、遊技者は、その保留アイコンに対応した特図１可変表示で大当たりに当選できるかもしれないという期待を持つことができる。
【０２０９】
次に、保留変化予告について説明する。保留変化予告の具体例として、図１９（Ｅ）に示す保留アイコンＨＡ４の表示態様が特別態様になるとする。
【０２１０】
保留変化予告の１つの種別として、保留アイコンが通常態様で表示された直後に特別態様になる、言い換えれば、特図１保留の発生時（第１始動口２０への入賞時）に保留変化予告が行われる保留変化予告がある。例えば、図２０（Ａ）に示すように、保留アイコンＨＡ４が表示される前の状況（図１９（Ｄ）の状況）から、第１始動口２０に遊技球が入賞して、特図１保留が発生すると、図２０（Ｂ）に示すように、当該特図１保留の発生に応じて、通常態様（図２０（Ｂ）において白色）の保留アイコンＨＡ４が前述した不図示の第２領域７３ａ２に表示されるが、その直後に、図２０（Ｃ）に示すように、保留アイコンＨＡ４の表示態様が通常態様から特別態様（図２０（Ｃ）において灰色）に変化する（保留変化予告が行われる）。なお、図２０の例では保留アイコンＨＡ４は表示直後に一瞬通常態様で表示されるが、いきなり特別態様で表示されるようにし、通常態様で表示される期間をなくしてもよい。
【０２１１】
以上、特図１保留に応じた保留演出について説明したが、例えば、第２始動口２２へ入賞させて特図２可変表示を中心に行う時短状態においては、上述の特図１保留に応じた保留演出と同様に、特図２保留に応じた保留演出が行われる。特図２保留に応じた保留演出に係るアイコンの表示態様は特図１保留に応じた保留演出と同一であっても異なっていても良い。また、特別態様の種類も、特図１保留に応じた保留変化予告と同一であっても異なっていても良い。
【０２１２】
４−３．大当たり遊技演出、および保留連演出
次に、大当たり遊技に基づく大当たり遊技演出、および特図２保留に基づく保留連演出について説明する。
【０２１３】
サブ制御基板９０は、大当たり遊技が開始されると、大当たり遊技演出を開始する。大当たり遊技演出は、ラウンド遊技が開始される前のオープニングにおいて、大当たり遊技が開始されることを報知するオープニング演出と、主としてラウンド遊技中に鑑賞するラウンド遊技演出と、ラウンド遊技が終了した後のエンディングにおいて、大当たり遊技が終了することを報知するエンディング演出と、を含む。なお、詳細は以下に説明するが、大当たり遊技演出を構成する演出は、これらの演出に限られない。
【０２１４】
大当たり遊技が開始されると、最初に、オープニング演出が開始される。オープニング演出は、大当たり遊技が開始してからオープニングが終了するまで行われる。オープニング演出においては、例えば、図２１（Ａ）に示すように、表示部７ａの略中央にて、大当たり遊技が開始された旨を示す大当たり遊技開始報知画像Ｇ１が表示される。大当たり遊技開始報知画像Ｇ１には、「○×ＢＯＮＵＳ」というようにその大当たり遊技のタイトルが含まれている。
【０２１５】
なお、大当たり遊技開始報知画像Ｇ１は、大当たり遊技の種別に応じて設定しても良い。例えば、１６回のラウンド遊技が行われる大当たり遊技（大当たり図柄Ｄ、Ｅに係る大当たり遊技）であれば大当たり遊技開始報知画像Ｇ１にタイトル「ＳＵＰＥＲ  ＢＯＮＵＳ」を含ませ、８回のラウンド遊技が行われる大当たり遊技（大当たり図柄Ａに係る大当たり遊技）であれば大当たり遊技開始報知画像Ｇ１にタイトル「ＢＩＧ  ＢＯＮＵＳ」を含ませ、４回のラウンド遊技が行われる大当たり遊技（大当たり図柄Ｂ、Ｃに係る大当たり遊技）であれば大当たり遊技開始報知画像Ｇ１にタイトル「ＢＯＮＵＳ」を含ませても良い。
【０２１６】
また、オープニング演出においては、右打ちを行うことが望ましいことを報知する右打ち報知演出が行われる。右打ち報知演出では、図２１（Ａ）に示すように、表示部７ａの右上にて、右打ちを行うことが望ましいことを報知する右打ち報知画像Ｇ２が表示される。右打ち報知画像Ｇ２は、右向きの矢印（図２１（Ａ）において、黒色の右向き矢印）で構成されている。
【０２１７】
次に、ラウンド遊技が開始されると、ラウンド遊技演出が開始される。図２１（Ｂ−１）は、１ラウンドにおいて表示部７ａで行われるラウンド遊技演出の例示を表している。全てのラウンド遊技を通したラウンド遊技演出として、大当たり遊技の種別に応じたラウンド遊技用背景画像Ｇ１０３が表示部７ａの全体に表示される。なお、ラウンド遊技演出が開始されても引き続き右打ち報知演出が行われる。右打ち報知画像Ｇ２は、オープニング演出のときと同じ位置でラウンド遊技用背景画像Ｇ１０３に重畳的に表示される。
【０２１８】
また、ラウンド遊技演出において、実行中のラウンド遊技のラウンド数を示すラウンド数報知演出が実行される。ラウンド遊技演出として、ラウンド遊技用背景画像Ｇ１０３に重畳的に、ラウンド数を示すラウンド数画像Ｇ３（図２１（Ｂ−１）において「ＲＯＵＮＤ  ０１」）が表示部７ａの右打ち報知画像Ｇ２の左隣に表示される。ラウンド数画像Ｇ３の数字の部分（図２１（Ｂ−１）において「０１」）がラウンド数を表している。なお、ラウンド数画像Ｇ３の数字の部分は、表示されている限り、新たなラウンド遊技の開始に応じて更新される。
【０２１９】
次に、保留連演出について説明する。保留連演出は、大当たり遊技中に、大当たり当選が確定している特図２保留があることを報知する演出である。前述のように、大当たり遊技が実行された後には低確率状態または高確率状態で遊技が進行するが、その大当たり遊技後の遊技状態を加味して大当たり当選が確定している特図２保留がある場合には、大当たり遊技中に保留連演出が実行される。よって、大当たり遊技後の遊技状態を加味して大当たり当選が確定している特図２保留があることが保留連演出の実行条件となる。保留連演出の実行条件が成立している場合は、ラウンド遊技において保留連演出が実行される。
【０２２０】
保留連演出は、対象となる大当たりが確変大当たりである場合の確変保留連演出と、対象となる大当たりが時短大当たりである場合の時短保留連演出と、に分かれる。確変保留連演出は、星の図形で構成される保留連演出画像Ｇ４の表示と、特定の効果音の出力とで構成される。
【０２２１】
確変保留連演出は、ラウンド遊技の開始に伴って開始される。確変保留連演出が実行される場合は、ラウンド遊技が開始されると、表示部７ａの右端のほぼ中央に保留連演出画像Ｇ４が表示されると共に、スピーカ１１から特定の効果音が出力される。図２１（Ｂ−２）は、表示部７ａにおいてラウンド遊技演出などと保留連演出が実行されている様子を表している。一方、図２１（Ｂ−１）は、表示部７ａにおいて保留連演出が実行されずにラウンド遊技演出などが実行されている様子を表している。なお、この保留連演出画像Ｇ４は、ラウンド遊技が終了するまで表示され続ける。
【０２２２】
時短保留連演出も、ラウンド遊技の開始に伴って開始される。時短保留連演出が実行される場合は、ラウンド遊技が開始されると、確変保留連演出の場合と同じ位置に保留連演出画像Ｇ４が表示される。なお、この保留連演出画像Ｇ４は、ラウンド遊技が終了するまで表示され続ける。
【０２２３】
５．遊技制御用マイコン８１による遊技の制御
［主制御メイン処理］
次に図２２〜図３３に基づいて遊技制御用マイコン８１による遊技の制御について説明する。なお、以下において説明する遊技制御用マイコン８１による遊技の制御において登場するカウンタ、タイマ、フラグ、ステータス、バッファ等は、遊技用ＲＡＭ８４に設けられている。また、カウンタの初期値は「０」であり、フラグの初期値は「０」つまり「ＯＦＦ」であり、ステータスの初期値は「１」である。
【０２２４】
主制御基板８０に備えられた遊技制御用マイコン８１は、パチンコ遊技機ＰＹ１が電源投入されると、遊技用ＲＯＭ８３から図２２に示した主制御メイン処理のプログラムを読み出して実行する。同図に示すように、主制御メイン処理では、まず、電源投入時処理(S001)を行う。電源投入時処理では、遊技用ＲＡＭ８４へのアクセスの許可設定、遊技用ＣＰＵ８２の設定、ＳＩＯ（Ｓｙｓｔｅｍ  Ｉｎｐｕｔ／Ｏｕｔｐｕｔ）、ＰＩＯ（Ｐａｒａｌｌｅｌ  Ｉｎｐｕｔ／Ｏｕｔｐｕｔ）、ＣＴＣ（Ｃｏｕｎｔｅｒ／Ｔｉｍｅｒ  Ｃｉｒｃｕｉｔ：割り込み時間の管理のための回路）の設定等が行われる。
【０２２５】
電源投入時処理に次いで、割り込みを禁止し(S002)、普通図柄・特別図柄主要乱数更新処理(S003)を実行する。この普通図柄・特別図柄主要乱数更新処理(S003)では、普図関連判定情報および特図関連判定情報に係る種々の乱数のカウンタ値を１加算して更新する。各乱数のカウンタ値は上限値に達すると「０」に戻って再び加算される。なお各乱数のカウンタの初期値は「０」以外の値であってもよく、ランダムに変更されるものであってもよい。また各乱数のうちの少なくとも一部は、カウンタＩＣ等からなる公知の乱数生成回路を利用して生成される所謂ハードウェア乱数であってもよい。
【０２２６】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期で遊技用ＣＰＵ８２に繰り返し入力される割り込みパルスに基づいて実行される。すなわち、メイン側タイマ割り込み処理(S005)は４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による種々の乱数のカウンタ値の更新処理が繰り返し実行される。なお、割り込み禁止状態のときに遊技用ＣＰＵ８２に割り込みパルスが入力された場合は、メイン側タイマ割り込み処理(S005)はすぐには開始されず、割り込み許可(S004)がされてから開始される。
【０２２７】
［メイン側タイマ割り込み処理］
次に、メイン側タイマ割り込み処理(S005)について説明する。図２３に示すように、メイン側タイマ割り込み処理(S005)では、まず出力処理(S101)を実行する。出力処理(S101)では、以下に説明する各処理において主制御基板８０の遊技用ＲＡＭ８４に設けられた出力バッファにセットされたコマンド等を、サブ制御基板９０や払出制御基板１１０等に出力する。
【０２２８】
出力処理(S101)に次いで行われる入力処理(S102)では、遊技制御用マイコン８１は、余剰球貯留凹部６２Ａの満杯を検出する下皿満杯スイッチからの検出信号を取り込み、下皿満杯データとして遊技用ＲＡＭ８４の出力バッファに記憶する。
【０２２９】
次に行われる普通図柄・特別図柄主要乱数更新処理(S103)は、図２２の主制御メイン処理で行う普通図柄・特別図柄主要乱数更新処理(S003)と同じである。即ち、普図関連判定情報および特図関連判定情報に係る各種乱数のカウンタ値の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【０２３０】
普通図柄・特別図柄主要乱数更新処理(S103)に次いで、遊技制御用マイコン８１は、センサ検出処理(S104)を行い、続いて普通動作処理(S105)を行い、さらに特別動作処理（S106）を行う。センサ検出処理、普通動作処理および特別動作処理については後述する。
【０２３１】
次に、遊技制御用マイコン８１は、その他の処理(S107)を実行して、メイン側タイマ割り込み処理(S005)を終了する。その他の処理(S107)としては、電源が断たれる際の電源断監視処理、遊技用ＲＡＭ８４に設けられているタイマの更新などが行われる。また、その他の処理(S107)として、遊技者に賞球を払い出す払出制御処理が行われる。払出制御処理では、第１始動口２０用の賞球カウンタ、第２始動口２２用の賞球カウンタ、大入賞口３０用の賞球カウンタ、及び、一般入賞口２７用の賞球カウンタが「０」を超えているか否かのチェックを行い、「０」を超えていると、賞球要求信号を払出制御基板１１０に送信する。そして、賞球信号を送信するとき、その信号に係る賞球カウンタを「１」減算する更新処理を行う。
【０２３２】
そして、遊技制御用マイコン８１は、次に遊技用ＣＰＵ８２に割り込みパルスが入力されるまでは主制御メイン処理のステップS002〜S004の処理を繰り返し実行し、割り込みパルスが入力されると（約４ｍｓｅｃ後）、再びメイン側タイマ割り込み処理(S005)を実行する。遊技制御用マイコン８１は、再び実行されたメイン側タイマ割り込み処理(S005)の出力処理(S101)において、前回のメイン側タイマ割り込み処理(S005)にて遊技用ＲＡＭ８４の出力バッファにセットされたコマンド等を出力する。
【０２３３】
［センサ検出処理］
次に、図２４〜図２５を用いてセンサ検出処理について説明する。センサ検出処理(S104)ではまず、一般入賞口２７に遊技球が入賞したか否か、即ち、一般入賞口センサ２７ａによって遊技球が検出されたか否か判定する(S201)。一般入賞口２７に遊技球が入賞していない場合(S201でNO)にはステップS203に進み、一般入賞口２７に遊技球が入賞した場合には(S201でYES)、遊技球に所定個数の賞球を払い出すための一般入賞口賞球処理を行う（S202）。一般入賞口賞球処理では、一般入賞口２７用の賞球カウンタに、一般入賞口２７への入賞に応じた賞球個数（第１実施形態において「３」）を加算する。
【０２３４】
ステップS203では、遊技球がゲート２８を通過したか否か、即ち、ゲートセンサ２８ａによって遊技球が検出されたか否か判定する。遊技球がゲート２８を通過していなければ(S203でNO)、ステップS207に進む。一方、遊技球がゲート２８を通過していれば(S203でYES)、後述する普通動作ステータス＝１であるか否か、言い換えれば、普図可変表示または補助遊技の何れも行われていないか否かを判定する(S204)。普通動作ステータス＝１でない場合には(S204でNO)、ステップS207に進み、普通動作ステータス＝１である場合(S204でYES)には、普通図柄乱数カウンタ（ラベル−ＴＲＮＤ−Ｆ）のカウンタ値が示す普通図柄乱数を普図関連判定情報として取得し(S205)、取得した普図関連判定情報を、遊技用ＲＡＭ８４に設けられた普図保留記憶部８６に記憶して(S206)、ステップS207に進む。
【０２３５】
ステップS207では、第２始動口２２に遊技球が入賞したか否か、即ち、第２始動口センサ２２ａによって遊技球が検出されたか否か判定する。第２始動口２２に遊技球が入賞していない場合(S207でNO)にはステップS214に進み、第２始動口２２に遊技球が入賞した場合には(S207でYES)、遊技球に所定個数の賞球を払い出すための第２始動口賞球処理を行う(S208)。第２始動口賞球処理では、第２始動口２２用の賞球カウンタに、第２始動口２２への入賞に応じた賞球個数（第１実施形態において「４」）を加算する。
【０２３６】
次に、特図２保留数（具体的には遊技用ＲＡＭ８４に設けた特図２保留数をカウントするカウンタ（特図２保留数カウンタ）の数値）が「４」（上限記憶数）以上であるか否か判定する(S209)。特図２保留数が「４」以上である場合(S209でYES)には、ステップS214に進むが、特図２保留数が「４」以上でない（「４」未満である）場合には(S209でNO)、特図２保留数加算処理を行う(S210)。特図２保留数加算処理では、特図２保留数カウンタを「１」加算し、特図２保留表示器４３２が示す特図２保留数を「１」増加させる。
【０２３７】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図２関連判定情報を取得し、遊技用ＲＡＭ８４に設けられた特図関連判定情報用バッファに記憶する(S211)。
【０２３８】
次に、第２始動入賞当否コマンド、第２始動入賞図柄コマンド、および第２始動入賞変動パターンコマンドからなる第２始動入賞コマンドを特定する第２始動入賞コマンド特定処理を行う(S212)。第２始動入賞コマンド特定処理については後述する。
【０２３９】
続いて、遊技制御用マイコン８１は、ステップS211で取得した特図２関連判定情報を特図２保留記憶部８５２に記憶する(S213)。
【０２４０】
続いて、ステップS214では、第１始動口２０に遊技球が入賞したか否か、即ち、第１始動口センサ２０ａによって遊技球が検出されたか否か判定する。第１始動口２０に遊技球が入賞していない場合(S214でNO)にはステップS221に進み、第１始動口２０に遊技球が入賞した場合には(S214でYES)、遊技球に所定個数の賞球を払い出すための第１始動口賞球処理を行う(S215)。第１始動口賞球処理では、第１始動口２０用の賞球カウンタに、第１始動口２０への入賞に応じた賞球個数（第１実施形態において「４」）を加算する。
【０２４１】
次に、特図１保留数（具体的には遊技用ＲＡＭ８４に設けた特図１保留の数をカウントするカウンタ（特図１保留数カウンタ）の数値）が「４」（上限記憶数）以上であるか否か判定する(S216)。特図１保留数が「４」以上である場合(S216でYES)には、ステップS221に進むが、特図１保留数が「４」以上でない（未満である）場合には(S216でNO)、特図１保留数加算処理を行う(S217)。特図１保留数加算処理では、特図１保留数カウンタを「１」加算し、特図１保留表示器４３１が示す特図１保留数を「１」増加させる。
【０２４２】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図１関連判定情報を取得し、遊技用ＲＡＭ８４に設けられた特図関連判定情報用バッファに記憶する(S218)。
【０２４３】
次に、第１始動入賞当否コマンド、第１始動入賞図柄コマンド、および第１始動入賞変動パターンコマンドからなる第１始動入賞コマンドを特定する第１始動入賞コマンド特定処理を行う(S219)。第１始動入賞コマンド特定処理については後述する。
【０２４４】
続いて、遊技制御用マイコン８１は、ステップS218で取得した特図１関連判定情報を特図１保留記憶部８５１のうち現在の特図１保留数に応じた記憶領域に記憶する(S220)。
【０２４５】
ステップS221では、大入賞口３０に遊技球が入賞したか否か、即ち、大入賞口センサ３０ａによって遊技球が検出されたか否か判定する。大入賞口３０に遊技球が入賞していない場合(S221でNO)にはセンサ検出処理を終了し、大入賞口３０に遊技球が入賞した場合には(S221でYES)、遊技用ＲＡＭ８４に設けられた大入賞口入賞カウンタのカウンタ値が「９」以上であるか否かを判定する(S222)。大入賞口入賞カウンタは、大当たり遊技の１回のラウンド遊技において大入賞口３０に入賞した個数を計数するためのカウンタである。なお、大入賞口入賞カウンタは各ラウンド遊技が終了するたびにクリアされる。第１実施形態では、入賞規定個数は「８」に設定されている。よって、ステップS222の処理が行われる。
【０２４６】
大入賞口入賞カウンタのカウンタ値が「９」以上であると(S222でYES)、センサ検出処理を終了し、大入賞口入賞カウンタのカウンタ値が「９」以上でない、すなわち、「９」未満であると(S222でNO)、大入賞口入賞カウンタのカウンタ値を「１」加算し(S223)、遊技者に所定個数の賞球を払い出すための大入賞口賞球処理を行い(S224)、センサ検出処理を終了する。なお、大入賞口賞球処理では、大入賞口３０用の賞球カウンタに、大入賞口３０への入賞に応じた賞球個数（第１実施形態において「１４」）を加算する。
【０２４７】
［第２始動入賞コマンド特定処理］
次に、第２始動入賞コマンド特定処理(S212)について図２６を用いて説明する。第２始動入賞コマンド特定処理では、まず、遊技制御用マイコン８１は、現在通常確率状態であるか否かを判定する（S301）。遊技制御用マイコン８１は、通常確率状態であれば(S301でYES)、通常確率状態用第２始動入賞当否コマンド特定テーブルに基づいて第２始動入賞当否コマンドを特定する（S302）。具体的には、ステップS211で取得した特別図柄乱数を通常確率状態用第２始動入賞当否コマンド特定テーブルに照合して、その特別図柄乱数が属するグループに応じた第２始動入賞当否コマンドを特定する。一方、遊技制御用マイコン８１は、通常確率状態でなければ(S301でNO)、高確率状態用第２始動入賞当否コマンド特定テーブルに基づいて第２始動入賞当否コマンドを特定する（S303）。具体的には、ステップS211で取得した特別図柄乱数を高確率状態用第２始動入賞当否コマンド特定テーブルに照合して、その特別図柄乱数が属する当否グループに応じた第２始動入賞当否コマンドを特定する。続いて、遊技制御用マイコン８１は、特定した第２始動入賞当否コマンドを遊技用ＲＡＭ８４の出力バッファにセットする（S304）。
【０２４８】
次に、遊技制御用マイコン８１は、ステップS302、またはステップS303で特定した第２始動入賞当否コマンドが示す当否情報が、確定大当たり情報、暫定大当たり情報、または暫定ハズレ情報であるか否かを判定する（S305）。ここで、遊技制御用マイコン８１は、確定大当たり情報、暫定大当たり情報、または暫定ハズレ情報であれば（S305でYES）、ステップS306に進み、確定大当たり情報、暫定大当たり情報、または暫定ハズレ情報でなければ（S305でNO）、ステップS312に進む。
【０２４９】
ステップS306において、遊技制御用マイコン８１は、第２始動入賞図柄コマンド特定テーブルに基づいて第２始動入賞図柄コマンドを特定する。具体的には、ステップS211で取得した大当たり図柄種別乱数を第２始動入賞図柄コマンド特定テーブルに照合して、その大当たり図柄種別乱数が属する図柄グループに応じた第２始動入賞図柄コマンドを特定する。続いて、遊技制御用マイコン８１は、特定した第２始動入賞図柄コマンドを遊技用ＲＡＭ８４の出力バッファにセットし（S307）、ステップS302、またはステップS303で特定した第２始動入賞当否コマンドが示す当否情報が暫定ハズレ情報であるか否かを判定する（S308）。ここで、遊技制御用マイコン８１は、暫定ハズレ情報であれば（S308でYES）、ステップS312に進み、暫定ハズレ情報でなければ（S308でNO）、ステップS309に進む。
【０２５０】
ステップS309において、遊技制御用マイコン８１は、現在、非時短状態であるか否かを判定する。ここで、遊技制御用マイコン８１は、非時短状態であれば（S309でYES）、非時短状態における大当たり用第２始動入賞変動パターンコマンド特定テーブルに基づいて第２始動入賞変動パターンコマンドを特定する（S310）。具体的には、ステップS211で取得した特図変動パターン乱数を非時短状態における大当たり用第２始動入賞変動パターンコマンド特定テーブルに照合して、その特図変動パターン乱数が属するグループに応じた第２始動入賞変動パターンコマンドを特定する。
【０２５１】
一方、遊技制御用マイコン８１は、非時短状態でなければ（S309でNO）、時短状態における大当たり用第２始動入賞変動パターンコマンド特定テーブルに基づいて第２始動入賞変動パターンコマンドを特定する（S311）。具体的には、ステップS211で取得した特図変動パターン乱数を時短状態における大当たり用第２始動入賞変動パターンコマンド特定テーブルに照合して、その特図変動パターン乱数が属するグループに応じた第２始動入賞変動パターンコマンドを特定する。続いて、遊技制御用マイコン８１は、特定した第２始動入賞変動パターンコマンドを遊技用ＲＡＭ８４の出力バッファにセットし（S315）、第２始動入賞コマンド特定処理を終えて、センサ検出処理に処理を戻す。
【０２５２】
また、遊技制御用マイコン８１は、ステップS312において、非時短状態であるか否かを判定する。ここで、遊技制御用マイコン８１は、非時短状態であれば（S312でYES）、非時短状態におけるハズレ用第２始動入賞変動パターンコマンド特定テーブルに基づいて第２始動入賞変動パターンコマンドを特定する（S313）。具体的には、まずはステップS211で取得したリーチ乱数を、非時短状態におけるハズレ用第２始動入賞変動パターンコマンド特定テーブルに照合してリーチの有無を特定する。次に、特定したリーチの有無に応じた非時短状態におけるハズレ用第２始動入賞変動パターンコマンド特定テーブルに、ステップS211で取得した特図変動パターン乱数を照合して、その特図変動パターン乱数が属するグループに応じた第２始動入賞変動パターンコマンドを特定する。
【０２５３】
一方、遊技制御用マイコン８１は、非時短状態でなければ（S312でNO）、時短状態におけるハズレ用第２始動入賞変動パターンコマンド特定テーブルに基づいて第２始動入賞変動パターンコマンドを特定する（S314）。具体的には、まずはステップS211で取得したリーチ乱数を、時短状態におけるハズレ用第２始動入賞変動パターンコマンド特定テーブルに照合してリーチの有無を特定する。次に、特定したリーチの有無に応じた時短状態におけるハズレ用第２始動入賞変動パターンコマンド特定テーブルに、ステップS211で取得した特図変動パターン乱数を照合して、その特図変動パターン乱数が属するグループに応じた第２始動入賞変動パターンコマンドを特定する。続いて、遊技制御用マイコン８１は、特定した第２始動入賞変動パターンコマンドを遊技用ＲＡＭ８４の出力バッファにセットし（S315）、第２始動入賞コマンド特定処理を終えて、センサ検出処理に処理を戻す。
【０２５４】
［第１始動入賞コマンド特定処理］
次に、第１始動入賞コマンド特定処理(S219)について図２７を用いて説明する。第１始動入賞コマンド特定処理では、まず、遊技制御用マイコン８１は、現在通常確率状態であるか否かを判定する（S351）。遊技制御用マイコン８１は、通常確率状態であれば(S351でYES)、通常確率状態用第１始動入賞当否コマンド特定テーブルに基づいて第１始動入賞当否コマンドを特定する（S352）。具体的には、ステップS218で取得した特別図柄乱数を通常確率状態用第１始動入賞当否コマンド特定テーブルに照合して、その特別図柄乱数が属する当否グループに応じた第１始動入賞当否コマンドを特定する。
【０２５５】
一方、遊技制御用マイコン８１は、通常確率状態でなければ(S351でNO)、高確率状態用第１始動入賞当否コマンド特定テーブルに基づいて第１始動入賞当否コマンドを特定する（S353）。具体的には、ステップS218で取得した特別図柄乱数を高確率状態用第１始動入賞当否コマンド特定テーブルに照合して、その特別図柄乱数が属する当否グループに応じた第１始動入賞当否コマンドを特定する。続いて、遊技制御用マイコン８１は、特定した第１始動入賞当否コマンドを遊技用ＲＡＭ８４の出力バッファにセットする（S354）。
【０２５６】
次に、遊技制御用マイコン８１は、ステップS352、またはステップS353で特定した第１始動入賞当否コマンドが示す当否情報が、確定大当たり情報、暫定大当たり情報、または暫定ハズレ情報であるか否かを判定する（S355）。ここで、遊技制御用マイコン８１は、確定大当たり情報、暫定大当たり情報、または暫定ハズレ情報であれば（S355でYES）、ステップS356に進み、確定大当たり情報、暫定大当たり情報、または暫定ハズレ情報でなければ（S355でNO）、ステップS362に進む。
【０２５７】
ステップS356において、遊技制御用マイコン８１は、第１始動入賞図柄コマンド特定テーブルに基づいて第１始動入賞図柄コマンドを特定する。具体的には、ステップS218で取得した大当たり図柄種別乱数を第１始動入賞図柄コマンド特定テーブルに照合して、その大当たり図柄種別乱数が属する図柄グループに応じた第１始動入賞図柄コマンドを特定する。続いて、遊技制御用マイコン８１は、特定した第１始動入賞図柄コマンドを遊技用ＲＡＭ８４の出力バッファにセットし（S357）、ステップS352、またはステップS353で特定した第１始動入賞当否コマンドが示す当否情報が暫定ハズレ情報であるか否かを判定する（S358）。ここで、遊技制御用マイコン８１は、暫定ハズレ情報であれば（S358でYES）、ステップS362に進み、暫定ハズレ情報でなければ（S358でNO）、ステップS359に進む。
【０２５８】
ステップS359において、遊技制御用マイコン８１は、現在、非時短状態であるか否かを判定する。ここで、遊技制御用マイコン８１は、非時短状態であれば（S359でYES）、非時短状態における大当たり用第１始動入賞変動パターンコマンド特定テーブルに基づいて第１始動入賞変動パターンコマンドを特定する（S360）。具体的には、ステップS218で取得した特図変動パターン乱数を非時短状態における大当たり用第１始動入賞変動パターンコマンド特定テーブルに照合して、その特図変動パターン乱数が属する範囲に応じた第１始動入賞変動パターンコマンドを特定する。
【０２５９】
一方、遊技制御用マイコン８１は、非時短状態でなければ（S359でNO）、時短状態における大当たり用第１始動入賞変動パターンコマンド特定テーブルに基づいて第１始動入賞変動パターンコマンドを特定する（S361）。具体的には、ステップS218で取得した特図変動パターン乱数を時短状態における大当たり用第１始動入賞変動パターンコマンド特定テーブルに照合して、その特図変動パターン乱数が属する図柄グループに応じた第１始動入賞変動パターンコマンドを特定する。続いて、遊技制御用マイコン８１は、特定した第１始動入賞変動パターンコマンドを遊技用ＲＡＭ８４の出力バッファにセットし（S365）、第１始動入賞コマンド特定処理を終えて、センサ検出処理に処理を戻す。
【０２６０】
また、遊技制御用マイコン８１は、ステップS362において、非時短状態であるか否かを判定する。ここで、遊技制御用マイコン８１は、非時短状態であれば（S362でYES）、非時短状態におけるハズレ用第１始動入賞変動パターンコマンド特定テーブルに基づいて第１始動入賞変動パターンコマンドを特定する（S363）。具体的には、まずはステップS218で取得したリーチ乱数を、非時短状態におけるハズレ用第１始動入賞変動パターンコマンド特定テーブルに照合してリーチの有無を特定する。次に、特定したリーチの有無に応じた非時短状態におけるハズレ用第１始動入賞変動パターンコマンド特定テーブルに、ステップS218で取得した特図変動パターン乱数を照合して、その特図変動パターン乱数が属するグループに応じた第１始動入賞変動パターンコマンドを特定する。
【０２６１】
一方、遊技制御用マイコン８１は、非時短状態でなければ（S362でNO）、時短状態におけるハズレ用第１始動入賞変動パターンコマンド特定テーブルに基づいて第１始動入賞変動パターンコマンドを特定する（S364）。具体的には、まずはステップS218で取得したリーチ乱数を、時短状態におけるハズレ用第１始動入賞変動パターンコマンド特定テーブルに照合してリーチの有無を特定する。次に、特定したリーチの有無に応じた時短状態におけるハズレ用第１始動入賞変動パターンコマンド特定テーブルに、ステップS218で取得した特図変動パターン乱数を照合して、その特図変動パターン乱数が属する範囲に応じた第１始動入賞変動パターンコマンドを特定する。続いて、遊技制御用マイコン８１は、特定した第１始動入賞変動パターンコマンドを遊技用ＲＡＭ８４の出力バッファにセットし（S365）、第１始動入賞コマンド特定処理を終えて、センサ検出処理に処理を戻す。
【０２６２】
［普通動作処理］
次に、普図表示器４２および電チュー２３の制御に関する普通動作処理について説明する。図２８に示すように、普図表示器４２および電チュー２３に関する処理が４つのステータス（段階）に分けられている。そして、それらの各ステータスに「普通動作ステータス＝１，２，３，４」が割り当てられている。遊技制御用マイコン８１は、普通動作処理(S105)において、最初に、「普通動作ステータス」を確認する（S1101）。「普通動作ステータス」が「１」である場合には、普通図柄待機処理(S1102)を行い、「普通動作ステータス」が「２」である場合には、普通図柄変動処理(S1103)を行い、「普通動作ステータス」が「３」である場合には、普通図柄確定処理(S1104)を行い、「普通動作ステータス」が「４」である場合には、補助遊技制御処理(S1105)を行う。なお「普通動作ステータス」は初期設定で「１」に設定される。
【０２６３】
普通図柄待機処理(S1102)は、普図の可変表示および補助遊技が行われていない待機中に行われる処理である。普図待機処理(S1102)では、普図保留記憶部８６に記憶された普通図柄乱数に基づいて当たり判定を行う。さらに、現在の遊技状態に基づいて普図変動パターン判定を行って普図変動パターンを決定し、決定した普図変動パターンに応じた普図変動時間の普図の変動表示を普図表示器４２に開始させて、普通動作ステータスを「２」に変更する。
【０２６４】
普通図柄変動処理(S1103)は、普図が変動表示しているときに行われる処理である。普通図柄変動処理(S1103)では、実行中の普図の変動表示が開始してから普図変動時間が経過したか否か（普図の変動表示を終了させるか否か）を判定し、普図変動時間が経過したと判定されれば、当たり判定結果に基づいて普図の停止表示を行って、普通動作ステータスを「３」に変更する。
【０２６５】
普通図柄確定処理(S1104)は、普図が停止表示しているときに行われる処理である。普通図柄確定処理(S1104)では、実行中の普図の停止表示が開始してから所定の停止時間（例えば、０．８秒）が経過したか否か（普図の停止表示を終了させるか否か）を判定し、所定の停止時間が経過したと判定されれば、停止表示している普図が当たり図柄であるか否かを判定する。当たり図柄でなければ（停止表示している普図がハズレ図柄であれば）、普通動作ステータスを「１」に変更する。一方、当たり図柄が停止表示していれば、普通動作ステータスを「４」に変更して、現在の遊技状態および補助遊技制御テーブルに基づいて補助遊技を開始させる。
【０２６６】
補助遊技制御処理(S1105)は、補助遊技が行われているときに行われる処理である。補助遊技制御処理(S1105)では、現在の遊技状態および補助遊技制御テーブルに基づいて補助遊技を制御する。そして、補助遊技が終了すれば、普通動作ステータスを「１」に変更する。
【０２６７】
［特別動作処理］
次に、特図表示器４１、特図保留表示器４３および大入賞装置３１の制御に関する特別動作処理について説明する。図２９に示すように、特図表示器４１、特図保留表示器４３および大入賞装置３１に関する処理は、５つのステータス（段階）に分けられている。そして、それらの各ステータスに「特別動作ステータス＝１，２，３，４，５」が割り当てられている。遊技制御用マイコン８１は、最初に「特別動作ステータス」を確認する（S1501）。遊技制御用マイコン８１は、「特別動作ステータス」が「１」である場合には、特別図柄待機処理(S1502)を行い、「特別動作ステータス」が「２」である場合には、特別図柄変動処理(S1503)を行い、「特別動作ステータス」が「３」である場合には、特別図柄確定処理(S1504)を行い、「特別動作ステータス」が「４」である場合には、大当たり遊技制御処理(S1505)を行い、「特別動作ステータス」が「５」である場合には、遊技状態設定処理(S1506)を行う。なお「特別動作ステータス」は初期設定で「１」に設定される。
【０２６８】
特別図柄待機処理(S1502)は、特別図柄の可変表示、大当たり遊技が行われていない待機中に行われる処理である。特別図柄待機処理については後に詳述する。
【０２６９】
特別図柄変動処理(S1503)は、特別図柄が変動表示しているときに行われる処理である。特別図柄変動処理については後に詳述する。
【０２７０】
特別図柄確定処理(S1504)は、特別図柄が停止表示しているときに行われる処理である。特別図柄確定処理については後に詳述する。
【０２７１】
大当たり遊技制御処理(S1505)は、大当たり遊技において行われる処理である。遊技制御用マイコン８１が、大当たり遊技制御処理を行うことによって、大当たり遊技制御テーブルに応じた大当たり遊技を行う。大当たり遊技が終了する際に特別動作ステータスを「５」に変更する。なお、各ラウンド遊技が開始される際には、そのラウンド数を示すラウンド数指定コマンドを遊技用ＲＡＭ８４の出力バッファにセットする。
【０２７２】
遊技状態設定処理(S1506)は、大当たり遊技が終了する際に、遊技状態設定テーブルに基づいて、遊技状態を設定する処理である。終了する大当たり遊技に係る大当たり図柄を遊技状態設定テーブルに照合して、当該大当たり遊技後の遊技状態を設定する。高確率状態を設定する場合は、高確率フラグを遊技用ＲＡＭ８４の高確率フラグ領域にＯＮする。さらにこのときに、大当たりに当選することなく高確率状態を設定（継続）できる規定回数（高確率規定回数）を、遊技用ＲＡＭ８４に設けられた高確率残り回数カウンタにセットする。また、時短状態を設定する場合は、時短フラグを遊技用ＲＡＭ８４の時短フラグ領域にＯＮする。さらにこのときに、大当たりに当選することなく時短状態を設定（継続）できる規定回数（時短規定回数）を、遊技用ＲＡＭ８４に設けられた時短残り回数カウンタにセットする。
【０２７３】
［特別図柄待機処理］
次に図３０を用いて特別図柄待機処理について説明する。特別図柄待機処理(S1502)ではまず、特図２保留数が「０」であるか否かを判定する(S1601)。特図２保留数が「０」である場合(S1601でYES)、即ち、第２始動口２２への入賞に起因して取得した特図２関連判定情報の記憶がない場合には、特図１保留数が「０」であるか否かを判定する(S1608)。そして、特図１保留数も「０」である場合(S1608でYES)、即ち、第１始動口２０への入賞に起因して取得した特図１関連判定情報の記憶もない場合には、客待ちフラグがＯＮか否かを判定する(S1618)。ここで、客待ちフラグがＯＮであれば(S1618でYES)、特別図柄待機処理を終え、客待ちフラグがＯＮでなければ(S1618でNO)、客待ちコマンドを出力バッファにセットし(S1619)、客待ちフラグをＯＮにし(S1620)、特別図柄待機処理を終える。
【０２７４】
また、特図２保留数が「０」であるが特図１保留数が「０」でない場合(S1601でYES且つS1608でNO)、即ち、特図２関連判定情報はないが、第１始動口２０への入賞に起因して取得した特図１関連判定情報の記憶が１つ以上ある場合には、特図１判定処理(S1609)及び特図１変動パターン判定処理(S1610)を行う。
【０２７５】
特図１判定処理(S1609)では、特図１保留記憶部８５１に記憶されている特別図柄乱数の中で最も先に記憶されたものを読み出して、現在の遊技状態に応じた大当たり判定テーブルに基づいて、大当たり、またはハズレの何れであるかの判定（大当たり判定）を行う。現在、通常確率状態であれば通常確率状態用第１大当たり判定テーブルを用いて大当たり判定を行い、高確率状態であれば高確率状態用第１大当たり判定テーブルを用いて大当たり判定を行う。
【０２７６】
ここで、大当たり判定の結果が大当たりであれば、大当たり図柄種別乱数を読み出して第１大当たり図柄種別判定テーブルに基づいて大当たり図柄種別の判定（大当たり図柄種別判定）を行う。そして、大当たり図柄種別を表す大当たり図柄データを遊技用ＲＡＭ８４に設けられた特図バッファにセットすると共に、大当たり図柄種別を表す図柄指定コマンドを遊技用ＲＡＭ８４に設けられた出力バッファにセットする。また、大当たり判定の結果が「ハズレ」であれば、ハズレを表すハズレ図柄データを特図バッファにセットすると共に、ハズレを表す図柄指定コマンドを出力バッファにセットする。
【０２７７】
次に、特図１変動パターン判定処理(S1610)について図３１を用いて説明する。特図１変動パターン判定処理では、まず、現在非時短状態であるか否かを判定する（S1651）。非時短遊技状態であれば(S1651でYES)、非時短状態用の特図１変動パターン判定テーブルを選択(S1652)してからステップS1654に進み、非時短遊技状態でなければ(S1651でNO)、時短状態用の特図１変動パターン判定テーブルを選択(S1653)してからステップS1654に進む。
【０２７８】
ステップS1654において、遊技制御用マイコン８１は、大当たり判定結果が「大当たり」であったか否かを判定する。大当たりであれば(S1654でYES)、ステップS1652またはステップS1653の何れかで選択した特図１変動パターン判定テーブルの中から大当たり用の特図１変動パターン判定テーブルを選択（S1659）してからステップS1660に進み、大当たりでなければ(S1654でNO)、リーチ判定を行う（S1655）。リーチ判定では、リーチ乱数を読み出して、そのリーチ乱数を現在の遊技状態（非時短状態／時短状態）に応じたリーチ判定テーブルに照合して、リーチ有りかリーチ無しかを判定する。
【０２７９】
次に、ステップS1655でのリーチ判定の結果が「リーチ有り」であるか否かを判定する(S1656)。リーチ有りであれば(S1656でYES)、ステップS1652またはステップS1653の何れかで選択した特図１変動パターン判定テーブルの中からリーチ有りハズレ用の特図１変動パターン判定テーブルを選択（S1658）してからステップS1660に進み、リーチ有りでなければ(S1656でNO)、現在の特図１保留数を確認して、ステップS1652またはステップS1653の何れかで選択した特図１変動パターン判定テーブルの中から特図１保留数に応じたリーチ無しハズレ用の特図１変動パターン判定テーブルを選択（S1657）してからステップS1660に進む。
【０２８０】
遊技制御用マイコン８１は、ステップS1660において、特図変動パターン乱数を読み出して、その特図変動パターン乱数をステップS1657〜ステップS1659の何れかで選択した特図１変動パターン判定テーブルに照合して、特図１変動パターンを判定する特図１変動パターン判定を行う。続けて、遊技制御用マイコン８１は、決定された特図１変動パターンを示す特図１変動開始コマンドを出力バッファにセットし（S1661）、決定された特図１変動パターンに応じた特図変動時間を特別動作用タイマにセットし（S1662）、特図１変動パターン判定処理を終了して、特別図柄待機処理に処理を戻す。
【０２８１】
なお、特別動作用タイマは、メイン側タイマ割り込み処理（S005）におけるその他の処理(S107)において、４ｍｓ分、更新される。また、セットされる特図１変動開始コマンドには、特別図柄の種別（特図１であるということ）に関する情報や特図１変動パターン判定処理(S1610)で行われた特図変動パターン判定の結果に関する情報（リーチの有無や特図変動時間の情報を含む特図変動パターンの情報）が含まれている。
【０２８２】
続いて、遊技制御用マイコン８１は、ステップS1610で決定された特図１変動パターンに応じた特図変動時間に基づいて特図１表示器４１１に特図１の変動表示を開始させる(S1611)。
【０２８３】
次に、遊技制御用マイコン８１は、特図１保留記憶部８５１における各種カウンタ値の格納場所（記憶領域）を現在の位置から読み出される側に一つシフトするとともに、特図１保留記憶部８５１における保留１個目に対応する記憶領域（読み出される側から最も遠い記憶領域）をクリアする特図１保留記憶部シフト処理を行う(S1612)。このようにして、特図１保留が保留された順に消化される。
【０２８４】
次に、遊技制御用マイコン８１は、特図１保留数カウンタを「１」減算し(S1613)、特図１保留表示器４３１が示す特図１保留数を「１」減少させて変更し（S1614）、特別動作ステータスを「２」に変更する（S1615）。
【０２８５】
その後、遊技制御用マイコン８１は、客待ちフラグがＯＮか否かを判定し(S1616)、ＯＮであれば(S1616でYES)、客待ちフラグをＯＦＦして(S1617)、特別図柄待機処理を終え、ＯＮでなければ(S1616でNO)、ステップS1617を実行することなく特別図柄待機処理を終える。
【０２８６】
また、ステップS1601において特図２保留数が「０」でない場合(S1601でNO)、即ち、第２始動口２２への入賞に起因して取得した特図２関連判定情報の記憶が１つ以上ある場合には、特図２判定処理(S1602)及び特図２変動パターン判定処理(S1603)を行う。特図２判定処理(S1602)及び特図２変動パターン判定処理(S1603)は、特図１判定処理（S1609）および特図１変動パターン判定処理（S1610）と基本的には同じ処理内容である。
【０２８７】
特図２判定処理(S1602)は、大当たり判定で用いるテーブルが第２大当たり判定テーブルであること、および大当たり図柄種別判定で用いるテーブルが第２大当たり図柄種別判定テーブルであることを除いて特図１判定処理(S1609)と同様の処理であるため説明を省略する。また、特図２変動パターン判定処理(S1603)も、基本的には、特図２変動パターン判定で用いるテーブルが特図２変動パターン判定テーブルであることを除いて特図１変動パターン判定処理(S1610)と同様の処理であるため説明を省略する。
【０２８８】
次に、遊技制御用マイコン８１は、ステップS1603で決定された特図変動パターンに応じた特図変動時間に基づいて特図２表示器４１２に特図２の変動表示を開始させる(S1604)。
【０２８９】
次に、遊技制御用マイコン８１は、特図２保留記憶部８５２における各種カウンタ値の格納場所（記憶領域）を現在の位置から読み出される側に一つシフトするとともに、特図２保留記憶部８５２における保留４個目に対応する記憶領域（読み出される側から最も遠い記憶領域）をクリアする特図２保留記憶部シフト処理を行う(S1605)。このようにして、特図２保留が保留された順に消化される。
【０２９０】
続いて遊技制御用マイコン８１は、特図２保留数カウンタを「１」減算し(S1606)、特図２保留表示器４３２が示す特図２保留数を「１」減少させて変更し（S1607）、特別動作ステータスを「２」に変更し（S1615）、ステップS1616に進む。
【０２９１】
上記のように第１実施形態では、特図１保留に基づく特別図柄の変動表示は、特図２保留が「０」の場合(S1601でYESの場合)に限って行われる。すなわち特図２保留の消化は、特図１保留の消化に優先して実行される。そして第１実施形態では、特図２保留に基づく抽選の方が、特図１保留に基づく抽選よりも、遊技者にとって利益の大きい大当たり図柄に当選しやすくなっている。なお、特図１保留の消化を特図２保留の消化に優先して実行されるようにしても良い。また、特図１保留の消化と特図２保留の消化を、特図の種別に関わらず保留が発生した順に行っても良い。
【０２９２】
［特別図柄変動処理］
次に図３２を用いて特別図柄変動処理について説明する。遊技制御用マイコン８１は、特別図柄変動処理(S1503)ではまず、特別図柄の変動表示を終了させるか否か、即ち、ステップS1603又はステップS1610で特別動作用タイマにセットした特図変動時間が経過した（特別動作カウンタ＝０）か否かを判定する(S1701)。特別図柄の変動表示を終了させない場合(S1701でNO)、特別図柄変動処理を終了し、特別図柄の変動表示を終了させる場合(S1701でYES)、特図表示器４１に、特別図柄の変動表示を終了させるとともに、ステップS1602又はステップS1609で特図バッファにセットした図柄データ（大当たり図柄データ、またはハズレ特図データ）に応じた特別図柄の停止表示をさせる(S1702)。
【０２９３】
続いて、予め設定された特図確定時間（例えば、０．８秒）を特別動作用タイマにセットし（S1703）、特別図柄の変動表示が終了することを示す特図変動停止コマンドを出力バッファにセットし（S1704）、特別動作ステータスを「３」に変更し（S1705）、特別図柄変動処理を終了する。
【０２９４】
［特別図柄確定処理］
次に図３３を用いて特別図柄確定処理について説明する。遊技制御用マイコン８１は、特別図柄確定処理(S1504)ではまず、特別図柄の停止表示を終了させるか否か、即ち、ステップS1703で特別動作用タイマにセットした特図確定時間が経過した（特別動作カウンタ＝０）か否かを判定する(S1751)。特別図柄の停止表示を終了させない場合(S1751でNO)、特別図柄確定処理を終了し、特別図柄の停止表示を終了させる場合(S1751でYES)、現在、高確率状態（高確率フラグがＯＮ）であるか否かを判定する(S1752)。
【０２９５】
現在高確率状態でなければ(S1752でNO)、ステップS1756に進み、現在、高確率状態であれば(S1752でYES)、高確率状態で実行可能な特別図柄の可変表示の残りの回数（高確率残り回数）を計測する高確率残り回数カウンタの値を「１」減算し(S1753)、高確率残り回数カウンタの値が「０」であるか否かを判定する(S1754)。高確率残り回数カウンタの値（高確率残り回数）が「０」でなければ(S1754でNO)、ステップS1756に進み、高確率残り回数カウンタの値（高確率残り回数）が「０」であれば(S1754でYES)、高確率状態から通常確率状態に移行させる（高確率フラグをＯＦＦする）（S1755）。
【０２９６】
ステップS1756において、遊技制御用マイコン８１は、現在、時短状態（時短フラグがＯＮ）であるか否かを判定する。時短状態でなければ(S1756でNO)、ステップS1760に進み、現在、時短状態であれば(S1756でYES)、時短状態で実行可能な特別図柄の可変表示の残りの回数（時短残り回数）を計測する時短残り回数カウンタの値を「１」減算し(S1757)、時短残り回数カウンタの値が「０」であるか否かを判定する(S1758)。時短残り回数カウンタの値（時短残り回数）が「０」でなければ(S1758でNO)、ステップS1760に進み、時短残り回数カウンタの値（時短残り回数）が「０」であれば(S1758でYES)、時短状態から非時短状態に移行させる（時短フラグをＯＦＦする）（S1759）。
【０２９７】
次に、遊技制御用マイコン８１は、現在の遊技状態を示した遊技状態コマンドを出力バッファにセットし（S1760）、現在停止表示している特別図柄が大当たり図柄か否かを判定する（S1761）。大当たり図柄でなければ(S1761でNO)、特別動作ステータスを「１」に変更し（S1765）、特別図柄確定処理を終了する。
【０２９８】
一方、ステップS1761において大当たり図柄であれば(S1761でYES)、遊技状態をリセットする（通常遊技状態を設定する。具体的には、高確率フラグおよび時短フラグをＯＦＦし、高確率残り回数カウンタおよび時短残り回数カウンタの値を「０」にする）（S1762）。
【０２９９】
続いて、遊技制御用マイコン８１は、大当たり遊技準備処理を行い（S1763）、特別動作ステータスを「４」に変更し（S1764）、特別図柄確定処理を終了する。大当たり遊技準備処理では、大当たり図柄の種別に応じた大当たり遊技制御テーブルを遊技用ＲＡＭ８４の所定領域にセットする。また、大当たり遊技のオープニング中であることを示す大当たりオープニングフラグを遊技用ＲＡＭ８４の所定領域にＯＮし、大当たり図柄の種別に応じて、所定のオープニング時間（大当たり遊技が開始されてから１ラウンドを開始するまでの時間）を特別動作用タイマにセットする。さらには、大当たり図柄の種別に応じ、大当たり図柄の種別を示すオープニングコマンドを遊技用ＲＡＭ８４の出力バッファにセットする。大当たり図柄の種別に応じたオープニングコマンドは、その停止表示した大当たり図柄の種別に応じた大当たり遊技（大当たり遊技のオープニング）が開始されることを表す。
【０３００】
６．演出制御用マイコン９１による演出の制御
［サブ制御メイン処理］
次に図３４〜図４２のフローチャートを用いて、演出制御用マイコン９１による演出の制御について説明する。なお、以下の演出制御用マイコン９１による演出の制御の説明において登場するカウンタ、タイマ、フラグ、バッファ等は、演出用ＲＡＭ９４に設けられている。サブ制御基板９０に備えられた演出制御用マイコン９１は、パチンコ遊技機ＰＹ１が電源投入されると、図３４に示したサブ制御メイン処理のプログラムを演出用ＲＯＭ９３から読み出して実行する。
【０３０１】
同図に示すように、サブ制御メイン処理では、最初に、電源投入に応じた電源投入時処理を行う(S4001)。電源投入時処理では、例えば、演出用ＣＰＵ９２の設定、ＳＩＯ、ＰＩＯ、ＣＴＣ（割り込み時間の管理のための回路）等の設定等を行う。
【０３０２】
次に、割り込みを禁止し(S4002)、乱数シード更新処理を実行する(S4003)。乱数シード更新処理(S4003)では、種々の演出に関する判定を行うための種々の演出判定用乱数カウンタの値を更新する。なお、演出判定用乱数には、保留演出パターン判定用乱数、および特図変動演出パターン判定用乱数等の演出内容を決定するための様々な乱数がある。
【０３０３】
種々の演出についての判定用乱数カウンタの更新方法は、一例として、前述の主制御基板８０が行う乱数更新処理と同様の方法をとることができる。更新に際して乱数値を１ずつ加算するのではなく、２ずつ加算するなどしてもよい。これは、前述の主制御基板８０が行う乱数更新処理においても同様である。
【０３０４】
乱数シード更新処理が終了すると、コマンド送信処理を実行する(S4004)。コマンド送信処理では、サブ制御基板９０の演出用ＲＡＭ９４内の出力バッファに格納されている各種のコマンド（例えば、後述する特図変動演出開始コマンド、客待ち開始コマンド、オープニング演出開始コマンド、ラウンド演出開始コマンド、エンディング演出開始コマンド、保留演出開始コマンド、および保留連演出開始コマンドなど）を、画像制御基板１００に送信する。
【０３０５】
コマンドを受信した画像制御基板１００は、受信したコマンドに従って、表示部７ａに画像を表示する（画像による種々の演出を実行する）。また、サブ制御基板９０は、画像制御基板１００によって行われる種々の演出とともに、音声制御回路１０６を介してスピーカ１１から音声を出力させたり（音声による種々の演出を実行したり）、ランプ制御回路１０７を介して枠ランプ１２を発光させたり（発光による種々の演出を実行したり）、盤可動体１３Ｋを作動させたり（動作による種々の演出を実行したり）する。なお、種々の演出としては、特図変動演出、大当たり遊技演出（オープニング演出、ラウンド演出、エンディング演出）、客待ち演出、保留演出、および保留連演出等がある。
【０３０６】
演出制御用マイコン９１は続いて、割り込みを許可する(S4005)。以降、ステップS4002〜ステップS4005をループさせる。割り込み許可中においては、受信割り込み処理(S4010)、１ｍｓタイマ割り込み処理(S4011)、および１０ｍｓタイマ割り込み処理(S4012)の実行が可能となる。
【０３０７】
受信割り込み処理(S4010)は、ストローブ信号、すなわち、主制御基板８０から送られた各種のコマンドが演出制御用マイコン９１の外部ＩＮＴ入力部に入力される度に実行される。受信割り込み処理(S4010)では、演出制御用マイコン９１は主制御基板８０の出力処理(S101)により送信されてきて受信した各種のコマンドを演出用ＲＡＭ９４の受信バッファに格納する。この受信割り込み処理は、他の割り込み処理(S4011、S4012)に優先して実行される。
【０３０８】
また、１ｍｓタイマ割り込み処理(S4011)は、サブ制御基板９０に１ｍｓｅｃ周期の割り込みパルスが入力される度に実行される。演出制御用マイコン９１は、１ｍｓタイマ割り込み処理(S4011)において、半球型ボタン検出スイッチ１７ａからの検出信号に基づいて半球型ボタンスイッチデータを作成する入力処理を行う。また、演出制御用マイコン９１は、剣型ボタン検出スイッチ１８ａからの検出信号に基づいて剣型ボタンスイッチデータを作成する入力処理を行う。
【０３０９】
さらに、演出制御用マイコン９１は、１ｍｓタイマ割り込み処理(S4011)において、画像による演出等に合うタイミングなどで枠ランプ１２を発光させるべく、後述の１０ｍｓタイマ割り込み処理におけるその他の処理(S4103)で作成されたランプデータをランプ制御回路１０７に出力するランプ制御処理を行う。つまり、演出制御用マイコン９１は、ランプデータに従って枠ランプ１２を所定の発光態様で発光させる。
【０３１０】
加えて、演出制御用マイコン９１は、１ｍｓタイマ割り込み処理(S4011)において、所定のタイミングで盤可動体１３Ｋを駆動させるべく、駆動データを作成し、または、出力する駆動制御処理を行う。後述の１０ｍｓタイマ割り込み処理における各処理でセットされた駆動データもこの処理で出力される。つまり、演出制御用マイコン９１は、駆動データに従って、盤可動体１３Ｋを所定の動作態様で駆動させる。さらに、演出制御用マイコン９１は、１ｍｓタイマ割り込み処理(S4011)において、ウォッチドッグタイマのリセット設定を行うウォッチドッグタイマ処理を行う。
【０３１１】
［１０ｍｓタイマ割り込み処理］
次に図３５を用いて１０ｍｓタイマ割り込み処理について説明する。１０ｍｓタイマ割り込み処理(S4012)は、サブ制御基板９０に１０ｍｓｅｃ周期の割り込みパルスが入力される度に実行される。演出制御用マイコン９１は、１０ｍｓタイマ割り込み処理ではまず、ステップS4010で受信バッファに格納したコマンドなどを解析する受信コマンド解析処理を行う(S4101)。受信コマンド解析処理については後述する。
【０３１２】
続いて、演出制御用マイコン９１は、特図変動演出、操作促進演出、および、客待ち演出などの各演出に関する時間を計測するためのタイマを更新する演出タイマ更新処理を行う(S4102)。
【０３１３】
その後、演出制御用マイコン９１は、その他の処理として、出力バッファにセットされ、画像制御基板１００に送信される特図変動演出開始コマンド、客待ち演出開始コマンド、オープニング演出開始コマンド、ラウンド演出開始コマンド、エンディング演出開始コマンド、保留演出開始コマンド、および保留連演出開始コマンドが示す演出内容などに基づいて、ランプデータ（枠ランプ１２の点灯を制御するデータ）の作成と、音声データ（スピーカ１１からの音声の出力を制御するデータ）の作成、および音声制御回路１０６への出力などを行う(S4103)。
【０３１４】
［受信コマンド解析処理］
次に図３６〜図３７を用いて受信コマンド解析処理について説明する。演出制御用マイコン９１は、受信コマンド解析処理ではまず、主制御基板８０から始動入賞当否コマンド(第１始動入賞当否コマンド又は第２始動入賞当否コマンド)を受信したか否か、言い換えれば、始動入賞当否コマンドを受信バッファに格納したか否かを判定する(S4201)。始動入賞当否コマンドを受信していれば(S4201でYES)、ステップS4202にて、受信した始動入賞当否コマンドを演出用ＲＡＭ９４に設けられた始動入賞当否コマンド保留記憶部９５に記憶する一方、始動入賞当否コマンドを受信していなければ(S4201でNO)、ステップS4203に進む。
【０３１５】
なお、演出制御用マイコン９１は、第１始動入賞当否コマンドであれば第１始動入賞当否コマンド保留記憶部９５１に記憶し、第２始動入賞当否コマンドであれば第２始動入賞当否コマンド保留記憶部９５２に記憶する。第１始動入賞当否コマンド保留記憶部９５１および第２始動入賞当否コマンド保留記憶部９５２は、遊技用ＲＡＭ８４の特図１保留記憶部８５１および特図２保留記憶部８５２と同様に構成されている。
【０３１６】
ステップS4203において、演出制御用マイコン９１は、主制御基板８０から始動入賞図柄コマンド(第１始動入賞図柄コマンド又は第２始動入賞図柄コマンド)を受信したか否か、言い換えれば、始動入賞図柄コマンドを受信バッファに格納したか否かを判定する。始動入賞図柄コマンドを受信していれば(S4203でYES)、ステップS4204にて、受信した始動入賞図柄コマンドを演出用ＲＡＭ９４に設けられた始動入賞図柄コマンド保留記憶部９６に記憶する一方、始動入賞図柄コマンドを受信していなければ(S4203でNO)、ステップS4205に進む。
【０３１７】
なお、演出制御用マイコン９１は、第１始動入賞図柄コマンドであれば第１始動入賞図柄コマンド保留記憶部９６１に記憶し、第２始動入賞図柄コマンドであれば第２始動入賞図柄コマンド保留記憶部９６２に記憶する。第１始動入賞図柄コマンド保留記憶部９６１および第２始動入賞図柄コマンド保留記憶部９６２は、遊技用ＲＡＭ８４の特図１保留記憶部８５１および特図２保留記憶部８５２と同様に構成されている。
【０３１８】
ステップS4205において、演出制御用マイコン９１は、主制御基板８０から始動入賞変動パターンコマンド(第１始動入賞変動パターンコマンド又は第２始動入賞変動パターンコマンド)を受信したか否か、言い換えれば、始動入賞変動パターンコマンドを受信バッファに格納したか否かを判定する。始動入賞変動パターンコマンドを受信していれば(S4205でYES)、受信した始動入賞変動パターンコマンドを演出用ＲＡＭ９４に設けられた始動入賞変動パターンコマンド保留記憶部９７に記憶し（S4206）、保留演出判定処理を行う（S4207）一方、始動入賞変動パターンコマンドを受信していなければ(S4205でNO)、ステップS4208に進む。保留演出判定処理については後述する。
【０３１９】
なお、演出制御用マイコン９１は、第１始動入賞変動パターンコマンドであれば第１始動入賞変動パターンコマンド保留記憶部９７１に記憶し、第２始動入賞変動パターンコマンドであれば第２始動入賞変動パターンコマンド保留記憶部９７２に記憶する。第１始動入賞変動パターンコマンド保留記憶部９７１および第２始動入賞変動パターンコマンド保留記憶部９７２は、遊技用ＲＡＭ８４の特図１保留記憶部８５１および特図２保留記憶部８５２と同様に構成されている。
【０３２０】
ステップS4208において、演出制御用マイコン９１は、主制御基板８０から図柄指定コマンドを受信したか否か、言い換えれば、図柄指定コマンドを受信バッファに格納したか否かを判定する。演出制御用マイコン９１は、図柄指定コマンドを受信していなければ(S4208でNO)、ステップS4210に進む一方、図柄指定コマンドを受信していれば(S4208でYES)、図柄指定コマンドを演出用ＲＡＭ９４にある特図解析結果記憶部９８に記憶する（S4209）。なお、ここで演出制御用マイコン９１が取得した情報（特図解析結果）は、これ以降に実行する処理においても適宜利用可能なものとする。
【０３２１】
ステップS4210において、演出制御用マイコン９１は、主制御基板８０から特図変動開始コマンドを受信したか否か、言い換えれば、特図変動開始コマンドを受信バッファに格納したか否かを判定する。特図変動開始コマンドを受信していなければ(S4210でNO)、ステップS4213に進む一方、特図変動開始コマンドを受信していれば(S4210でYES)、特図変動演出の演出内容を決定し、特図変動演出を開始させるための特図変動演出開始処理(S4211)、および保留アイコンをシフトさせる保留アイコンシフト処理（S4212）を行って、ステップS4213に進む。
【０３２２】
演出制御用マイコン９１は、特図変動演出開始処理では、まず、ステップS4209で既に記憶した図柄指定コマンドが示す停止特図の内容（大当たり図柄の種別、ハズレ特図）と特図変動開始コマンドが示す特図変動パターンに基づいて、停止演出図柄を判定する停止図柄判定を行うための停止図柄パターン判定テーブルを選択する。停止図柄パターン判定テーブルは、特図および特図変動パターンに関連づけられて複数設けられている。よって、演出制御用マイコン９１は、停止図柄の種別および特図変動パターンに対応付けられた停止図柄パターン判定テーブルを１つ選択する。各停止図柄パターン判定テーブルには、所定の振分率（％）となるように、複数の停止演出図柄に停止図柄パターン判定用乱数の値（停止図柄パターン判定値）が振り分けられている。次に、演出制御用マイコン９１は、停止図柄パターン判定用乱数カウンタが示す値を停止図柄パターン判定用乱数として取得し、取得した停止図柄パターン判定用乱数に基づいて停止図柄パターン判定を行う。演出制御用マイコン９１は、停止図柄パターン判定において、選択した停止図柄パターンテーブルに、取得した停止図柄パターン判定用乱数を照合し、停止演出図柄を決定して、決定した停止演出図柄を表すデータを演出用ＲＡＭ９４の所定領域にセットする。
【０３２３】
次に、演出制御用マイコン９１は、特図変動開始コマンドが示す特図変動パターンに基づいて、特図変動演出の演出内容である特図変動演出パターンを判定する特図変動演出パターン判定を行うための特図変動演出パターン判定テーブルを選択する。特図変動演出パターン判定テーブルは、特図変動パターンに関連づけられて複数設けられている。よって、演出制御用マイコン９１は、特図変動パターンに対応付けられた特図変動演出パターン判定テーブルを１つ選択する。各特図変動演出パターン判定テーブルには、所定の振分率（％）となるように、複数の特図変動演出パターンに特図変動演出パターン判定用乱数の値（特図変動演出パターン判定値）が振り分けられている。続いて、演出制御用マイコン９１は、特図変動演出パターン判定用乱数カウンタが示す値を特図変動演出パターン判定用乱数として取得し、取得した特図変動演出パターン判定用乱数に基づいて特図変動演出パターン判定を行う。演出制御用マイコン９１は、特図変動演出パターン判定において、選択した特図変動演出パターンテーブルに、取得した特図変動演出パターン判定用乱数を照合し、特図変動演出パターンを決定して、決定した特図変動演出パターンを表すデータを演出用ＲＡＭ９４の所定領域にセットし、特図変動演出パターンを表す特図変動演出開始コマンドを演出用ＲＡＭ９４の出力バッファにセットする。
【０３２４】
特図変動演出開始コマンドには、画像表示装置７で行われる画像による特図変動演出の他に、スピーカ１１から出力される音声による特図変動演出、枠ランプ１２で行われる発光による特図変動演出の演出内容、および、盤可動体１３Ｋで行われる動作による特図変動演出の演出内容が含まれている。
【０３２５】
ステップS4211セットされた特図変動演出開始コマンドが、コマンド送信処理(S4004)により画像制御基板１００に送信されると、画像制御基板１００の画像用ＣＰＵ１０２は、画像用ＲＯＭ１０３から所定の演出画像を読み出して、画像表示装置７の表示部７ａにて画像による特図変動演出を行う。また、演出制御用マイコン９１は、画像制御基板１００によって行われる画像による特図変動演出が行われている間、画像制御基板１００に送信された特図変動演出開始コマンドが示す特図変動演出内容に応じて、音声制御回路１０６を介してスピーカ１１から音声を出力させ（音声による特図変動演出を実行し）、また、ランプ制御回路１０７を介して枠ランプ１２を発光させ（発光による特図変動演出を実行し）、盤可動体１３Ｋを作動させる（動作による特図変動演出を実行する）。
【０３２６】
また、演出制御用マイコン９１は、保留アイコンシフト処理において、保留アイコンをシフトさせることを示す保留アイコンシフトコマンドを演出用ＲＡＭ９４の出力バッファにセットする。ステップS4212でセットされた保留アイコンシフトコマンドが、コマンド送信処理(S4004)により画像制御基板１００に送信されると、画像制御基板１００の画像用ＣＰＵ１０２は、画像表示装置７の表示部７ａにて表示されている保留アイコンをシフトさせる。
【０３２７】
ステップS4213において、演出制御用マイコン９１は、主制御基板８０から特図変動停止コマンドを受信したか否か、言い換えれば、特図変動停止コマンドを受信バッファに格納したか否かを判定する。演出制御用マイコン９１は、特図変動停止コマンドを受信していなければ(S4213でNO)、ステップS4216に進む一方、特図変動停止コマンドを受信していれば(S4213でYES)、特図変動演出を終了させる（演出図柄の変動表示を停止し、停止表示を行う）ための特図変動演出終了処理(S4214)、および変動アイコンを消去させる変動アイコン消去処理（S4215）を行う。
【０３２８】
演出制御用マイコン９１は、特図変動演出終了処理では、特図変動停止コマンドを解析し、その解析結果に基づいて、特図変動演出を適宜に終了（演出図柄ＥＺ１〜ＥＺ３の変動表示を停止）させるための特図変動演出終了コマンドを演出用ＲＡＭ９４の出力バッファにセットする。画像制御基板１００は、特図変動演出終了コマンドを受信すると、実行中の特図変動演出を終了（変動中の演出図柄ＥＺ１〜ＥＺ３を停止）する。
【０３２９】
また、演出制御用マイコン９１は、変動アイコン消去処理において、変動アイコンを消去させることを示す変動アイコン消去コマンドを演出用ＲＡＭ９４の出力バッファにセットする。ステップS4515でセットされた変動アイコン消去コマンドが、コマンド送信処理(S4004)により画像制御基板１００に送信されると、画像制御基板１００の画像用ＣＰＵ１０２は、画像表示装置７の表示部７ａにて表示されている変動アイコンを消去する。
【０３３０】
ステップS4216において、演出制御用マイコン９１は、主制御基板８０からオープニングコマンドを受信したか否か、言い換えれば、オープニングコマンドを受信バッファに格納したか否かを判定する。演出制御用マイコン９１は、オープニングコマンドを受信していなければ(S4216でNO)、ステップS4219に進む一方、オープニングコマンドを受信していれば(S4216でYES)、大当たり遊技のオープニングに伴うオープニング演出開始処理(S4217)、および保留アイコンを非表示にする保留アイコン非表示処理（S4218）を行う。
【０３３１】
演出制御用マイコン９１は、オープニング演出開始処理では、オープニングコマンドを解析して、その解析結果に基づいて、これから実行される大当たり遊技のオープニング演出の演出内容（オープニング演出パターン）を選択し、選択したオープニング演出パターンにてオープニング演出を開始するためのオープニング演出開始コマンドを演出用ＲＡＭ９４の出力バッファにセットする。
【０３３２】
また、演出制御用マイコン９１は、保留アイコン非表示処理において、表示されている全ての保留アイコンを非表示にすることを示す保留アイコン非表示コマンドを演出用ＲＡＭ９４の出力バッファにセットする。ステップS4218でセットされた保留アイコン非表示コマンドが、コマンド送信処理(S4004)により画像制御基板１００に送信されると、画像制御基板１００の画像用ＣＰＵ１０２は、画像表示装置７の表示部７ａにて表示されている全ての保留アイコンを非表示にする。これは、大当たり遊技中は、遊技者に大当たり遊技および大当たり遊技演出に集中させ、遊技興趣の低下を防ぐためである。
【０３３３】
ステップS4219において、演出制御用マイコン９１は、主制御基板８０からラウンド数指定コマンドを受信したか否か、言い換えれば、ラウンド数指定コマンドを受信バッファに格納したか否かを判定する。ラウンド数指定コマンドを受信していなければ(S4219でNO)、ステップS4223に進む一方、ラウンド数指定コマンドを受信していれば(S4219でYES)、まずはラウンド遊技の開始に伴うラウンド演出開始処理を行う(S4220)。
【０３３４】
演出制御用マイコン９１は、ラウンド演出開始処理では、ラウンド数指定コマンドを解析して、これから開始されるラウンド遊技に応じたラウンド演出を実行するか否かを判定し、実行するのであればラウンド演出の演出内容（ラウンド演出パターン）を選択し、選択したラウンド演出パターンに応じたラウンド演出開始コマンドを演出用ＲＡＭ９４の出力バッファにセットする。
【０３３５】
次に、演出制御用マイコン９１は、ラウンド数指定コマンドが示すラウンドの順番がラウンド１であるか否かを判定する（S4221）。演出制御用マイコン９１は、ラウンド１でなければ(S4221でNO)、ステップS4223に進む一方、ラウンド１であれば(S4221でYES)、保留連演出を実行するか否かを判定する保留連演出判定を行う(S4222)。保留連演出判定については後述する。
【０３３６】
ステップS4223において、演出制御用マイコン９１は、主制御基板８０からエンディングコマンドを受信したか否か、言い換えれば、エンディングコマンドを受信バッファに格納したか否かを判定する。エンディングコマンドを受信していなければ(S4223でNO)、ステップS4226に進む一方、エンディングコマンドを受信していれば(S4223でYES)、大当たり遊技のエンディングに伴うエンディング演出開始処理(S4224)、および演出モード設定処理（S4225）を行う。
【０３３７】
演出制御用マイコン９１は、エンディング演出開始処理において、エンディングコマンドを解析して、これから実行される大当たり遊技のエンディングに応じたエンディング演出の演出内容（エンディング演出パターン）を選択し、選択した大当たりエンディング演出パターンに応じたエンディング演出開始コマンドを演出用ＲＡＭ９４の出力バッファにセットする。
【０３３８】
なお、演出制御用マイコン９１は、大当たり遊技が終了する際に特図２保留に応じた保留演出を行うことを示す特図２保留演出開始コマンドを演出用ＲＡＭ９４の出力バッファにセットする。ステップS4224でセットされた特図２保留演出開始コマンドが、コマンド送信処理(S4004)により画像制御基板１００に送信されると、画像制御基板１００の画像用ＣＰＵ１０２は、画像表示装置７の表示部７ａにて、全ての特図２保留に応じた保留演出を開始させる。これは、大当たり遊技開始時に保留アイコンが全て非表示にされ、大当たり遊技後は時短状態で遊技が進行し、第２始動口２２へ入賞させて特図２可変表示を実行させる遊技が中心になるからである。
【０３３９】
また、演出制御用マイコン９１は、演出モード設定処理において、エンディングコマンドの解析結果、言い換えると当該エンディングに係る大当たり図柄の種別に基づいて、大当たり遊技後の演出モードを設定するための処理（演出モードを制御するための処理）を行う。
【０３４０】
ステップS4226において、演出制御用マイコン９１は、主制御基板８０から遊技状態コマンドを受信したか否か、言い換えれば、遊技状態コマンドを受信バッファに格納したか否かを判定する。演出制御用マイコン９１は、遊技状態コマンドを受信していなければ(S4226でNO)、受信コマンド解析処理を終了する一方、遊技状態コマンドを受信していれば(S4226でYES)、遊技状態コマンドを解析して、遊技状態コマンドが表す遊技状態を特定し、遊技状態を設定するための遊技状態設定処理を行う(S4227)。
【０３４１】
遊技状態設定処理において、演出制御用マイコン９１は、遊技状態コマンドが示す遊技状態に応じた遊技状態フラグを演出用ＲＡＭ９４の遊技状態フラグ領域に設定する。例えば、演出制御用マイコン９１は、遊技状態コマンドが示す遊技状態が通常遊技状態であれば遊技状態フラグ「００Ｈ」を演出用ＲＡＭ９４の遊技状態フラグ領域に設定する。また、演出制御用マイコン９１は、遊技状態コマンドが示す遊技状態が通常確率状態且つ時短状態であれば遊技状態フラグ「０１Ｈ」を演出用ＲＡＭ９４の遊技状態フラグ領域に設定する。また、演出制御用マイコン９１は、遊技状態コマンドが示す遊技状態が高確率状態且つ時短状態であれば遊技状態フラグ「０２Ｈ」を演出用ＲＡＭ９４の遊技状態フラグ領域に設定する。
【０３４２】
［保留演出判定処理］
次に図３８を用いて保留演出判定処理について説明する。演出制御用マイコン９１は、保留演出判定処理では、まず保留演出パターン判定用乱数カウンタが示す値を保留演出パターン判定用乱数として取得し（S5001）、ステップS4202で記憶した始動入賞当否コマンドが示す始動口情報が第１始動口２０であるかを判定する（S5002）。
【０３４３】
演出制御用マイコン９１は、第１始動口２０であれば(S5002でYES)、特図１保留が発生したということであるので特図１保留用の保留演出パターン判定テーブルを選択し（S5003）、第１始動口２０でなければ(S5002でNO)、特図２保留が発生したということであるので特図２保留用の保留演出パターン判定テーブルを選択する（S5004）。
【０３４４】
保留演出パターン判定テーブルは、保留演出の演出態様、具体的には保留アイコンの表示態様、詳細には保留アイコンの色を判定するためのテーブルであり、図４３〜図４４に示すように、保留演出の対象となる保留の種別（特図１保留／特図２保留）、大当たりかハズレかに関連付けられている。さらに、各大当たり用の保留演出パターン判定テーブルは、大当たり図柄の種別に関連付けられている。一方、各ハズレ用の保留演出パターン判定テーブルは、大当たり図柄の種別に関連付けられている。
【０３４５】
次に、演出制御用マイコン９１は、始動入賞当否コマンドが示す情報が確定大当たり情報、または暫定大当たり情報であるかを判定する（S5005）。演出制御用マイコン９１は、確定大当たり情報、または暫定大当たり情報であれば(S5005でYES)、ステップS5003またはステップS5004で選択した保留演出パターン判定テーブルの中からさらに大当たり用の保留演出パターン判定テーブルを選択し（S5006）、ステップS4204で記憶した始動入賞図柄コマンドが示す図柄情報に関連付けられた大当たり用の保留演出パターン判定テーブルを選択する（S5007）。一方、演出制御用マイコン９１は、確定大当たり情報、または暫定大当たり情報でなければ(S5005でNO)、ステップS5003またはステップS5004で選択した保留演出パターン判定テーブルの中からさらにハズレ用の保留演出パターン判定テーブルを選択し（S5008）、ステップS4206で記憶した始動入賞変動パターンコマンドが示す変動パターン情報に関連付けられたハズレ用の保留演出パターン判定テーブルを選択する（S5009）。
【０３４６】
各保留演出パターン判定テーブルには、所定の（図４３〜図４４に記載の）振分率（％）となるように、保留演出パターンに保留演出パターン判定用乱数の値（保留演出パターン判定値）が振り分けられている。保留演出パターンとして、保留演出パターン０１〜保留演出パターン０５が設定されている。
【０３４７】
保留演出パターン０１には、保留アイコンの色として通常の通常色（通常態様）が対応付けられている。一方、保留演出パターン０２〜保留演出パターン０５には、保留アイコンの色として、通常の通常色とは異なる特別色（特別態様）が対応付けられている。すなわち、保留演出パターン０２〜保留演出パターン０５が選択されることは保留変化予告の実行を意味する。反対に、保留演出パターン０１が選択されることは保留変化予告の不実行を意味する。
【０３４８】
また、保留変化予告に係る保留演出パターン０２〜保留演出パターン０５によって大当たり期待度が異なる。具体的には、保留演出パターン０５（金色）＞保留演出パターン０４（赤色）＞保留演出パターン０３（緑色）＞保留演出パターン０２（白色点滅）の順で大当たり期待度が高い。
【０３４９】
演出制御用マイコン９１は、ステップS5010において、保留演出パターン判定を行う。演出制御用マイコン９１は、保留演出パターン判定において、ステップS5007またはステップS5009において最終的に選択した保留演出パターン判定テーブルに、ステップS5001で取得した保留演出パターン判定用乱数を照合し、保留演出パターンを決定する。
【０３５０】
続いて、演出制御用マイコン９１は、保留演出パターンを表す保留演出開始コマンドを演出用ＲＡＭ９４の出力バッファにセットして（S5011）、保留演出判定処理を終える。なお、ステップS5005でセットされた保留演出開始コマンドが、コマンド送信処理(S4004)により画像制御基板１００に送信されると、画像制御基板１００の画像用ＣＰＵ１０２は、当該保留演出に係る特図保留を含めた特図保留数に応じた保留表示領域７３ａの所定位置（第１領域７３ａ１〜第４領域７３ａ４の何れか）に通常態様の保留アイコンを表示する。そして、保留演出パターン０２〜保留演出パターン０５であれば、通常態様で表示した直後に、受信した保留演出開始コマンドが示す保留演出パターンに応じた色に変化させる。
【０３５１】
［保留演出判定処理］
次に図３９〜図４２を用いて保留連演出判定処理について説明する。演出制御用マイコン９１は、保留連演出判定処理では、まず第２始動入賞当否コマンドを記憶しているか否か、すなわち特図２保留数が１以上であるか否かを判定する（S5101）。演出制御用マイコン９１は、第２始動入賞当否コマンドを記憶していなければ(S5101でNO)保留連演出判定処理を終え、第２始動入賞当否コマンドを記憶していれば(S5101でYES)、記憶しているオープニングコマンドに基づいて、大当たり遊技後は高確率状態で遊技が進行するか否か、すなわち、現在実行中の大当たり遊技は高確率大当たり当選によるものであるか否かを判定する（S5102）。
【０３５２】
演出制御用マイコン９１は、大当たり遊技後は高確率状態で遊技が進行する場合（S5102でYES）、演出用ＲＡＭ９４の所定領域に仮高確率状態フラグをＯＮし（S5103）ステップS5104に進み、大当たり遊技後は高確率状態で遊技が進行しない場合（S5102でNO）、そのままステップS5104に進む。
【０３５３】
演出制御用マイコン９１は、ステップS5104において、最も先に記憶した（１番目の）第２始動入賞当否コマンドが示す当否情報は、確定大当たり情報であるか否かを判定する（S5104）。演出制御用マイコン９１は、確定大当たり情報であれば（S5104でYES）、ステップS5107に進み、確定大当たり情報でなければ（S5104でNO）、最も先に記憶した（１番目の）第２始動入賞当否コマンドが示す当否情報は、暫定大当たり情報、または暫定ハズレ情報であるか否かを判定する（S5105）。
【０３５４】
演出制御用マイコン９１は、暫定大当たり情報、または暫定ハズレ情報でなければ（S5105でNO）ステップS5111に進み、暫定大当たり情報、または暫定ハズレ情報であれば（S5105でYES）、仮高確率状態フラグがＯＮであるか否かを判定する（S5106）。演出制御用マイコン９１は、仮高確率状態フラグがＯＮでなければ（S5106でNO）ステップS5111に進み、仮高確率状態フラグがＯＮであれば（S5106でYES）、ステップS5107に進む。
【０３５５】
ステップS5107に進むということは次に行われる特図２可変表示で大当たりになるということである。そして、演出制御用マイコン９１は、ステップS5107において、最も先に記憶した（１番目の）第２始動入賞図柄コマンドが示す図柄情報は、高確率大当たりであるか否かを判定する。演出制御用マイコン９１は、高確率大当たりであれば（S5107でYES）、確変保留連演出開始コマンドを演出用ＲＡＭ９４の出力バッファにセットし（S5108）、高確率大当たりでなければ（S5107でNO）、時短保留連演出開始コマンドを演出用ＲＡＭ９４の出力バッファにセットする（S5109）。
【０３５６】
続いて、演出制御用マイコン９１は、ステップS5110において、仮高確率状態フラグをＯＦＦし、保留連演出判定処理を終える。
【０３５７】
また、ステップS5111に進むということは、次の特図２可変表示では大当たりにならないということが確定している。そして、演出制御用マイコン９１は、ステップS5111において、１番目の第２始動入賞当否コマンドの次に記憶された（２番目の）第２始動入賞当否コマンドがあるか否かを判定する。演出制御用マイコン９１は、２番目の第２始動入賞当否コマンドがなければ（S5111でNO）保留連演出判定処理を終え、２番目の第２始動入賞当否コマンドがあれば（S5111でYES）、ステップS5112に進む。
【０３５８】
演出制御用マイコン９１は、ステップS5112において、２番目の第２始動入賞当否コマンドが示す当否情報は、確定大当たり情報であるか否かを判定する。演出制御用マイコン９１は、確定大当たり情報であれば（S5112でYES）、ステップS5115に進み、確定大当たり情報でなければ（S5112でNO）、２番目の第２始動入賞当否コマンドが示す当否情報は、暫定大当たり情報、または情報であるか否かを判定する（S5113）。
【０３５９】
演出制御用マイコン９１は、暫定大当たり情報、または暫定ハズレ情報でなければ（S5113でNO）ステップS5119に進み、暫定大当たり情報、または暫定ハズレ情報であれば（S5113でYES）、仮高確率状態フラグがＯＮであるか否かを判定する（S5114）。演出制御用マイコン９１は、仮高確率状態フラグがＯＮでなければ（S5114でNO）ステップS5119に進み、仮高確率状態フラグがＯＮであれば（S5114でYES）、ステップS5115に進む。
【０３６０】
ステップS5115に進むということは、大当たり遊技の後の２回目の特図２可変表示で大当たりになるということである。そして、演出制御用マイコン９１は、ステップS5115において、１番目の第２始動入賞図柄コマンドの次に記憶された（２番目の）第２始動入賞図柄コマンドが示す図柄情報は、高確率大当たりであるか否かを判定する。演出制御用マイコン９１は、高確率大当たりであれば（S5115でYES）、確変保留連演出開始コマンドを演出用ＲＡＭ９４の出力バッファにセットし（S5116）、高確率大当たりでなければ（S5115でNO）、時短保留連演出開始コマンドを演出用ＲＡＭ９４の出力バッファにセットする（S5117）。
【０３６１】
続いて、演出制御用マイコン９１は、ステップS5118において、仮高確率状態フラグをＯＦＦし、保留連演出判定処理を終える。
【０３６２】
また、ステップS5119に進むということは、大当たり遊技後の２回目の特図２可変表示までは大当たりにならないということである。そして、演出制御用マイコン９１は、ステップS5119において、２番目の第２始動入賞当否コマンドの次に記憶された（３番目の）第２始動入賞当否コマンドがあるか否かを判定する。演出制御用マイコン９１は、３番目の第２始動入賞当否コマンドがなければ（S5119でNO）保留連演出判定処理を終え、３番目の第２始動入賞当否コマンドがあれば（S5119でYES）、ステップS5120に進む。
【０３６３】
演出制御用マイコン９１は、ステップS5120において、３番目の第２始動入賞当否コマンドが示す当否情報は、確定大当たり情報であるか否かを判定する。演出制御用マイコン９１は、確定大当たり情報であれば（S5120でYES）、ステップS5123に進み、確定大当たり情報でなければ（S5120でNO）、３番目の第２始動入賞当否コマンドが示す当否情報は、暫定大当たり情報、または暫定ハズレ情報であるか否かを判定する（S5121）。
【０３６４】
演出制御用マイコン９１は、暫定大当たり情報、または暫定ハズレ情報でなければ（S5121でNO）ステップS5127に進み、暫定大当たり情報、または暫定ハズレ情報であれば（S5121でYES）、仮高確率状態フラグがＯＮであるか否かを判定する（S5122）。演出制御用マイコン９１は、仮高確率状態フラグがＯＮでなければ（S5122でNO）ステップS5127に進み、仮高確率状態フラグがＯＮであれば（S5122でYES）、ステップS5123に進む。
【０３６５】
ステップS5123に進むということは、大当たり遊技の後の３回目の特図２可変表示で大当たりになるということである。そして、演出制御用マイコン９１は、ステップS5123において、２番目の第２始動入賞図柄コマンドの次に記憶された（３番目の）第２始動入賞図柄コマンドが示す図柄情報は、高確率大当たりであるか否かを判定する。演出制御用マイコン９１は、高確率大当たりであれば（S5123でYES）、確変保留連演出開始コマンドを演出用ＲＡＭ９４の出力バッファにセットし（S5124）、高確率大当たりでなければ（S5123でNO）、時短保留連演出開始コマンドを演出用ＲＡＭ９４の出力バッファにセットする（S5125）。
【０３６６】
続いて、演出制御用マイコン９１は、ステップS5126において、仮高確率状態フラグをＯＦＦし、保留連演出判定処理を終える。
【０３６７】
また、ステップS5127に進むということは、大当たり遊技後の３回目の特図２可変表示までは大当たりにならないということが確定している。そして、演出制御用マイコン９１は、ステップS5127において、３番目の第２始動入賞当否コマンドの次に記憶された（４番目の）第２始動入賞当否コマンドがあるか否かを判定する。演出制御用マイコン９１は、４番目の第２始動入賞当否コマンドがなければ（S5127でNO）保留連演出判定処理を終え、４番目の第２始動入賞当否コマンドがあれば（S5127でYES）、ステップS5128に進む。
【０３６８】
演出制御用マイコン９１は、ステップS5128において、４番目の第２始動入賞当否コマンドが示す当否情報は、確定大当たり情報であるか否かを判定する。演出制御用マイコン９１は、確定大当たり情報であれば（S5128でYES）、ステップS5131に進み、確定大当たり情報でなければ（S5128でNO）、４番目の第２始動入賞当否コマンドが示す当否情報は、暫定大当たり情報、または暫定ハズレ情報であるか否かを判定する（S5129）。
【０３６９】
演出制御用マイコン９１は、暫定大当たり情報、または暫定ハズレ情報でなければ（S5129でNO）保留連演出判定処理を終え、暫定大当たり情報、または暫定ハズレ情報であれば（S5129でYES）、仮高確率状態フラグがＯＮであるか否かを判定する（S5130）。演出制御用マイコン９１は、仮高確率状態フラグがＯＮでなければ（S5130でNO）保留連演出判定処理を終え、仮高確率状態フラグがＯＮであれば（S5130でYES）、ステップS5131に進む。
【０３７０】
ステップS5131に進むということは、大当たり遊技後の４回目の特図２可変表示で大当たりになるということである。そして、演出制御用マイコン９１は、ステップS5131において、３番目の第２始動入賞図柄コマンドの次に記憶された（４番目の）第２始動入賞図柄コマンドが示す図柄情報は、高確率大当たりであるか否かを判定する。演出制御用マイコン９１は、高確率大当たりであれば（S5131でYES）、確変保留連演出開始コマンドを演出用ＲＡＭ９４の出力バッファにセットし（S5132）、高確率大当たりでなければ（S5133でNO）、時短保留連演出開始コマンドを演出用ＲＡＭ９４の出力バッファにセットする（S5133）。
【０３７１】
続いて、演出制御用マイコン９１は、ステップS5134において、仮高確率状態フラグをＯＦＦし、保留連演出判定処理を終える。
【０３７２】
なお、ステップS5108、ステップS5116、ステップS5124、またはステップS5132でセットされた確変保留連演出開始コマンドが、コマンド送信処理(S4004)により画像制御基板１００に送信されると、画像制御基板１００の画像用ＣＰＵ１０２は、確変保留連演出として、画像表示装置７の表示部７ａにて保留連演出画像Ｇ４を表示する。また、演出制御用マイコン９１は、確変保留連演出として、画像制御基板１００によって保留連演出画像Ｇ４が表示されるときに、音声制御回路１０６を介してスピーカ１１から特定の効果音を出力させる（音声による確変保留連演出を実行する）。
【０３７３】
また、ステップS5109、ステップS5117、ステップS5125、またはステップS5133でセットされた時短保留連演出開始コマンドが、コマンド送信処理(S4004)により画像制御基板１００に送信されると、画像制御基板１００の画像用ＣＰＵ１０２は、時短保留連演出として、画像表示装置７の表示部７ａにて保留連演出画像Ｇ４を表示する。なお、この場合、演出制御用マイコン９１は、音声制御回路１０６を介してスピーカ１１から特定の効果音を出力させない（音声による時短保留連演出を実行しない）。
【０３７４】
以上のように、パチンコ遊技機ＰＹ１によれば、通常確率状態のときと高確率状態のときのそれぞれで、通常確率状態のときでも高確率状態のときでも大当たりと判定される第１当否グループ、高確率状態のときのみ大当たりと判定される第２当否グループ、および通常確率状態のときでも高確率状態のときでもハズレと判定される第３当否グループごとに、各グループに応じた始動入賞当否コマンドを特定し、サブ制御基板９０に送信する。ここで、第２当否グループについては、そのときに滞在している遊技状態（通常確率状態／高確率状態）に応じて、大当たりと判定されるかハズレと判定されるか異なる。しかし、大当たりと判定される場合には大当たりを示す始動入賞当否コマンドが特定され、大当たりと判定される場合にはハズレを示す始動入賞当否コマンドが特定される。よって、通常確率状態と高確率状態で制御可能であるため、情報として不確定要素を含む第２当否グループについても、特図保留発生時の遊技状態に応じた正確な情報をサブ制御基板９０に送信することで、保留変化予告などの先読み演出の実行の機会の減少を防ぐことができる。さらに、第１当否グループと第２当否グループに分かれ、各グループに応じた始動入賞当否コマンドを特定しているため、大当たり遊技後に通常確率状態と高確率状態の何れかで遊技が進行するが、正確に保留連演出を行うことができる。
【０３７５】
また、始動入賞当否コマンドが暫定ハズレ情報であるときには、変動パターン情報がサブ制御基板９０に送信されるので、変動パターン情報も反映させた先読み演出を行うことができ、演出効果が向上する。さらに、始動入賞当否コマンドが暫定ハズレ情報であるときには、本来は、言い換えると、現在の遊技状態ではハズレであるにも関わらず、図柄情報がサブ制御基板９０に送信されるので、大当たり図柄の種別を反映させた保留連演出を行うことができ、演出効果が向上する。
【０３７６】
ここで、第２当否グループの始動入賞当否コマンドを、第３当否グループの始動入賞当否コマンドと同一の始動入賞当否コマンドで構成させ、つまり、暫定ハズレ情報と確定ハズレ情報とを統合して１つのハズレ情報で構成させ、演出制御マイコン９１は、ハズレ情報と図柄情報が送信されてきたことをもって、取得された特別図柄乱数が第２当否グループであることを判断できるようにしても良い。このようにすることで、一般的にはデータ容量が規制されている遊技用ＲＯＭ８３に格納されるデータ量を削減することができる。なお、この場合、第２当否グループについてハズレ情報と共に送信させるコマンドは図柄情報ではなく、図柄情報とは別の第２当否グループを示す特定のコマンドであっても良い。
【０３７７】
７．その他の変更例
以下、本発明の遊技機について、第１実施形態で説明した構成以外の変更例について説明する。
【０３７８】
特別図柄乱数、大当たり図柄種別乱数、リーチ乱数、特図変動パターン乱数、および普通図柄乱数の範囲は第１実施形態に限られず適宜に設定可能である。また、大当たり判定テーブル、大当たり図柄判定テーブル、リーチ判定テーブル、特図変動パターン判定テーブル、および当たり判定テーブルにおける各乱数判定値の各判定結果への割り振り方は、第１実施形態に限られず適宜に設定しても良い。なお、これらに伴って、始動入賞当否コマンド特定テーブル、始動入賞図柄コマンド特定テーブル、および始動入賞変動パターン特定テーブルにおける各グループを構成する乱数値も変化する。また、各判定テーブルにおける各判定結果に対する選択率も第１実施形態に限られず適宜に設定可能である。
【０３７９】
また、第１実施形態では、各種乱数を取得して、取得した乱数を特図保留記憶部８５や普図保留記憶部８６に記憶しているが、取得した乱数を所定の識別データに変換して記憶しても良い。
【０３８０】
第１実施形態では、始動入賞コマンドに始動入賞図柄コマンドが含まれており、大当たり図柄を表す図柄情報がサブ制御基板９０に送られているが、始動入賞図柄コマンドが含まれていなくてもよい。
【０３８１】
また、第１実施形態では、当否情報が確定大当たり情報または暫定大当たり情報である場合には、特図変動パターンコマンドもサブ制御基板９０に送っているが、必ずしも特図変動パターンコマンドを送る必要はない。
【０３８２】
さらに、第１実施形態では、始動入賞当否コマンドと始動入賞変動パターンコマンドとが設けられており、確定大当たり、暫定大当たり、暫定ハズレ、および特定ハズレを示す当否情報と、特図変動パターン情報とが別のコマンドで分けて構成されているが、例えば、始動入賞当否コマンドを設定せずに、図４５に示すように、当否情報、および特図変動パターン情報とを合わせた始動入賞変動パターンを設定しても良い。なお、図４５では、始動入賞変動パターンコマンドは、当否情報を識別するための１バイトのＭＯＤＥデータと、特図変動パターン情報を識別するための１バイトのＤＡＴＡデータとから構成されている。また、この場合も第１実施形態の場合と同様に、第２当否グループと第３当否グループについて、ＭＯＤＥデータを統合してハズレを示す同一のＭＯＤＥデータにしても良い。そして、演出制御マイコン９１は、ハズレを示すＭＯＤＥデータで構成される始動入賞変動コマンドと始動入賞図柄コマンドが送信されてきたことをもって、取得された特別図柄乱数が第２当否グループであることを判断できるようにしても良い。このようにすることで、さらに遊技用ＲＯＭ８３に格納されるデータ量を削減することができる。また、第２当否グループについては、始動入賞図柄コマンドとは異なる特定のコマンドを始動入賞変動コマンドと共に送信しても良い。
【０３８３】
さらに、第１実施形態では、始動入賞コマンドを用いた先読み演出として保留変化予告および保留連演出が実行されているが、これらの演出態様は第１実施形態に限定されることはなく、適宜に設定しても良い。また、保留変化予告や保留連演出以外にも、例えば複数の特図変動にわたる所謂「連続予告演出」を行っても良い。
【０３８４】
また、第１実施形態では、保留連演出は大当たり遊技のラウンド遊技中に行われているが、実行タイミングはこれに限られず、オープニングやエンディングで行っても良い。さらには、大当たり遊技が行われる前に特図可変表示中に行うこともできる。
【０３８５】
また、第１実施形態では、確変保留連演出および時短保留連演出で同一の保留連演出画像Ｇ４が表示されるが、確変保留連演出と時短保留連演出とで異なる画像を表示するようにしても良い。さらに、大当たり遊技中に、さらに２回以上の大当たり遊技が実行されていることが確定している場合、確定している大当たりの回数に応じて異なる演出態様の保留連演出を実行しても良い。この場合、確定している大当たりの回数と大当たりの種類の組み合わせによって異なる演出態様の保留連演出を実行しても良い。ここでの「大当たりの種類」とは、大当たり遊技の後に高確率状態や時短状態などの遊技者に有利な遊技状態、大当たり遊技におけるラウンド遊技の回数など、遊技利益に関わる要素によって区別される種類のことである。
【０３８６】
また、第１実施形態では、大当たり遊技で開放可能な大入賞領域として大入賞口３０のみが設けられているが、複数の大入賞領域を設けても良い。
【０３８７】
また、第１実施形態では、大当たり遊技後の終了に伴って必ず時短状態が設定されるが、大当たり図柄の種別に応じて時短状態が設定されるか否かを決定しても良い。この場合、特図２抽選での方が、大当たり遊技後の終了に伴って時短状態が設定される大当たり図柄に高確率で当選できるようになっていても良い。
【０３８８】
また、第１実施形態などでは、大当たり判定において大当たりに当選することによって、大入賞口３０の開閉を伴う大当たり遊技が実行されるが、大入賞口３０の開閉を伴う遊技として所謂「小当たり遊技」を設けても良い。小当たり遊技は、大当たり判定において、大当たりおよびハズレとは異なる「小当たり」に当選することによって実行される。そして、小当たり遊技における大入賞口３０の最大開放時間は１．８秒以下であることが望ましい。また、小当たり遊技の終了に伴い、遊技状態は変化しない。すなわち、小当たり遊技の実行中および実行後は、当該実行前の遊技状態が継続し、小当たり遊技の実行が遊技状態に影響を及ぼさない。すなわち、小当たりに当選すると、大入賞口３０の開閉を伴う小当たり遊技が実行されるだけである。
【０３８９】
なお、このように小当たりを設ける場合は、始動入賞当否コマンドに、大当たり、小当たり、およびハズレを示す当否情報を関連付けることができる。また、小当たりが複数種類ある場合は、大当たり図柄種別乱数と同様に小当たり図柄乱数を取得できるようにし、当否情報が小当たりである場合には、小当たり図柄乱数に基づく図柄情報が関連付けられた始動入賞図柄コマンドを特定して、サブ制御基板９０に送信しても良い。
【０３９０】
また、第１実施形態では、高確率回数が１６０回に設定され、時短回数が１６０回と１００回に設定されているが、これらの通常遊技状態より遊技者に有利な遊技状態に対する特別図柄の変動表示の規定回数は限定されず適宜に設定することができる。例えば、高確率回数を１００回に設定し、時短回数をＶ通過の有無に関わらず１００回に設定してもよい。また、時短回数を０回に設定してもよい。また、大当たり遊技後の経過時間や遊技球の発射個数などの特別図柄の変動表示の実行回数ではない他の要素に基づいて、通常遊技状態より遊技者に有利な遊技状態に対する継続期間を設定してもよい。
【０３９１】
また、第１実施形態では、遊技の進行に係る基本的な制御を主制御基板８０が行い、遊技の進行（遊技の制御）に応じた演出の進行に係る基本的な制御をサブ制御基板９０が行うというように、遊技の制御と演出の制御とを異なる基板で行っているが、一つの基板で行うよう構成しても良い。この場合、画像制御基板１００を、その一つの基板に含めても良く、また、その一つの基板とは別に設けても良い。
【０３９２】
また、本発明の遊技機を、アレンジボール機、雀球遊技機等の他の弾球遊技機や回胴式遊技機（所謂「スロットマシーン」）などに適用することも可能である。
【０３９３】
８．実施形態に開示されている他の発明
この［発明を実施するための形態］における前段落までには、以下の発明Ａ１〜発明Ａ５が開示されている。発明Ａ１〜発明Ａ５の説明では、前述した発明を実施する形態における対応する構成の名称や表現、図面に使用した符号を参考のためにかっこ書きで付記している。但し、各発明を構成する手段などの要素はこの付記に限定されるものではない。
【０３９４】
８−１．発明Ａ１
発明Ａ１に係る遊技機は、
所定条件の成立（特図１保留数が４未満のときに第１始動口２０へ入賞、または第２保留数が４未満のときに第２始動口２２へ入賞）により、所定の当否判定情報（特別図柄乱数）により、所定の当否判定情報を取得する取得手段（ステップS211またはステップS218を行う遊技制御用マイコン８１）と、
前記取得手段により取得された前記当否判定情報に基づいて、遊技者に有利な有利遊技状態に遊技を制御（大当たり遊技を実行）するか否かを判定する当否判定手段（ステップS1602またはステップS1609を行う遊技制御用マイコン８１）と、
前記当否判定手段による判定の結果に基づいて、所定の演出を制御可能な演出制御手段（演出制御用マイコン９１）と、を備える遊技機であって、
前記当否判定手段による判定が行われる前に、前記取得手段により取得された前記当否判定情報に基づいて、前記有利遊技状態に遊技を制御するか否かに関する当否情報（始動入賞当否コマンド）を特定する特定手段（ステップS212またはステップS219を行う遊技制御用マイコン８１）と、
前記当否情報を前記演出制御手段に送信する送信手段（ステップS107を行う遊技制御用マイコン８１）と、を備え、
前記演出制御手段は、前記当否情報に基づいて特定演出（保留演出、保留変化予告、保留連演出）を制御可能であり、
第１遊技状態（通常確率状態）、または当該第１遊技状態と異なる第２遊技状態（高確率状態）で遊技を制御可能であり、
前記当否判定情報には、少なくとも、１または複数の第１当否判定情報（第１当否グループ）と、１または複数の第２当否判定情報（第２当否グループ）と、１または複数の第３当否判定情報（第３当否グループ）と、があり、
前記当否判定手段は、
前記第１遊技状態では、前記取得手段により取得された前記当否判定情報が前記第１当否判定情報である場合に前記有利遊技状態に遊技を制御すると判定する一方、
前記第２遊技状態では、前記取得手段により取得された前記当否判定情報が前記第１当否判定情報および第２当否判定情報である場合に前記有利遊技状態に遊技を制御すると判定するように構成され、
前記特定手段は、
前記第１遊技状態において前記当否情報を特定する場合、
前記第１当否判定情報であれば、当該第１当否判定情報に応じた第１当否情報（第１始動入賞当否コマンド０１、第２始動入賞当否コマンド０１）を特定し、前記第２当否判定情報であれば、当該第２当否判定情報に応じた第２当否情報（第１始動入賞当否コマンド０２、第２始動入賞当否コマンド０２）を特定し、前記第３当否判定情報であれば、当該第３当否判定情報に応じた第３当否情報（第１始動入賞当否コマンド０３、第２始動入賞当否コマンド０３）を特定する一方、
前記第２遊技状態において前記当否情報を特定する場合、
前記第１当否判定情報であれば、当該第１当否判定情報に応じた第４当否情報（第１始動入賞当否コマンド０４、第２始動入賞当否コマンド０４）を特定し、前記第２当否判定情報であれば、当該第２当否判定情報に応じた第５当否情報（第１始動入賞当否コマンド０５、第２始動入賞当否コマンド０５）を特定し、前記第３当否判定情報であれば、当該第３当否判定情報に応じた第６当否情報（第１始動入賞当否コマンド０６、第２始動入賞当否コマンド０６）を特定することを特徴とする。
【０３９５】
８−２．発明Ａ２
発明Ａ２に係る遊技機は、
発明Ａ１に係る遊技機であって、
前記第１当否情報、前記第４当否情報、および前記第５当否情報は、前記有利遊技状態に遊技が制御されることを示す内容であり、
前記第２当否情報、前記第３当否情報、および前記第６当否情報は、前記有利遊技状態に遊技が制御されないことを示す内容であることを特徴とする。
【０３９６】
８−３．発明Ａ３
発明Ａ３に係る遊技機は、
発明Ａ１または発明Ａ２に係る遊技機であって、
前記取得手段は、前記所定条件の成立により、前記当否判定情報の他に変動パターン判定情報（変動パターン乱数）を取得し、
前記当否判定手段の判定結果に応じて、前記変動パターン判定情報に基づいて、変動パターンを判定する変動パターン判定手段（ステップS1603またはステップS1610を行う遊技制御用マイコン８１）と、
前記変動パターン判定手段により判定された前記変動パターンに基づいて、図柄を変動表示した後に、前記当否判定手段の判定結果を示す態様で停止表示する図柄表示制御手段（ステップS1502、ステップS1503およびステップS1504を行う遊技制御用マイコン８１）と、を備え、
前記特定手段は、前記変動パターン判定情報に基づいて、前記変動パターンに関する変動パターン情報を特定可能であり、
前記送信手段は、前記当否情報の他に、前記変動パターン情報も前記演出制御手段に送信可能であり、
前記演出制御手段は、前記当否情報、および前記変動パターン情報に基づいて前記特定演出を制御可能であることを特徴とする。
【０３９７】
８−４．発明Ａ４
発明Ａ４に係る遊技機は、
発明Ａ１乃至発明Ａ３の何れか１つに係る遊技機であって、
前記有利遊技状態の種類（大当たりＡ〜大当たりＥ）が複数設けられており、
前記取得手段は、前記所定条件の成立により、前記当否判定情報の他に種別判定情報（大当たり図柄種別乱数）を取得し、
前記当否判定手段の判定結果が前記有利遊技状態に遊技を制御するである場合、前記種別判定情報に基づいて、前記有利遊技状態の種別を判定する種別判定手段（ステップS1602またはステップS1609を行う遊技制御用マイコン８１）を備え、
前記特定手段は、前記当否情報として前記第２当否情報を特定した場合、前記種別判定情報に基づいて、前記有利遊技状態の種別に関する種別情報（図柄情報）を特定可能であり、
前記送信手段は、前記当否情報の他に、前記種別情報も前記演出制御手段に送信可能であり、
前記演出制御手段は、前記当否情報、および前記種別情報に基づいて前記特定演出を制御可能であることを特徴とする。
【０３９８】
８−５．発明Ａ５
発明Ａ５に係る遊技機は、
発明Ａ４に係る遊技機であって、
前記種別判定情報には、特定種別判定情報（第１図柄グループ、第２図柄グループ、第４図柄グループ）があり、
前記有利遊技状態の種別には、特定有利遊技状態があり、
前記種別判定手段は、前記特定種別判定情報に基づいて、前記特定有利遊技状態と判定し、
前記取得手段により取得された前記当否判定情報、および前記種別判定情報を記憶する記憶手段（特図保留記憶部８５）と、
前記種別判定手段によって前記特定有利遊技状態と判定された場合、当該特定有利遊技状態に遊技が制御されたことに伴って前記第２遊技状態を設定する設定手段（ステップS1506を行う遊技制御用マイコン８１）と、を備え、
前記演出制御手段は、前記特定有利遊技状態に遊技が制御され、且つ、前記記憶手段が前記第２当否判定情報および前記特定種別判定情報を記憶しているとき、特別演出（確変保留連演出）を実行可能であることを特徴とする。
【符号の説明】
【０３９９】
ＰＹ１…パチンコ遊技機
７…画像表示装置
７ａ…表示部
２０…第１始動口
２２…第２始動口
２３…電チュー
３０…大入賞口
３１…大入賞装置
８０…主制御基板
８１…遊技制御用マイコン
８２…遊技用ＣＰＵ
８４…遊技用ＲＡＭ
９０…サブ制御基板
９１…演出制御用マイコン
９２…演出用ＣＰＵ
９４…演出用ＲＡＭ
９５…始動入賞当否コマンド保留記憶部
９６…始動入賞図柄コマンド保留記憶部
９７…始動入賞変動パターンコマンド保留記憶部
【図１】
2018038811.tif 000003
【図２】
2018038811.tif 000004
【図３】
2018038811.tif 000005
【図４】
2018038811.tif 000006
【図５】
2018038811.tif 000007
【図６】
2018038811.tif 000008
【図７】
2018038811.tif 000009
【図８】
2018038811.tif 000010
【図９】
2018038811.tif 000011
【図１０】
2018038811.tif 000012
【図１１】
2018038811.tif 000013
【図１２】
2018038811.tif 000014
【図１３】
2018038811.tif 000015
【図１４】
2018038811.tif 000016
【図１５】
2018038811.tif 000017
【図１６】
2018038811.tif 000018
【図１７】
2018038811.tif 000019
【図１８】
2018038811.tif 000020
【図１９】
2018038811.tif 000021
【図２０】
2018038811.tif 000022
【図２１】
2018038811.tif 000023
【図２２】
2018038811.tif 000024
【図２３】
2018038811.tif 000025
【図２４】
2018038811.tif 000026
【図２５】
2018038811.tif 000027
【図２６】
2018038811.tif 000028
【図２７】
2018038811.tif 000029
【図２８】
2018038811.tif 000030
【図２９】
2018038811.tif 000031
【図３０】
2018038811.tif 000032
【図３１】
2018038811.tif 000033
【図３２】
2018038811.tif 000034
【図３３】
2018038811.tif 000035
【図３４】
2018038811.tif 000036
【図３５】
2018038811.tif 000037
【図３６】
2018038811.tif 000038
【図３７】
2018038811.tif 000039
【図３８】
2018038811.tif 000040
【図３９】
2018038811.tif 000041
【図４０】
2018038811.tif 000042
【図４１】
2018038811.tif 000043
【図４２】
2018038811.tif 000044
【図４３】
2018038811.tif 000045
【図４４】
2018038811.tif 000046
【図４５】
2018038811.tif 000047